(57)【要約】  本発明は、駆動軸（ＡＮ）、出力軸（ＡＢ）、前部に付備されたダブル遊星歯車セット（ＶＳ）、及び、少なくとも３個の結合されていない入力エレメントと１個の出力エレメントとを有する結合された遊星歯車セットとして組み込まれているメインギヤセット（ＨＳ）、を有する多段自動変速機に関するもので、６個のシフトエレメント（ＡからＦ）を備え、その選択的な対の（２つ一組の）閉締によって、好ましくは前進８段の切り替えが可能である。メインギヤセット（ＨＳ）の出力エレメントは、出力軸（ＡＢ）に結合されている。第６シフトエレメント（Ｆ）のサーボ装置は、メインギヤセット（ＨＳ）の第１入力エレメントの速度で常時回転している。
2008509351.tif 000002
【特許請求の範囲】
【請求項１】
多段自動変速機であって、駆動軸（ＡＮ）、出力軸（ＡＢ）、プリシフトギヤセット（ＶＳ）、メインギヤセット（ＨＳ）、及び、少なくとも６個のシフトエレメント（ＡからＦ）を有し、以下の特徴、
・プリシフトギヤセット（ＶＳ）がダブル遊星歯車セットとして形成されている、
・プリシフトギヤセット（ＶＳ）の出力エレメントが駆動軸（ＡＮ）の入力回転数より小さい回転数で回転する、
・プリシフトギヤセット（ＶＳ）の入力エレメントが常時、駆動軸（ＡＮ）と結合している、
・プリシフトギヤセット（ＶＳ）のエレメントが多段自動変速機のギヤハウジング（ＧＧ）と結合している、
・メインギヤセット（ＨＳ）が、結合された遊星歯車セットとして形成されており、複数の相互に結合されていない入力エレメントと１個の出力エレメントとを備えている、
・メインギヤセット（ＨＳ）の出力エレメントが常時、出力軸（ＡＢ）と結合している、
・第１シフトエレメント（Ａ）の入力エレメント（１２０）がプリシフトギヤセット（ＶＳ）の出力エレメントと結合している。
・第１シフトエレメント（Ａ）の出力エレメント（１３０）がメインギヤセット（ＨＳ）の第２入力エレメントと結合している、
・第２シフトエレメント（Ｂ）の入力エレメント（２２０）がプリシフトギヤセット（ＶＳ）の出力エレメントと結合している、
・第２シフトエレメント（Ｂ）の出力エレメント（２３０）がメインギヤセット（ＨＳ）の第１入力エレメントと結合している、
・第３シフトエレメント（Ｃ）の入力エレメントがギヤハウジング（ＧＧ）と結合してい・る、
・第３シフトエレメント（Ｃ）の出力エレメント（３３０）が、メインギヤセット（ＨＳ）の第１入力エレメントと、または、回転数表の中でこの第１入力エレメントに隣接するメインギヤセット（ＨＳ）の入力エレメントと、結合している、
・第４シフトエレメント（Ｄ）の入力エレメントがギヤハウジング（ＧＧ）と結合している、
・第４シフトエレメント（Ｄ）の出力エレメント（４３０）がメインギヤセット（ＨＳ）の第３入力エレメント結合している、
・第５シフトエレメント（Ｅ）の入力エレメント（５２０）が駆動軸（ＡＮ）と結合している、
・第５シフトエレメント（Ｅ）の出力エレメント（５３０）がメインギヤセット（ＨＳ）の第３入力エレメント結合している、
・第６シフトエレメント（Ｆ）の入力エレメント（６２０）が駆動軸（ＡＮ）と結合している、
・第６シフトエレメント（Ｆ）の出力エレメント（６３０）が、メインギヤセット（ＨＳ）の第１入力エレメントと、または、回転数表の中でこの第１入力エレメントに隣接するメインギヤセット（ＨＳ）の入力エレメントと、結合している、
を備え、
第６シフトエレメント（Ｆ）の作動のためのサーボ装置（６１０）が、常時、メインギヤセット（ＨＳ）の第１入力エレメントの回転数で回転する
ことを特徴とする多段自動変速機。
【請求項２】
第２シフトエレメント（Ｂ）の作動のためのサーボ装置（２１０）が、常時、メインギヤセット（ＨＳ）の第１エレメントの回転数で回転する［図２＋９〜１６＋２３］
ことを特徴とする請求項１に記載の多段自動変速機。
【請求項３】
第２及び第６シフトエレメント（Ｂ，Ｆ）は、空間的に見て、少なくとも部分的にプリシフトギヤセット（ＶＳ）とギヤハウジング（ＧＧ）の径方向に延びるハウジング壁（ＧＷ）との間の軸方向のある範囲に配置されており、空間的に見て、プリシフトギヤセット（ＶＳ）のメインギヤセット（ＨＳ）に背いた側に配置されており、
プリシフトギヤセット（ＶＳ）及びメインギヤセット（ＨＳ）は、互いに同心状に配置されている［図９〜２１］
ことを特徴とする請求項１または２に記載の多段自動変速機。
【請求項４】
第２及び第６シフトエレメント（Ｂ，Ｆ）は、空間的に見て、少なくとも部分的にプリシフトギヤセット（ＶＳ）とメインギヤセット（ＨＳ）との間の軸方向のある範囲に配置されており、
プリシフトギヤセット（ＶＳ）及びメインギヤセット（ＨＳ）は、互いに同心状に配置されている［図２３］
ことを特徴とする請求項１または２に記載の多段自動変速機。
【請求項５】
第２及び第６シフトエレメント（Ｂ，Ｆ）は、互いに隣接して配置されている［図９〜２１＋２３］
ことを特徴とする請求項１乃至４のいずれかに記載の多段自動変速機。
【請求項６】
第２及び第６シフトエレメント（Ｂ，Ｆ）は、１つのアッセンブリーを形成し、
当該アッセンブリーは、空間的に見て、
・軸方向に第１及び第３シフトエレメント（Ａ，Ｃ）の間であって、
・及び／または、軸方向に第１シフトエレメント（Ａ）とメインギヤセット（ＨＳ）との間であって、
・及び／または、軸方向に第５及び第３シフトエレメント（Ｅ，Ｃ）の間であって、
・及び／または、軸方向に第５シフトエレメント（Ｅ）とメインギヤセット（ＨＳ）との間であって、
・及び／または、軸方向に第１シフトエレメント（Ａ）、特には第１シフトエレメント（Ａ）のディスクパック（１００）、に隣接して、
・及び／または、軸方向に第３シフトエレメント（Ｃ）、特には第３シフトエレメント（Ｃ）のディスクパック（３００）、に隣接して、
配置されている［図９〜２１＋２３］
ことを特徴とする請求項１乃至５のいずれかに記載の多段自動変速機。
【請求項７】
第２及び第６シフトエレメント（Ｂ，Ｆ）のディスクを収容するために、第２及び第６シフトエレメント（Ｂ，Ｆ）は、メインギヤセット（ＨＳ）の第１入力エレメントと結合している共通ディスクキャリヤー（ＺＹＬＢＦ）を有している［図９〜１５＋１７〜２１＋２３］
ことを特徴とする請求項１乃至６のいずれかに記載の多段自動変速機。
【請求項８】
第２及び第６シフトエレメント（Ｂ，Ｆ）用の共通ディスクキャリヤー（ＺＹＬＢＦ）は、第６シフトエレメント（Ｆ）のアウターディスクキャリヤーとして、そして、第２シフトエレメント（Ｂ）のインナーディスクキャリヤーとして、形成されている［図９＋１０＋１７〜２１］
ことを特徴とする請求項７に記載の多段自動変速機。
【請求項９】
第２及び第６シフトエレメント（Ｂ，Ｆ）用の共通ディスクキャリヤー（ＺＹＬＢＦ）は、第２シフトエレメント（Ｂ）のアウターディスクキャリヤーとして、そして、第６シフトエレメント（Ｆ）のインナーディスクキャリヤーとして、形成されている［図１３＋１４＋２３］
ことを特徴とする請求項７に記載の多段自動変速機。
【請求項１０】
第２及び第６シフトエレメント（Ｂ，Ｆ）用の共通ディスクキャリヤー（ＺＹＬＢＦ）は、第２及び第６シフトエレメント（Ｂ，Ｆ）のアウターディスクキャリヤーとして形成されている［図１２＋１５］
ことを特徴とする請求項７に記載の多段自動変速機。
【請求項１１】
第２シフトエレメント（Ｂ）のディスクパック（２００）は、軸方向に見て、少なくとも一部が径方向に第６シフトエレメント（Ｆ）のディスクパック（６００）の上方に配置されている［図９〜１２＋１６〜２１］
ことを特徴とする請求項１乃至１０のいずれかに記載の多段自動変速機。
【請求項１２】
第６シフトエレメント（Ｆ）、特に第６シフトエレメント（Ｆ）のディスクパック（６００）及びサーボ装置（６１０）が、第２シフトエレメント（Ｂ）のアウターディスクキャリヤーによって形成されるシリンダ室の中に、少なくとも大部分が配置されている［図１１＋１６］
ことを特徴とする請求項１１に記載の多段自動変速機。
【請求項１３】
第２及び第６シフトエレメント（Ｂ、Ｆ）のディスクパック（２００、６００）は、軸方向にプリシフトギヤセット（ＶＳ）に隣接して配置されており、
第２及び第６シフトエレメント（Ｂ、Ｆ）のサーボ装置（２１０、６１０）は、少なくとも大部分が、第２及び第６シフトエレメント（Ｂ、Ｆ）のディスクパック（２００、６００）のプリシフトギヤセット（ＶＳ）から背いた側に配置されている［図９＋１０＋１２＋１６］
ことを特徴とする請求項１１または１２に記載の多段自動変速機。
【請求項１４】
第６シフトエレメント（Ｆ）のサーボ装置（６１０）の圧力室（６１１）は、第２シフトエレメント（Ｂ）のサーボ装置（２１０）の圧力室（２１１）よりプリシフトギヤセット（ＶＳ）の近くに配置されている［図９＋１２＋１６］
ことを特徴とする請求項１１、１２または１３に記載の多段自動変速機。
【請求項１５】
第６シフトエレメント（Ｆ）のサーボ装置（６１０）の圧力室（６１１）は、軸方向に第２シフトエレメント（Ｂ）のサーボ装置（２１０）の動的圧力調整の圧力調整室（２１２）に隣接して配置されている［図９＋１６］
ことを特徴とする請求項１４に記載の多段自動変速機。
【請求項１６】
第２及び第６シフトエレメント（Ｂ，Ｆ）のサーボ装置（２１０，６１０）の圧力室（２１１，６１１）は、軸方向に互いに隣接して配置されており、なかんずく第２及び第６シフトエレメント用の共通ディスクキャリヤーのシェルによって相互に分離されている［図１２］
ことを特徴とする請求項１４に記載の多段自動変速機。
【請求項１７】
第２シフトエレメント（Ｂ）のサーボ装置（２１０）のピストン（２１４）、または、第２シフトエレメント（Ｂ）のディスクパック（２００）を作動させるために前記ピストン（２１４）と結合される作動エレメントが、軸方向に、第２シフトエレメント（Ｂ）のディスクパック（２００）を径方向外側で包摂（包囲）する［図１２］
ことを特徴とする請求項１６に記載の多段自動変速機。
【請求項１８】
第２シフトエレメント（Ｂ）のサーボ装置（２１０）の圧力室（２１１）は、軸方向に見て、少なくとも大部分が径方向に第６シフトエレメント（Ｆ）のサーボ装置（６１０）の圧力室（６１１）の上方に配置されており、及び／または、
第２シフトエレメント（Ｂ）のサーボ装置（２１０）の動的圧力調整の圧力調整室（２１２）は、軸方向に見て、少なくとも大部分が径方向に第６シフトエレメント（Ｆ）のサーボ装置（６１０）の動的圧力調整の圧力調整室（６１２）の上方に配置されている［図１０＋１１］
ことを特徴とする請求項１１、１２または１３に記載の多段自動変速機。
【請求項１９】
第２シフトエレメント（Ｂ）のサーボ装置（２１０）の圧力調整室（２１２）は、第２シフトエレメント（Ｂ）のサーボ装置（２１０）の圧力室（２１１）よりプリシフトギヤセット（ＶＳ）の近くに配置されており、及び／または、
第６シフトエレメント（Ｆ）のサーボ装置（６１０）の圧力調整室（６１２）は、第６シフトエレメント（Ｆ）のサーボ装置（６１０）の圧力室（６１１）よりプリシフトギヤセット（ＶＳ）の近くに配置されている［図１０＋１１］
ことを特徴とする請求項１８に記載の多段自動変速機。
【請求項２０】
第２シフトエレメント（Ｂ）のサーボ装置（２１０）の圧力調整室（２１２）は、第６シフトエレメント（Ｆ）のサーボ装置（６１０）の圧力調整室（６１２）を介して、潤滑剤が充填される［図１０＋１１］
ことを特徴とする請求項１８または１９に記載の多段自動変速機。
【請求項２１】
第６シフトエレメント（Ｆ）のディスクパック（６００）は、軸方向に見て、少なくとも一部が径方向に第２シフトエレメント（Ｂ）のディスクパック（２００）の上方に配置されている［図１３＋１４＋２３］
ことを特徴とする請求項１乃至１０のいずれかに記載の多段自動変速機。
【請求項２２】
第２シフトエレメント（Ｂ）、特に第２シフトエレメント（Ｂ）のディスクパック（２００）及びサーボ装置（２１０）が、第６シフトエレメント（Ｆ）のアウターディスクキャリヤーによって形成されるシリンダ室の中に、少なくとも大部分が配置されている［図１３＋１４］
ことを特徴とする請求項２１に記載の多段自動変速機。
【請求項２３】
第２及び第６シフトエレメント（Ｂ、Ｆ）のサーボ装置（２１０、６１０）は、軸方向にプリシフトギヤセット（ＶＳ）に隣接して配置されており、
第２及び第６シフトエレメント（Ｂ、Ｆ）のディスクパック（２００、６００）は、第２及び第６シフトエレメント（Ｂ、Ｆ）のサーボ装置（２１０、６１０）のプリシフトギヤセット（ＶＳ）から背いた側に配置されている［図１４］
ことを特徴とする請求項２１または２２に記載の多段自動変速機。
【請求項２４】
第２シフトエレメント（Ｂ）のサーボ装置（２１０）の圧力室（２１１）は、第６シフトエレメント（Ｆ）のサーボ装置（６１０）の圧力室（６１１）よりプリシフトギヤセット（ＶＳ）の近くに配置されている［図２３］
ことを特徴とする請求項２１、２２または２３に記載の多段自動変速機。
【請求項２５】
第６シフトエレメント（Ｆ）のサーボ装置（６１０）の圧力室（６１１）は、第２シフトエレメント（Ｂ）のサーボ装置（２１０）の圧力室（２１１）よりプリシフトギヤセット（ＶＳ）の近くに配置されている［図１３］
ことを特徴とする請求項２１、２２または２３に記載の多段自動変速機。
【請求項２６】
第２シフトエレメント（Ｂ）のサーボ装置（２１０）の圧力室（２１１）は、軸方向に第６シフトエレメント（Ｆ）のサーボ装置（６１０）の動的圧力調整の圧力調整室（６１２）に隣接して配置されている［図１３＋２３］
ことを特徴とする請求項２１乃至２５のいずれかに記載の多段自動変速機。
【請求項２７】
第６シフトエレメント（Ｆ）のサーボ装置（６１０）の圧力室（６１１）は、軸方向に見て、少なくとも大部分が径方向に第２シフトエレメント（Ｂ）のサーボ装置（２１０）の圧力室（２１１）の上方に配置されており、及び／または、
第６シフトエレメント（Ｆ）のサーボ装置（６１０）の圧力調整室（６１２）は、軸方向に見て、少なくとも大部分が径方向に第２シフトエレメント（Ｂ）のサーボ装置（２１０）の圧力調整室（２１２）の上方に配置されている［図１４］
ことを特徴とする請求項２１または２２に記載の多段自動変速機。
【請求項２８】
第２シフトエレメント（Ｂ）のサーボ装置（２１０）の圧力室（２１１）は、第２シフトエレメント（Ｂ）のサーボ装置（２１０）の圧力調整室（２１２）よりプリシフトギヤセット（ＶＳ）の近くに配置されており、及び／または、
第６シフトエレメント（Ｆ）のサーボ装置（６１０）の圧力室（６１１）は、第６シフトエレメント（Ｆ）のサーボ装置（６１０）の圧力調整室（６１２）よりプリシフトギヤセット（ＶＳ）の近くに配置されている［図１４］
ことを特徴とする請求項２７に記載の多段自動変速機。
【請求項２９】
第６シフトエレメント（Ｆ）のサーボ装置（６１０）の圧力調整室（６１２）は、第２シフトエレメント（Ｂ）のサーボ装置（２１０）の圧力調整室（２１２）を介して、潤滑剤が充填される［図１４］
ことを特徴とする請求項２７または２８に記載の多段自動変速機。
【請求項３０】
第２シフトエレメント（Ｂ）のディスクパック（２００）は、軸方向に第６シフトエレメント（Ｆ）のディスクパック（６００）に隣接して配置されている［図１５］
ことを特徴とする請求項１乃至１０のいずれかに記載の多段自動変速機。
【請求項３１】
第２及び第６シフトエレメント（Ｂ，Ｆ）のディスクパック（２００、６００）は、同一の径または少なくとも類似の径で配置されている［図１５］
ことを特徴とする請求項３０に記載の多段自動変速機。
【請求項３２】
第２シフトエレメント（Ｂ）のディスクパック（２００）は、第６シフトエレメント（Ｆ）のディスクパック（６００）よりもプリシフトギヤセット（ＶＳ）の近くに配置されている［図１５］
ことを特徴とする請求項３０または３１に記載の多段自動変速機。
【請求項３３】
第６シフトエレメント（Ｆ）のサーボ装置（６１０）の圧力室（６１１）が、第２シフトエレメント（Ｂ）のサーボ装置（２１０）の圧力室（２１１）よりもプリシフトギヤセット（ＶＳ）の近くに配置されている［図１５］
ことを特徴とする請求項３０、３１または３２に記載の多段自動変速機。
【請求項３４】
プリシフトギヤセット（ＶＳ）の出力エレメントと結合される第２シフトエレメント（Ｂ）の入力エレメント（２２０）、及び／または、駆動軸（ＡＮ）と結合される第６シフトエレメント（Ｆ）の入力エレメント（６２０）が、軸方向に、第２及び第６シフトエレメント（Ｂ，Ｆ）のディスクパック（２００、６００）を径方向外側で包摂（包囲）する（umgreift）［図１３〜１５］
ことを特徴とする請求項１乃至３３のいずれかに記載の多段自動変速機。
【請求項３５】
第６シフトエレメント（Ｆ）のサーボ装置（６１０）のピストン（６１４）、または、第６シフトエレメント（Ｆ）のディスクパック（６００）を作動させるために前記ピストン（６１４）と結合される作動エレメントが、軸方向に、第２及び第６シフトエレメント（Ｂ，Ｆ）のディスクパック（２００，６００）を径方向外側で包摂（包囲）する［図１５］
ことを特徴とする請求項３４に記載の多段自動変速機。
【請求項３６】
パワーフローの中で、メインギヤセット（ＨＳ）の入力エレメントと第２及び第６シフトエレメント（Ｂ，Ｆ）の出力エレメント（２３０，６３０）との間に配置された結合エレメント（ＺＹＬ）が、軸方向に、第１及び第５シフトエレメント（Ａ、Ｅ）に対して径方向外側で完全に重なるように広がっている（uebergreifen）［図９〜２１］
ことを特徴とする請求項１乃至３５のいずれかに記載の多段自動変速機。
【請求項３７】
第２シフトエレメント（Ｂ）は、空間的に見て、少なくとも部分的にプリシフトギヤセット（ＶＳ）とメインギヤセット（ＨＳ）との間の軸方向のある範囲に配置されており、
第６シフトエレメント（Ｆ）は、空間的に見て、少なくとも部分的にプリシフトギヤセット（ＶＳ）とギヤハウジング（ＧＧ）の径方向に延びるハウジング壁（ＧＷ）との間の軸方向のある範囲に配置されており、空間的に見て、プリシフトギヤセット（ＶＳ）のメインギヤセット（ＨＳ）に背いた側に配置されており、
プリシフトギヤセット（ＶＳ）及びメインギヤセット（ＨＳ）は、互いに同心状に配置されている［図２〜８］
ことを特徴とする請求項１または２に記載の多段自動変速機。
【請求項３８】
第２シフトエレメント（Ｂ）は、空間的に見て、少なくとも部分的にプリシフトギヤセット（ＶＳ）とギヤハウジング（ＧＧ）の径方向に延びるハウジング壁（ＧＷ）との間の軸方向のある範囲に配置されており、空間的に見て、プリシフトギヤセット（ＶＳ）のメインギヤセット（ＨＳ）に背いた側に配置されており、
第６シフトエレメント（Ｆ）は、空間的に見て、少なくとも部分的にプリシフトギヤセット（ＶＳ）とメインギヤセット（ＨＳ）との間の軸方向のある範囲に配置されており、
プリシフトギヤセット（ＶＳ）及びメインギヤセット（ＨＳ）は、互いに同心状に配置されている［図２２］
ことを特徴とする請求項１に記載の多段自動変速機。
【請求項３９】
第２シフトエレメント（Ｂ）の作動のためのサーボ装置（２１０）が、常時、プリシフトギヤセット（ＶＳ）の出力エレメントの回転数で回転する［図２２］
ことを特徴とする請求項３８に記載の多段自動変速機。
【請求項４０】
第６シフトエレメント（Ｆ）は、空間的に見て、
・軸方向に第５及び第３シフトエレメント（Ｅ，Ｃ）の間であって、
・及び／または、軸方向に第５シフトエレメント（Ｅ）とメインギヤセット（ＨＳ）との間であって、
・及び／または、軸方向に第５シフトエレメント（Ｅ）に隣接して、
・及び／または、軸方向に第３シフトエレメント（Ｃ）に隣接して、
配置されており、
第２シフトエレメント（Ｂ）は、空間的に見て、第１シフトエレメント（Ａ）の第６シフトエレメント（Ｆ）とは反対の側に配置されている［図２２］
ことを特徴とする請求項３８または３９に記載の多段自動変速機。
【請求項４１】
第２シフトエレメント（Ｂ）の出力シフトエレメント（２３０）は、第６シフトエレメント（Ｆ）のアウターディスクキャリヤーによって形成された第６シフトエレメント（Ｆ）のクラッチ室を、軸方向に貫いて延びている（durchgreifen）［図２２］
ことを特徴とする請求項３７乃至４０のいずれかに記載の多段自動変速機。
【請求項４２】
メインギヤセット（ＨＳ）の第１入力エレメントと結合される第６シフトエレメント（Ｆ）の出力エレメント（６３０）が、メインギヤセット（ＨＳ）の第２入力エレメントと結合される第１シフトエレメント（Ａ）の出力エレメント（１３０）に、あるいは、第１シフトエレメント（Ａ）の出力エレメント（１３０）にもメインギヤセット（ＨＳ）の第２入力エレメントにも結合される軸に、あるいは、メインギヤセット（ＨＳ）の第２入力エレメントに直接、取り付けられている［図２２］
ことを特徴とする請求項３７乃至４１のいずれかに記載の多段自動変速機。
【請求項４３】
第６シフトエレメント（Ｆ）のサーボ装置（６１０）の動的圧力調整の圧力調整室（６１２）は、第６シフトエレメント（Ｆ）のサーボ装置（６１０）の圧力室（６１１）よりプリシフトギヤセット（ＶＳ）の近くに配置されている［図２＋３＋７＋８＋２２］
ことを特徴とする請求項３７乃至４２のいずれかに記載の多段自動変速機。
【請求項４４】
第６シフトエレメント（Ｆ）のサーボ装置（６１０）の圧力室（６１１）は、第６シフトエレメント（Ｆ）のサーボ装置（６１０）の動的圧力調整の圧力調整室（６１２）よりプリシフトギヤセット（ＶＳ）の近くに配置されている［図４〜６］
ことを特徴とする請求項３７乃至４２のいずれかに記載の多段自動変速機。
【請求項４５】
第６シフトエレメント（Ｆ）のサーボ装置（６１０）の圧力調整室（６１２）は、第６シフトエレメント（Ｆ）のサーボ装置（６１０）のピストン（６１４）とエアセンサープレート（６１５）とによって形成されており、
当該エアセンサープレート（６１５）は、第６シフトエレメント（Ｆ）の出力エレメント（６３０）と回転しないように結合されており、且つ、
当該エアセンサープレート（６１５）は、第２シフトエレメント（Ｂ）の出力エレメント（２３０）と回転しないように結合されているか、あるいは、第２シフトエレメント（Ｂ）の出力エレメントとして形成されている［図２２］
ことを特徴とする請求項３７乃至４４のいずれかに記載の多段自動変速機。
【請求項４６】
第６シフトエレメント（Ｆ）のサーボ装置（６１０）のエアセンサープレート（６１５）は、軸方向に、プリシフトギヤセット（ＶＳ）、第５及び第１シフトエレメント（Ｅ，Ａ）、及び、第２シフトエレメント（Ｂ）のディスクパック（２００）に対して径方向に完全に重なるように広がっている（uebergreifen）［図２２］
ことを特徴とする請求項３７乃至４５のいずれかに記載の多段自動変速機。
【請求項４７】
第６シフトエレメント（Ｆ）のサーボ装置（６１０）のエアセンサープレート（６１５）は、第６シフトエレメント（Ｆ）のディスクパック（６００）と回転しないように結合されている［図５＋２２］
ことを特徴とする請求項３７乃至４６のいずれかに記載の多段自動変速機。
【請求項４８】
第２シフトエレメント（Ｂ）の出力エレメント（２３０）は、軸方向に、第１シフトエレメント（Ａ）、プリシフトギヤセット（ＶＳ）、及び、第５シフトエレメント（Ｅ）に対して径方向に完全に重なるように広がっている（uebergreifen）［図２２］
ことを特徴とする請求項３７乃至４７のいずれかに記載の多段自動変速機。
【請求項４９】
第２シフトエレメント（Ｂ）のディスクパック（２００）は、軸方向に第１シフトエレメント（Ａ）のディスクパック（１００）に隣接して配置されている［図２〜１２＋１６＋２２＋２３］
ことを特徴とする請求項１乃至４８のいずれかに記載の多段自動変速機。
【請求項５０】
第１及び第２シフトエレメント（Ａ，Ｂ）のディスクパック（１００，２００）は、同一の径または少なくとも類似の径で配置されている［図２〜１２＋１６＋１７＋２２＋２３］
ことを特徴とする請求項１乃至４９のいずれかに記載の多段自動変速機。
【請求項５１】
第１シフトエレメント（Ａ）のディスクパック（１００）は、第２シフトエレメント（Ｂ）のディスクパック（２００）よりもメインギヤセット（ＨＳ）の近くに配置されている［図９〜２２］
ことを特徴とする請求項１乃至５０のいずれかに記載の多段自動変速機。
【請求項５２】
第２シフトエレメント（Ｂ）のディスクパック（２００）は、第１シフトエレメント（Ａ）のディスクパック（１００）よりもメインギヤセット（ＨＳ）の近くに配置されている［図２〜８＋２３］
ことを特徴とする請求項１乃至５０のいずれかに記載の多段自動変速機。
【請求項５３】
第１及び第２シフトエレメント（Ａ，Ｂ）は、共通のディスクキャリヤー（ＺＹＬＡＢ）を有する［図１１＋２２］
ことを特徴とする請求項１乃至５２のいずれかに記載の多段自動変速機。
【請求項５４】
第１及び第２シフトエレメント（Ａ，Ｂ）のための第１及び第２シフトエレメント（Ａ，Ｂ）の共通のディスクキャリヤー（ＺＹＬＡＢ）は、プリシフトギヤセット（ＶＳ）の出力エレメントに結合されたアウターディスクキャリヤーとして形成されている［図２２］
ことを特徴とする請求項５３に記載の多段自動変速機。
【請求項５５】
第１及び第２シフトエレメント（Ａ，Ｂ）のための第１及び第２シフトエレメント（Ａ，Ｂ）の共通のディスクキャリヤー（ＺＹＬＡＢ）は、プリシフトギヤセット（ＶＳ）の出力エレメントに結合されたインナーディスクキャリヤーとして形成されている［図１１］
ことを特徴とする請求項５３に記載の多段自動変速機。
【請求項５６】
第５シフトエレメント（Ｅ）は、空間的に見て、軸方向にプリシフトギヤセット（ＶＳ）とメインギヤセット（ＨＳ）との間に配置されていて、軸方向にプリシフトギヤセット（ＶＳ）に隣接している  ［図２〜１５＋１７〜２３］
ことを特徴とする請求項１乃至５５のいずれかに記載の多段自動変速機。
【請求項５７】
第５シフトエレメント（Ｅ）は、空間的に見て、メインギヤセット（ＨＳ）のプリシフトギヤセット（ＶＳ）とは反対の側に配置されている［図１６］
ことを特徴とする請求項１乃至５５のいずれかに記載の多段自動変速機。
【請求項５８】
駆動軸（ＡＮ）と結合される第６シフトエレメント（Ｆ）の入力エレメント（６２０）がインナーディスクキャリヤーとして形成されており、
メインギヤセット（ＨＳ）の第１入力エレメントと結合される第６シフトエレメント（Ｆ）の出力エレメント（６３０）がアウターディスクキャリヤーとして形成されている［図２＋４＋６＋７＋９〜１２＋１５〜２２］
ことを特徴とする請求項１乃至５７のいずれかに記載の多段自動変速機。
【請求項５９】
駆動軸（ＡＮ）と結合される第６シフトエレメント（Ｆ）の入力エレメント（６２０）がアウターディスクキャリヤーとして形成されており、
メインギヤセット（ＨＳ）の第１入力エレメントと結合される第６シフトエレメント（Ｆ）の出力エレメント（６３０）がインナーディスクキャリヤーとして形成されている［図３＋５＋８＋１３＋１４＋２３］
ことを特徴とする請求項１乃至５７のいずれかに記載の多段自動変速機。
【請求項６０】
第６シフトエレメント（Ｆ）の入力エレメント（６２０）は、ギヤハウジング（ＧＧ）のハウジング壁（ＧＷ）のねじれ強いハブ（ＧＮ）上に取り付けられている［図４〜８＋１１］
ことを特徴とする請求項１乃至５９のいずれかに記載の多段自動変速機。
【請求項６１】
第６シフトエレメント（Ｆ）の出力エレメント（６３０）は、駆動軸（ＡＮ）と結合される第６シフトエレメント（Ｆ）の入力エレメント（６２０）上に取り付けられている［図４＋５＋７＋８］
ことを特徴とする請求項６０に記載の多段自動変速機。
【請求項６２】
第６シフトエレメント（Ｆ）の出力エレメント（６３０）および／または第２シフトエレメント（Ｂ）の出力エレメント（２３０）が、ギヤハウジング（ＧＧ）のハウジング壁（ＧＷ）のねじれ強いハブ（ＧＮ）上に取り付けられている［図２＋３＋６＋９〜１６］
ことを特徴とする請求項１乃至５９のいずれかに記載の多段自動変速機。
【請求項６３】
プリシフトギヤセット（ＶＳ）の出力エレメントと結合される第１シフトエレメント（Ａ）の入力エレメント（１２０）が、駆動軸（ＡＮ）と結合される第６シフトエレメント（Ｆ）の入力エレメント（６２０）に取り付けられている［図２〜８＋１１＋２２］
ことを特徴とする請求項１乃至６２のいずれかに記載の多段自動変速機。
【請求項６４】
メインギヤセット（ＨＳ）の第２入力エレメントと結合される第１シフトエレメント（Ａ）の出力エレメント（１３０）が、プリシフトギヤセット（ＶＳ）の出力エレメントと結合される第２シフトエレメント（Ｂ）の入力エレメント（２２０）に取り付けられている［図１６］
ことを特徴とする請求項１乃至６２のいずれかに記載の多段自動変速機。
【請求項６５】
プリシフトギヤセット（ＶＳ）の出力エレメントと結合される第２シフトエレメント（Ｂ）の入力エレメント（２２０）が、駆動軸（ＡＮ）と結合される第６シフトエレメント（Ｆ）の入力エレメント（６２０）に取り付けられている［図１１＋２２］
ことを特徴とする請求項１乃至６４のいずれかに記載の多段自動変速機。
【請求項６６】
ハウジング壁（ＧＷ）のハブ（ＧＮ）は、第６および／または第２および／または第１シフトエレメント（Ｆ，Ｂ，Ａ）のサーボ装置（６１０，２１０，１１０）に圧力材および／または潤滑材を供給するために、導路および／または孔を有している
ことを特徴とする請求項６０乃至６５のいずれかに記載の多段自動変速機。
【請求項６７】
ハウジング壁（ＧＷ）のハブ（ＧＮ）は、ハウジング壁（ＧＷ）とねじれ強く結合された、駆動軸（ＡＮ）を駆動するトルクコンバーターのステータシャフト（Ｌｅｉｔｒａｄｗｅｌｌｅ）として形成されている
ことを特徴とする請求項６０乃至６６のいずれかに記載の多段自動変速機。
【請求項６８】
第６シフトエレメント（Ｆ）に隣接するハウジング壁（ＧＷ）は、当該多段自動変速機の駆動エンジンに向いているギヤハウジング（ＧＧ）の外側壁である
ことを特徴とする請求項１乃至６７のいずれかに記載の多段自動変速機。
【請求項６９】
第６シフトエレメント（Ｆ）のサーボ装置（６１０）は、第６シフトエレメント（Ｆ）のディスクパック（６００）を、第６シフトエレメント（Ｆ）の締結時に、軸方向にプリシフトギヤセット（ＶＳ）方向に作動させる
ことを特徴とする請求項１乃至６８のいずれかに記載の多段自動変速機。
【請求項７０】
第６シフトエレメント（Ｆ）のサーボ装置（６１０）は、第６シフトエレメント（Ｆ）のディスクパック（６００）を、第６シフトエレメント（Ｆ）の締結時に、軸方向にプリシフトギヤセット（ＶＳ）と反対方向に作動させる
ことを特徴とする請求項１乃至６８のいずれかに記載の多段自動変速機。
【請求項７１】
第２シフトエレメント（Ｂ）のサーボ装置（２１０）は、第２シフトエレメント（Ｂ）のディスクパック（２００）を、第２シフトエレメント（Ｂ）の締結時に、軸方向にプリシフトギヤセット（ＶＳ）方向に作動させる
ことを特徴とする請求項１乃至７０のいずれかに記載の多段自動変速機。
【請求項７２】
第２シフトエレメント（Ｂ）のサーボ装置（２１０）は、第２シフトエレメント（Ｂ）のディスクパック（２００）を、第２シフトエレメント（Ｂ）の締結時に、軸方向にプリシフトギヤセット（ＶＳ）と反対方向に作動させる
ことを特徴とする請求項１乃至７０のいずれかに記載の多段自動変速機。
【請求項７３】
プリシフトギヤセット（ＶＳ）は、太陽歯車（ＳＯ＿ＶＳ）と、内歯歯車（ＨＯ＿ＶＳ）と、内側及び外側遊星歯車（Ｐ１＿ＶＳ、Ｐ２＿ＶＳ）が回転可能に取り付けられている結合されたキャリヤー（ＳＴ＿ＶＳ）と、を有しており、
・プリシフトギヤセット（ＶＳ）の内側遊星歯車（Ｐ１＿ＶＳ）が、プリシフトギヤセット（ＶＳ）の太陽歯車（ＳＯ＿ＶＳ）及び外側遊星歯車（Ｐ２＿ＶＳ）と噛み合い、
・プリシフトギヤセット（ＶＳ）の外側遊星歯車（Ｐ２＿ＶＳ）が、プリシフトギヤセット（ＨＳ）の内側遊星歯車（Ｐ１＿ＶＳ）と内歯歯車（ＨＯ＿ＶＳ）と噛み合い、
・プリシフトギヤセット（ＶＳ）のキャリヤー（ＳＴ＿ＶＳ）が、駆動軸と常時結合しているプリシフトギヤセット（ＶＳ）の入力エレメントを形成し、
・プリシフトギヤセット（ＶＳ）の内歯歯車（ＨＯ＿ＶＳ）が、メインギヤセット（ＨＳ）の入力エレメントと結合可能なプリシフトギヤセット（ＶＳ）の出力エレメントを形成し、
・プリシフトギヤセット（ＶＳ）の太陽歯車（ＳＯ＿ＶＳ）が、ギヤハウジング（ＧＧ）に固定されており、
メインギヤセット（ＨＳ）は、ラビニヨギヤセット構成の２キャリヤー４軸ギヤとして形成されており、２個の太陽歯車（Ｓ１＿ＨＳ、Ｓ２＿ＨＳ）と、内歯歯車（ＨＯ＿ＨＳ）と、長い遊星歯車（Ｐ１＿ＨＳ）及び短い遊星歯車（Ｐ２＿ＨＳ）が回転可能に取り付けられている結合されたキャリヤー（ＳＴ＿ＨＳ）と、を備えており、
・メインギヤセット（ＨＳ）の長い遊星歯車（Ｐ１＿ＨＳ）が、メインギヤセット（ＨＳ）の内歯歯車（ＨＯ＿ＨＳ）及び第１太陽歯車（Ｓ１＿ＨＳ）と噛み合い、
・メインギヤセット（ＨＳ）の短い遊星歯車（Ｐ２＿ＨＳ）が、メインギヤセット（ＨＳ）の長い遊星歯車（Ｐ１＿ＨＳ）及び第２太陽歯車（Ｓ２＿ＨＳ）と噛み合い、
・メインギヤセット（ＨＳ）の第１の太陽歯車（Ｓ１＿ＨＳ）が、メインギヤセット（ＨＳ）の第１入力エレメントを形成し、第２、第３、第６シフトエレメント（Ｂ，Ｃ，Ｆ）の出力エレメント（２３０，３３０，６３０）と結合しており、
・メインギヤセット（ＨＳ）の第２太陽歯車（Ｓ２＿ＨＳ）が、メインギヤセット（ＨＳ）の第２入力エレメントを形成し、第１シフトエレメント（Ａ）の出力エレメント（１３０）と結合しており、
・メインギヤセット（ＨＳ）のキャリヤー（ＳＴ＿ＨＳ）が、メインギヤセット（ＨＳ）の第３入力エレメントを形成し、第４、第５シフトエレメント（Ｄ，Ｅ）の出力エレメント（４３０，５３０）と結合しており、
・メインギヤセット（ＨＳ）の内歯歯車（ＨＯ＿ＨＳ）が、メインギヤセット（ＨＳ）の出力エレメントを形成し、出力軸（ＡＢ）と結合している［図２〜１６＋２２＋２３］
ことを特徴とする請求項１乃至７２のいずれかに記載の多段自動変速機。
【請求項７４】
プリシフトギヤセット（ＶＳ）は、太陽歯車（ＳＯ＿ＶＳ）と、内歯歯車（ＨＯ＿ＶＳ）と、内側及び外側遊星歯車（Ｐ１＿ＶＳ、Ｐ２＿ＶＳ）が回転可能に取り付けられている結合されたキャリヤー（ＳＴ＿ＶＳ）と、を有しており、
・プリシフトギヤセット（ＶＳ）の内側遊星歯車（Ｐ１＿ＶＳ）が、プリシフトギヤセット（ＶＳ）の太陽歯車（ＳＯ＿ＶＳ）及び外側遊星歯車（Ｐ２＿ＶＳ）と噛み合い、
・プリシフトギヤセット（ＶＳ）の外側遊星歯車（Ｐ２＿ＶＳ）が、プリシフトギヤセット（ＨＳ）の内側遊星歯車（Ｐ１＿ＶＳ）と内歯歯車（ＨＯ＿ＶＳ）と噛み合い、
・プリシフトギヤセット（ＶＳ）のキャリヤー（ＳＴ＿ＶＳ）が、駆動軸（ＡＮ）と常時結合しているプリシフトギヤセット（ＶＳ）の入力エレメントを形成し、
・プリシフトギヤセット（ＶＳ）の内歯歯車（ＨＯ＿ＶＳ）が、メインギヤセット（ＨＳ）の入力エレメントと結合可能なプリシフトギヤセット（ＶＳ）の出力エレメントを形成し、
・プリシフトギヤセット（ＶＳ）の太陽歯車（ＳＯ＿ＶＳ）が、ギヤハウジング（ＧＧ）に固定されており、
メインギヤセット（ＨＳ）は、結合された２個の単一（キャリヤ）の遊星歯車セットを有する付きの２キャリヤー４軸ギヤとして形成されており、２個の太陽歯車（Ｓ１＿ＨＳ、Ｓ２＿ＨＳ）と、２個の内歯歯車（Ｈ１＿ＨＳ、Ｈ２＿ＨＳ）と、第１遊星歯車（ＰＬ＿ＨＳ）が回転可能に取り付けられている第１キャリヤー（ＳＴ１＿ＨＳ）と、内側及び外側遊星歯車（ＰＬｉ＿ＨＳ、ＰＬａ＿ＨＳ）が回転可能に取り付けられている結合された第２キャリヤー（ＳＴ２＿ＨＳ）と、を有しており、
・メインギヤセット（ＨＳ）の第１遊星歯車（ＰＬ＿ＨＳ）が、メインギヤセット（ＨＳ）の第１内歯歯車（Ｈ１＿ＨＳ）及び第１太陽歯車（Ｓ１＿ＨＳ）と噛み合い、
・メインギヤセット（ＨＳ）の内側遊星歯車（ＰＬｉ＿ＨＳ）が、メインギヤセット（ＨＳ）の外側遊星歯車（ＰＬａ＿ＨＳ）及び第２太陽歯車（Ｓ２＿ＨＳ）と噛み合い、
・メインギヤセット（ＨＳ）の外側遊星歯車（ＰＬａ＿ＨＳ）が、メインギヤセット（ＨＳ）の内側遊星歯車（ＰＬｉ＿ＨＳ）及び第２内歯歯車（Ｈ２＿ＨＳ）と噛み合い、
・メインギヤセット（ＨＳ）の第１太陽歯車（Ｓ１＿ＨＳ）及び結合された第２キャリヤー（ＳＴ２＿ＨＳ）が、相互に結合しており、メインギヤセット（ＨＳ）の第１入力エレメントを形成し、第２、第３、第６シフトエレメント（Ｂ，Ｃ，Ｆ）の出力エレメント（２３０，３３０，６３０）と結合しており、
・メインギヤセット（ＨＳ）の第２太陽歯車（Ｓ２＿ＨＳ）が、メインギヤセット（ＨＳ）の第２入力エレメントを形成し、第１シフトエレメント（Ａ）の出力エレメント（１３０）と結合しており、
・メインギヤセット（ＨＳ）の第１キャリヤー（ＳＴ１＿ＨＳ）及び第２内歯歯車（Ｈ２＿ＨＳ）が、相互に結合しており、メインギヤセット（ＨＳ）の第３出力エレメントを形成し、第４、第５シフトエレメント（Ｄ，Ｅ）の出力エレメント（４３０，５３０）と結合しており、
・メインギヤセット（ＨＳ）の第１内歯歯車（Ｈ１＿ＨＳ）が、メインギヤセット（ＨＳ）の出力エレメントを形成し、出力軸（ＡＢ）と結合している［図１７］
ことを特徴とする請求項１乃至７２のいずれかに記載の多段自動変速機。
【請求項７５】
プリシフトギヤセット（ＶＳ）は、太陽歯車（ＳＯ＿ＶＳ）と、内歯歯車（ＨＯ＿ＶＳ）と、内側及び外側遊星歯車（Ｐ１＿ＶＳ、Ｐ２＿ＶＳ）が回転可能に取り付けられている結合されたキャリヤー（ＳＴ＿ＶＳ）と、を有しており、
・プリシフトギヤセット（ＶＳ）の内側遊星歯車（Ｐ１＿ＶＳ）が、プリシフトギヤセット（ＶＳ）の太陽歯車（ＳＯ＿ＶＳ）及び外側遊星歯車（Ｐ２＿ＶＳ）と噛み合い、
・プリシフトギヤセット（ＶＳ）の外側遊星歯車（Ｐ２＿ＶＳ）が、プリシフトギヤセット（ＨＳ）の内側遊星歯車（Ｐ１＿ＶＳ）と内歯歯車（ＨＯ＿ＶＳ）と噛み合い、
・プリシフトギヤセット（ＶＳ）のキャリヤー（ＳＴ＿ＶＳ）が、駆動軸（ＡＮ）と常時結合しているプリシフトギヤセット（ＶＳ）の入力エレメントを形成し、
・プリシフトギヤセット（ＶＳ）の内歯歯車（ＨＯ＿ＶＳ）が、メインギヤセット（ＨＳ）の入力エレメントと結合可能なプリシフトギヤセット（ＶＳ）の出力エレメントを形成し、
・プリシフトギヤセット（ＶＳ）の太陽歯車（ＳＯ＿ＶＳ）が、ギヤハウジング（ＧＧ）に固定されており、
メインギヤセット（ＨＳ）が、減少された３キャリヤーギヤ（reduziertes Dreisteg-Getriebe）として形成されており、３個の太陽歯車（Ｓ１＿ＨＳ，Ｓ２＿ＨＳ，Ｓ３＿ＨＳ）と、結合された内歯歯車（Ｈ１３＿ＨＳ）と、第２内歯歯車（Ｈ２＿ＨＳ）と、結合されたキャリヤー（ＳＴ１３＿ＨＳ）と、それに回転可能に取り付けられている長い遊星歯車（Ｐ１３＿ＨＳ）と、第２キャリヤー（ＳＴ２＿ＨＳ）と、それに回転可能に取り付けられている短い遊星歯車（Ｐ２＿ＨＳ）と、を備えており、
・メインギヤセット（ＨＳ）の第３太陽歯車（Ｓ３＿ＨＳ）が、軸方向にメインギヤセット（ＨＳ）の第１太陽歯車（Ｓ１＿ＨＳ）と第２太陽歯車（Ｓ２＿ＨＳ）との間に配置されており、
・メインギヤセット（ＨＳ）の長い遊星歯車（Ｐ１３＿ＨＳ）が、メインギヤセット（ＨＳ）の、結合された内歯歯車（Ｈ１３＿ＨＳ）と第１及び第３太陽歯車（Ｓ１＿ＨＳ，Ｓ３＿ＨＳ）と噛み合い、
・メインギヤセット（ＨＳ）の短い遊星歯車（Ｐ２＿ＨＳ）が、メインギヤセット（ＨＳ）の第２内歯歯車（Ｈ２＿ＨＳ）と第２太陽歯車（Ｓ２＿ＨＳ）と噛み合い、
・メインギヤセット（ＨＳ）の第２及び第３太陽歯車（Ｓ２＿ＨＳ、Ｓ３＿ＨＳ）が、相互に堅く結合しており、
・メインギヤセット（ＨＳ）の第１太陽歯車（Ｓ１＿ＨＳ）が、メインギヤセット（ＨＳ）の第１入力エレメントを形成し、第２、第３、第６シフトエレメント（Ｂ，Ｃ，Ｆ）の出力エレメント（２３０，３３０，６３０）と結合しており、
・メインギヤセット（ＨＳ）の結合された内歯歯車（Ｈ１３＿ＨＳ）が、メインギヤセット（ＨＳ）の第２入力エレメントを形成し、第１シフトエレメント（Ａ）の出力エレメント（１３０）と結合しており、
・メインギヤセット（ＨＳ）の第２キャリヤー（ＳＴ２＿ＨＳ）が、メインギヤセット（ＨＳ）の第３入力エレメントを形成し、第４及び第５シフトエレメント（Ｄ，Ｅ）の出力エレメント（４３０，５３０）と結合しており、
・メインギヤセット（ＨＳ）の結合されたキャリヤー（ＳＴ１３＿ＨＳ）と第２内歯歯車（Ｈ２＿ＨＳ）とが、相互に堅く結合しており、メインギヤセット（ＨＳ）の出力エレメントを形成し、出力軸（ＡＢ）と結合している［図１８＋１９＋２０］
ことを特徴とする請求項１乃至７２のいずれかに記載の多段自動変速機。
【請求項７６】
メインギヤセット（ＨＳ）の結合されたキャリヤー（ＳＴ１３＿ＨＳ）は、軸方向に第１及び第３太陽歯車（Ｓ１＿ＨＳ，Ｓ３＿ＨＳ）の間で径方向において内側に向かって貫いているキャリヤープレートを有しており、当該キャリヤープレートとねじれ強く作用結合し且つ出力軸（ＡＢ）と作用結合しているハブが、メインギヤセット（ＨＳ）の第１太陽歯車（Ｓ１＿ＨＳ）の中央を軸方向に貫いている［図１８＋１９＋２０］
ことを特徴とする請求項７５に記載の多段自動変速機。
【請求項７７】
シフトエレメント（ＡからＦ）を選択的に閉じることにより、あるギヤからそのすぐ上またはそのすぐ下のギヤにシフトする際に、今作動している複数のシフトエレメントのうち、そのつど、１つのシフトエレメントのみが開けられ、もう１つのシフトエレメントが閉じられる、というように駆動軸（ＡＮ）の回転数が出力軸（ＡＢ）に伝達可能であって、少なくとも前進８速がシフト可能であり、
・前進第１速では第１及び第４シフトエレメント（Ａ，Ｄ）が、
・前進第２速では第１及び第３シフトエレメント（Ａ，Ｃ）が、
・前進第３速では第１及び第２シフトエレメント（Ａ，Ｂ）が、
・前進第４速では第１及び第６シフトエレメント（Ａ，Ｆ）が、
・前進第５速では第１及び第５シフトエレメント（Ａ，Ｅ）が、
・前進第６速では第５及び第６シフトエレメント（Ｅ，Ｆ）が、
・前進第７速では第２及び第５シフトエレメント（Ｂ，Ｅ）が、
・前進第８速では第３及び第５シフトエレメント（Ｃ，Ｅ）が
閉じられて、及び／または、
後進ギヤでは第４シフトエレメント（Ｄ）、及び、追加的に第２シフトエレメント（Ｂ）または第６シフトエレメント（Ｆ）、が閉じられる
ことを特徴とする請求項１乃至７６のいずれかに記載の多段自動変速機。
【発明の詳細な説明】
【技術分野】
【０００１】
本発明は、特許請求の範囲の請求項１の上位概念に従う、多段自動変速機に関する。
【背景技術】
【０００２】
レンジシフトなしでシフト可能な多段自動変速機は、種々知られている。ＵＳ５，１０６，３５２からは６速自動変速機が知られており、当該変速機ではシングルのプリシフト（前置）遊星歯車セットがラビニヨ式遊星歯車セットとして形成されている２キャリヤー（Steg）4軸メインギヤセットに対して同軸に配置されており、５個のシフトエレメントが備えられている。この場合、プリシフト遊星歯車セットは、シフトできない減速段としてギヤハウジングに固定された太陽歯車とともに形成されており、その出力回転数は、前記自動変速機の駆動軸の回転数よりも少なく、２個のクラッチを介してメインギヤセットの異なる２つのエレメントに伝達可能であり、そこでは、この２つエレメントの１つがさらに第１ブレーキを経て（介して）ギヤハウジングに固定可能である。この入力エレメントは、選択的にプリシフトギヤセットの出力エレメントとも結合可能であり、また、ギヤハウジングに固定することもできるのだが、以下では「メインギヤセットの第１入力エレメント」と称する。これに応じて、前記プリシフトギヤセットの出力エレメントとも結合できる前記メインギヤセットのもう一方の入力エレメントは、以下では「メインギヤセットの第２入力エレメント」と称する。この駆動軸の回転数は、第３クラッチを介してメインギヤセットの第３入力エレメントに伝達でき、そこでは、この第３エレメントは、第2ブレーキを経てギヤハウジングにも固定することができる。前記メインギヤセットの第４エレメントは、メインギヤセットの出力エレメントを形成し、そしてもっぱら自動変速機の出力軸としっかりと結合している。
【０００３】
ＵＳ５，１０６，３５２に記述されたこの自動変速機に関する、構成要素の多数の代替配置は、例えばＵＳ６，１３９，４６３およびＤＥ１０２１０３４８Ａ１から知られている。
【０００４】
本件出願人の未公開のドイツ特許出願ＤＥ１０２２１０９５．０には、ＵＳ５，１０６，３５２で公知の６速自動変速機から７速自動変速機への更なる展開が記述されている。ＵＳ５，１０６，３５２と比べて、このプリシフト遊星歯車セットは、シングルでシフト可能なプラス遊星歯車セットがダブル遊星構造で形成されており、さらに第６シフトエレメントが付加されている。この場合、前記プリシフト遊星歯車セットのキャリヤー（Steg）は、自動変速機の駆動軸と強固に結合されたプリシフト遊星歯車セットの入力エレメントを形成している。このプリシフト遊星歯車セットの太陽歯車は、ＵＳ５，１０６，３５２に対して追加された第６シフトエレメントを経てギヤハウジングに固定できる。それに応じて、前記プリシフト遊星歯車セットの内歯歯車は、前記メインギヤセットの２つの異なるエレメントと結合できるプリシフト遊星歯車セットの出力エレメントを形成し、駆動軸の回転数より少ないか同数の回転数で回転する。個々のギヤセットエレメントおよびシフトエレメントの動的結合に関しては、ＤＥ１０２２１０９５．０が、ギヤコンポーネントの配置の多数の変形を相互に比較して開示している。
【０００５】
ＪＰ２００１／１８２７８５Ａでは、ＵＳ５，１０６，３５２から公知の６速自動変速機から８速自動変速機への更なる展開が記述されている。そこでは、ＵＳ５，１０６，３５２と比べて、プリシフト遊星歯車セットは、シングルでシフトできないプラス遊星歯車セットとしてダブル遊星歯車構造で形成されており、さらに第６シフトエレメントが付加されている。この場合、前記プリシフト遊星歯車セットのキャリヤー（Steg）は、前記自動変速機の駆動軸と強固に結合されたプリシフト遊星歯車セットの入力エレメントを形成している。プリシフト遊星歯車セットの太陽歯車は、ギヤハウジングに固定されている。それに応じて、前記プリシフト遊星歯車セットの内歯歯車は、前記メインギヤセットの２つの異なるエレメントと結合できるプリシフト遊星歯車セットの出力エレメントを形成し、常に駆動軸の回転数より少ない回転数で回転する。ＵＳ５，１０６，３５２と比べて付加された第６シフトエレメントを介して、選択的に前記プリシフト遊星歯車セットの出力エレメントとも結合可能であるしまたはギヤハウジングに固定することも可能である前期メインギヤセットの第１入力エレメントは、今度は、選択的にギヤの駆動軸とも結合できる。シフトエレメントの相互に対する及び遊星歯車セットに対する空間的配置に関しては、それを介して前記メインギヤセットの第１および第２入力エレメントがプリシフト遊星歯車セットの内歯歯車と結合できるという２つのシフトエレメントを、ＵＳ５，１０６，３５２に対して付加された第６シフトエレメントとともに、1つのアッセンブリーとして、プリシフト遊星歯車セットとメインギヤセットとの間で軸方向に配置することが、ＪＰ２００１／１８２７８５Ａで提案されている。このとき、ＵＳ５，１０６，３５２から既知の（第５）シフトエレメントは、当該エレメントを介して駆動軸がメインギヤセットの第３入力エレメントと結合可能になるのだが、メインギヤセットの前記アッセンブリーに向いた側、つまりメインギヤセットのプリシフト遊星歯車セットに背いた側、に配置されている。ＪＰ２００１／１８２７８５Ａはさらに、ＵＳ５，１０６，３５２に対して付加された第６シフトエレメントを、前述のアッセンブリーの内側で空間的に見てシフトエレメントの上で径方向に配置し、それを介してメインギヤセットの第１入力エレメントがプリシフト遊星歯車セットの内歯歯車と結合できる、ということを教えている。
【０００６】
本件出願人の未公開のドイツ特許出願ＤＥ１０３１８５６５．８の中では、ＪＰ２００１／１８２７８５Ａから知られている８速自動変速機の改良された構成が記述されている。ＵＳ５，１０６，３５２に準じた６速自動変速機の根底となっている基本設計に対して、比較的ごく僅かな設計上の変更のみを行えばよいというように、ＤＥ１０３１８５６５．８の中では、６速自動変速機から知られたプリシフト遊星歯車セット、ラビニヨメインギヤセット、及び、最初の５つのシフトエレメントのギヤハウジング内での空間的位置を互いに相関的に維持すること、そして、ＵＳ５，１０６，３５２と比較してさらに第６シフトエレメントを、ギヤハウジングの中で駆動エンジンに向いているギヤ側に、空間的に見て駆動側のギヤハウジング壁と、それを介してプリシフト遊星歯車セットの出力エレメントがメインギヤセットの第２入力エレメントと結合できる第１シフトエレメントとの間、さらに、空間的に見て、上述の駆動側のギヤハウジング壁とプリシフト遊星歯車セットとの間に配置すること、がＤＥ１０３１８５６５．８の中で提案されている。ＵＳ５，１０６，３５２と比較して付加されている第６シフトエレメントは、メインギヤセットに背いた、プリシフト遊星歯車セットの側に配置されている。
【発明の開示】
【発明が解決しようとする課題】
【０００７】
本発明の課題は、ＪＰ２００１／１８２７８５ＡないしＤＥ１０３１８５６５．８の中で述べられている前進８段付き多段自動変速機をさらに発展させ、遊星歯車セットおよび６つのシフトエレメントのための別の構成を創造することである。
【課題を解決するための手段】
【０００８】
本課題は、特許請求の範囲の請求項１が示す多段自動変速機の特徴によって解決される。本発明の有利な実施の形態や展開は下位請求項から明らかになる。
【０００９】
本発明は、ＪＰ２００１／１８２７８５Ａないし本件出願人の未公開のドイツ特許出願ＤＥ１０３１８５６５．８の中に記述された、駆動軸、出力軸、ダブル遊星歯車セットとして形成されているプリシフトギヤセット、結合された遊星歯車セットとして少なくとも３つの結合されていない入力エレメントと１つの出力エレメントで形成されているメインギヤセット、ならびに少なくとも６つのシフトエレメントを包括する、少なくとも前進８段を有する多段自動変速機用のギヤスキームを出発点にしている。これらシフトエレメントのそれぞれ２つを選択的に閉じることによって、駆動軸の回転数は、１つのギヤからその次の上または下のギヤへ切り替えられる際に今作動されているシフトエレメントによってそれぞれ１つのシフトエレメントだけが開かれもう１つのシフトエレメントは閉じられるというように、出力軸に伝達することができる。本件出願人の未公開のドイツ特許出願ＤＥ１０３１８５６５．８の全部の開示は、明らかに、本発明の開示の一部である。
【００１０】
プリシフトギヤセットの入力エレメントは、常時駆動軸と結合している。プリシフトギヤセットの出力エレメントは、常に駆動軸の回転数より少ない回転数で回転する。プリシフトギヤセットの第３エレメントは、ギヤハウジングに固定されている。プリシフトギヤセットの出力回転数は、２つのシフトエレメントを介してメインギヤセットの２つの異なる入力エレメントに伝達可能である。駆動軸の回転数も、他の２つのシフトエレメントを介して同様に、メインギヤセットの２つの異なる入力エレメントに伝達可能である。メインギヤセットの出力エレメントは、常時出力軸と結合している。
【００１１】
８速自動変速機としてのこのギヤスキームの好ましい実施の形態において、プリシフトギヤセットの（結合した）キャリヤーは、常に駆動軸と結合した入力エレメントを形成し、また、プリシフトギヤセットの内歯歯車は、そのメインギヤセットの２つの異なる入力エレメントと結合可能な出力エレメントを形成し、そしてプリシフトギヤセットの太陽歯車は、そのギヤハウジングに固定された第３エレメントを形成する。プリシフトギヤセットおよびメインギヤセットは、互いに同軸に配置されている。前記メインギヤセットは、２キャリヤー４軸ギヤとして「ラビニヨ遊星歯車セット」の構成で形成されていてもよく、メインギヤセットの第１入力エレメントとして第１太陽歯車があり、それは選択的にプリシフトギヤセットの内歯歯車または駆動軸と結合可能またはギヤハウジングに固定可能であり、また、メインギヤセットの第２入力エレメントとして第２太陽歯車があり、それはプリシフトギヤセットの内歯歯車と結合可能であり、また、メインギヤセットの第３入力エレメントとして（結合）キャリヤーがあり、それが選択的に駆動軸と結合可能またはギヤハウジングに固定可能であり、さらに、メインギヤセットの出力エレメントとして内歯歯車があり、それは常時出力軸と結合している。この場合には、
・第１シフトエレメントの入力エレメントは、プリシフトギヤセットの出力エレメントと結合しており、
・第１シフトエレメントの出力エレメントは、メインギヤセットの第２入力エレメントと結合しており、
・第２シフトエレメントの入力エレメントは、プリシフトギヤセットの出力エレメントと結合しており、
・第２シフトエレメントの出力エレメントは、メインギヤセットの第１入力エレメントと結合しており、
・第３シフトエレメントの入力エレメントは、ギヤハウジングと結合しており、
・第３シフトエレメントの出力エレメントは、メインギヤセットの第１入力エレメントと結合しており、
・第４シフトエレメントの入力エレメントは、ギヤハウジングと結合しており、
・第４シフトエレメントの出力エレメントは、メインギヤセットの第３入力エレメントと結合しており、
・第５シフトエレメントの入力エレメントは、出力軸と結合しており、
・第５シフトエレメントの出力エレメントは、メインギヤセットの第３入力エレメントと結合しており、
・第６シフトエレメントの入力エレメントは、駆動軸と結合しており、
・第６シフトエレメントの出力エレメントは、メインギヤセットの第１入力エレメントと結合しており、
・メインギヤセットの出力エレメントは、常時出力軸と結合している。
【００１２】
しかし、当該メインギヤセットは、２つの結合された１キャリヤー遊星歯車セットを備えた２キャリヤー４軸ギヤとして形成されていてもよい。その場合、例えば選択的にプリシフトギヤセットの内歯歯車または駆動軸と結合可能あるいはギヤハウジングに固定可能なこのメインギヤセットの第１入力エレメントは、メインギヤセットのこの２つの１キャリヤー遊星歯車セットの第１セットの太陽歯車と、当該メインギヤセットの当該第１太陽歯車と結合している、メインギヤセットのこの２つの１キャリヤー遊星歯車セットの第２セットのキャリヤーと、によって形成される。そしてまたその場合、プリシフトギヤセットの内歯歯車と結合可能な、このメインギヤセットの第２入力エレメントは、メインギヤセットのこの２つの１キャリヤー遊星歯車セットの第２セットの太陽歯車によって形成される。そしてまたその場合、選択的に駆動軸と結合可能またはギヤハウジングに固定可能な、メインギヤセットの第３入力エレメントは、メインギヤセットのこの２つの１キャリヤー遊星歯車セットの第１セットのキャリヤーと、メインギヤセットの当該第１キャリヤーと結合したメインギヤセットの２つの１キャリヤー遊星歯車セットの第２セットの内歯歯車と、によって形成される。そしてまたその場合、メインギヤセットのこの２つの１キャリヤー遊星歯車セットの第１セットの内歯歯車が、このメインギヤセットの出力エレメントとして常時、出力軸と結合している。この場合、６つのシフトエレメントの入力および出力エレメントのメインギヤセットの３つの入力エレメントへの結合は、以前にラビニヨメインギヤセットの例で説明した結合に相当する。
【００１３】
メインギヤセットは、例えば３つの結合された１キャリヤー遊星歯車セットを備えた「３キャリヤー５軸ギヤ」として形成されていてもよく、あるいはまた、「減少された３キャリヤー５軸ギヤ」として、３つ結合された１キャリヤー遊星歯車セットを備えて形成されていてもよい。そのギヤセットの場合、シングル遊星歯車セットの少なくとも２つが１つの共通したキャリヤーともう１つの共通したセンターギヤとを介して（つまり、その太陽歯車を介すか、またはその内歯歯車を介すかして）相互に結合（「減少」）される。同様に、さらにメインギヤセットは、例えば「減少された４キャリヤー６軸ギヤ」として形成されてもよい。その場合、原理的に存在する４つの相互に結合したシングル遊星歯車セットは、メインギヤセットがわずか２つのキャリヤーしか有しないというように、まとめられる。「２キャリヤー４軸遊星歯車セット」タイプのメインギヤセットの入力エレメントへの６シフトエレメントの結合と異なり、第３および第６シフトエレメントの入力および出力エレメントのメインギヤセットの個々のエレメントへの動的結合に関しては、様々な可能性が示される。この場合、以下が認められる。
・第３シフトエレメントの入力エレメントは、ギヤハウジングと結合している
・第３シフトエレメントの出力エレメントは、メインギヤセットの第１入力エレメント、または、回転数表（Drehzahlplan）の中で当該第１入力エレメントに隣接するメインギヤセットの入力エレメント、と結合している
・第６シフトエレメントの入力エレメントは、駆動軸と結合している
・第６シフトエレメントの出力エレメントは、メインギヤセットの第１入力エレメント、または、回転数表（Drehzahlplan）の中で当該第１入力エレメントに隣接するメインギヤセットの入力エレメント、と結合している。
【００１４】
言及されたすべての実施の形態の変形において、前進第１速では第１および第４シフトエレメントが閉じられ、前進第２速では第１および第３シフトエレメントが閉じられ、前進第３速では第１および第２シフトエレメントが閉じられ、前進第４速では第１および第６シフトエレメントが閉じられ、前進第５速では第１および第５シフトエレメントが閉じられ、前進第６速では第５および第６シフトエレメントが閉じられ、前進第７速では第２および第５シフトエレメントが閉じられ、そして前進第８速では第３および第５シフトエレメントが閉じられる。後進段では、第４シフトエレメントおよび追加的に第２または第６シフトエレメントが閉じられる。
【００１５】
本発明に従って、第６シフトエレメントの作動のためのサーボ装置が常時メインギヤセットの第１入力エレメントの回転数で回転すること、が提案される。この場合、メインギヤセットの第１入力エレメントと結合した第６シフトエレメントの出力エレメントが、第６シフトエレメントのサーボ装置を受け入れる。一般に、第６シフトエレメントのサーボ装置は、少なくとも、１つの圧力室と、第６シフトエレメントのディスクパックの動作のための１本のピストンと、更に好ましくは回転する圧力室の躍動する（動的な）クラッチ圧を調整するための圧力調整室と、を備える。第６シフトエレメントのサーボ装置は、第６シフトエレメントの出力回転数で常時回転し、当該出力回転数は、変速機の出力回転数と運動学的に結合されているので、第６シフトエレメントの動作の際のクラッチ圧の制御ないし調整は、動的な圧力調整が構造的に理想的でなく設計されたり動的な圧力調整が全く設けられない時でさえ、当該制御の過程で生じる変速機の駆動軸の不所望の回転数変化に対して相対的に鈍感である。このような不所望の回転数変化は、例えば、変速機を駆動する内燃エンジンの不規則な運転（作業）によって引き起こされる。更なる利点は、変速機のより大きな運転レンジ、すなわち、変速機の第１速、第２速、第３速、第７速、第８速の前進段、において、従来技術に対して低減される第６シフトエレメントのサーボ装置の回転数レベルである。第６シフトエレメントのサーボ装置の回転する圧力室における圧力媒体の導入にとって好適なように、第３速から第４速の前進段へのギヤチェンジの際、及び、第７速から第６速の前進段へのギヤチェンジの際、シフト開始のための当該圧力室の充填は、従来技術と比較して、より低い回転数レベルから開始される。
【００１６】
メインギヤセットの第１入力エレメントに同様に運動学的に結合された第２シフトエレメントの動作のためのサーボ装置は、第２シフトエレメントの第６シフトエレメント及び遊星歯車ギヤセットに対する相対的な空間配置位置に応じて、メインギヤセットの第１入力エレメントの回転数で上記回転するか、あるいは、第２シフトエレメントの出力エレメントの回転数で常時回転する。第２シフトエレメントのサーボ装置は、また、メインギヤセットの第１入力エレメントに結合された第２シフトエレメントの出力エレメントによって受容されるか、あるいは、プリシフトギヤセットの出力エレメントに結合された第２シフトエレメントの入力エレメントによって受け入れられる。一般に、第２シフトエレメントのサーボ装置は、少なくとも、１つの圧力室と、第２シフトエレメントのディスクパックの動作のための１本のピストンと、更に好ましくは回転する圧力室の躍動する（動的な）クラッチ圧を調整するための圧力調整室と、を備える。
【００１７】
本発明の第１の実施の形態において、構成要素の配置に関して、第２および第６シフトエレメントが、空間的に見て、少なくとも部分的にプリシフトギヤセットとギヤハウジングの径方向に延びるハウジング壁との間の軸方向のある範囲に配置されており、空間的に見て、プリシフトギヤセットのメインギヤセットに背いた側に配置されている、ということが提案される。このハウジング壁は、当該変速機の駆動エンジンに向いているギヤハウジングの外側壁であり得る。
【００１８】
本発明の第２の実施の形態において、構成要素の配置に関して、第２および第６シフトエレメントが、空間的に見て、少なくとも部分的にプリシフトギヤセットとメインギヤセットとの間の軸方向のある範囲に配置されている、ということが提案される。
【００１９】
本発明の第１及び第２の実施の形態において、第２及び第６シフトエレメントは、好ましくは、互いに直接に隣接して配置されている。そして、第２及び第６シフトエレメントは１つのアッセンブリー（Baugruppe）を形成し、当該アッセンブリーは、空間的に見て、軸方向に第１及び第３シフトエレメントの間であって、及び／または、軸方向に第１シフトエレメントとメインギヤセットとの間であって、及び／または、軸方向に第５及び第３シフトエレメントの間であって、及び／または、軸方向に第５シフトエレメントとメインギヤセットとの間であって、及び／または、軸方向に第１シフトエレメント（特には第１シフトエレメントのディスクパック）に隣接して、及び／または、軸方向に第３シフトエレメント（特には第３シフトエレメントのディスクパック）に隣接して、配置され得る。
【００２０】
本発明の第１及び第２の実施の形態の幾つかの態様では、第２シフトエレメント及びこれに隣接する第６シフトエレメントに共通のディスクキャリヤーを設けることが提案される。それは、各々、様々な構造上の形態を有する。例えば、この共通ディスクキャリヤーは、第６シフトエレメントのアウターディスクキャリヤーとして、及び、第２シフトエレメントのインナーディスクキャリヤーとして、形成される。あるいは、この共通ディスクキャリヤーは、第２シフトエレメントのアウターディスクキャリヤーとして、及び、第６シフトエレメントのインナーディスクキャリヤーとして、形成される。あるいは、両方のシフトエレメントのアウターディスクキャリヤーとして、形成される。軸方向に見て、第２シフトエレメントのディスクパックは、少なくとも一部が径方向に第６シフトエレメントのディスクパックの上方に、あるいは、少なくとも一部が径方向に第６シフトエレメントのディスクパックの下方に、あるいは、第６シフトエレメントのディスクパックに軸方向に隣接して、配置され得る。
【００２１】
本発明の第３の実施の形態において、構成要素の配置に関して、第６シフトエレメントが、空間的に見て、少なくとも部分的にプリシフトギヤセットとギヤハウジングの径方向に延びるハウジング壁との間の軸方向のある範囲に配置され、空間的に見て、プリシフトギヤセットのメインギヤセットに背いた側に配置され、第２シフトエレメントが、空間的に見て、少なくとも部分的にプリシフトギヤセットとメインギヤセットとの間の軸方向のある範囲に配置される、ということが提案される。この場合、好ましくは、第５シフトエレメントが、空間的に見て、軸方向にプリシフトギヤセットとメインギヤセットとの間に配置され、軸方向にプリシフトギヤセットに隣接される。このハウジング壁は、当該変速機の駆動エンジンに向いているギヤハウジングの外側壁であり得る。
【００２２】
本発明の第４の実施の形態において、構成要素の配置に関して、第２シフトエレメントが、空間的に見て、少なくとも部分的にプリシフトギヤセットとギヤハウジングの径方向に延びるハウジング壁との間の軸方向のある範囲に配置され、空間的に見て、プリシフトギヤセットのメインギヤセットに背いた側に配置され、第６シフトエレメントが、空間的に見て、少なくとも部分的にプリシフトギヤセットとメインギヤセットとの間の軸方向のある範囲に配置される、ということが提案される。この場合、好ましくは、第２シフトエレメントが、空間的に見て、第１シフトエレメントの第６シフトエレメントと反対の側に配置される。第６シフトエレメントは、空間的に見て、軸方向に第５及び第３シフトエレメントの間であって、及び／または、軸方向に第５シフトエレメントとメインギヤセットとの間であって、及び／または、軸方向に第５シフトエレメント（Ｅ）に隣接して、及び／または、軸方向に第３シフトエレメントに隣接して、配置され得る。このハウジング壁は、当該変速機の駆動エンジンに向いているギヤハウジングの外側壁であり得る。
【００２３】
前述の第２および第６シフトエレメント並びにそのサーボ装置の構造的な様々な形態の各々において、第２および第６シフトエレメントのそれぞれのディスクパックは、それらが閉じる際に（それぞれのサーボ装置の圧力室と当該圧力室に組み込まれたピストンの運動方向とに基づき）、押されるかまたは引かれるかして作動され得る。それに応じて、第２および第６シフトエレメントのディスクを作動させるためのそれぞれの圧力室の空間的配置に関して、そして第２および第６シフトエレメントのサーボ装置のそれぞれの圧力調整室（回転する圧力室の旋回圧を躍動的に調整するために存在する）の空間的配置に関して、相互の関係や隣接する構成要素に対する関係について、多様な変形も明らかである。
【００２４】
第２シフトエレメントのディスクパックが軸方向に見て少なくとも部分的に径方向に第６シフトエレメントのディスクパックの上方に配置されている構成との関連で、特に以下の有意な変形が生じる。その特徴は、少なくとも一部において相互に組み合わせられ得る。
・第６シフトエレメントのディスクパックとサーボ装置とが、第２シフトエレメントのアウターディスクキャリヤーによって形成される第２シフトエレメントのクラッチ室内に、少なくとも大部分が配置される 
・第２および第６シフトエレメントのサーボ装置が、プリシフトギヤセットに背いた、第２および第６シフトエレメントのディスクパック側に、少なくとも大部分が配置される 
・第６シフトエレメントのサーボ装置の圧力室が、第２シフトエレメントのサーボ装置の圧力室よりもプリシフトギヤセットの近くに配置される 
・第６シフトエレメントのサーボ装置の圧力室が、第２シフトエレメントのサーボ装置の圧力調整室に対し、軸方向に隣接して配置され、なかんずく第２および第６シフトエレメント用の共通ディスクキャリヤーのシェルによって圧力調整室から分離される
・第２および第６シフトエレメントのサーボ装置の圧力室が、軸方向に相互に隣接して配置され、なかんずく第２および第６シフトエレメント用の共通ディスクキャリヤーのシェルによって互いに分離される 
・第２シフトエレメント（ないし第２シフトエレメントのディスクを作動させるための、ピストンと結合した作動エレメント）のサーボ装置のピストンが、軸方向に第２シフトエレメントのディスクパックを径方向外側で包摂（包囲）する
・第２シフトエレメントのサーボ装置の圧力室が、軸方向に見て、少なくとも大部分が径方向に第６シフトエレメントのサーボ装置の圧力室上に配置される
・第２シフトエレメントのサーボ装置の圧力調整室が、軸方向に見て、少なくとも大部分が径方向に第６シフトエレメントのサーボ装置の圧力調整室上に配置される
・第２シフトエレメントのサーボ装置の圧力調整室が、第６シフトエレメントのサーボ装置の圧力調整室を介して、潤滑材で充填される
・第２シフトエレメントのサーボ装置の圧力調整室が、第２シフトエレメントのサーボ装置の圧力室よりもプリシフトギヤセットの近くに配置される
・第６シフトエレメントのサーボ装置の圧力調整室が、第６シフトエレメントのサーボ装置の圧力室よりもプリシフトギヤセットの近くに配置される
【００２５】
第６シフトエレメントのディスクパックが軸方向に見て少なくとも部分的に径方向に第２シフトエレメントのディスクパックの上に配置されている構成との関連で、特に以下の有意な変形が生じる。その特徴は、少なくとも一部において相互に組み合わせられ得る。
・第２シフトエレメントのディスクパックとサーボ装置とが、第６シフトエレメントのアウターディスクキャリヤーによって形成される第６シフトエレメントのクラッチ室内に、少なくとも大部分が配置される
・第２および第６シフトエレメントのサーボ装置が、プリシフトギヤセットに軸方向に隣接して配置され、第２および第６シフトエレメントのディスクパックは、プリシフトギヤセットに背いた、第２および第６シフトエレメントのサーボ装置側に配置される
・第２シフトエレメントのサーボ装置の圧力室が、第６シフトエレメントのサーボ装置の圧力調整室に対し、軸方向に隣接して配置され、なかんずく第２および第６シフトエレメント用の共通ディスクキャリヤーのシェルによって圧力調整室から分離される
・第２および第６シフトエレメントのサーボ装置の圧力室が、相互に軸方向に隣接して配置され、なかんずく第２および第６シフトエレメント用の共通ディスクキャリヤーのシェルによって互いに分離される
・第６シフトエレメントのサーボ装置の圧力室が、軸方向に見て、少なくとも大部分が径方向に第２シフトエレメントのサーボ装置の圧力室の上に配置される
・第６シフトエレメントのサーボ装置の圧力調整室が、軸方向に見て、少なくとも大部分が径方向に第２シフトエレメントのサーボ装置の圧力調整室の上に配置される
・第６シフトエレメントのサーボ装置の圧力調整室が、第２シフトエレメントのサーボ装置の圧力調整室を介して、潤滑材で充填される
・第２シフトエレメントのサーボ装置の圧力室が、第２シフトエレメントのサーボ装置の圧力調整室よりもプリシフトギヤセットの近くに配置される 
・第６シフトエレメントのサーボ装置の圧力室が、第６シフトエレメントのサーボ装置の圧力調整室よりもプリシフトギヤセットの近くに配置される
【００２６】
第２および第６シフトエレメントのディスクパックが軸方向に相並んで配置される構成との関連で、特に以下の有意な変形が生じる。その特徴は、相互に組み合わせられ得る。
・第６シフトエレメントのサーボ装置の圧力室が、第２シフトエレメントのサーボ装置の圧力室よりもプリシフトギヤセットの近くに配置される
・第６シフトエレメント（ないし第６シフトエレメントのディスクを作動させるための、ピストンと結合した作動エレメント）のサーボ装置のピストンが、軸方向に第２および第６シフトエレメントのディスクパックを径方向外側で包摂（包囲）する 
【００２７】
第２シフトエレメントが空間的に見て少なくとも部分的にプリシフトギヤセットとメインギヤセットとの間の軸方向のある範囲に配置され、第６シフトエレメントが空間的に見て少なくとも部分的にプリシフトギヤセットのメインギヤセットに背いた側に配置され、第６シフトエレメントが動的な圧力調整を利用できる、という構成との関連で、特に以下の有意な変形が生じる。
・第６シフトエレメントのサーボ装置の圧力室が、第６シフトエレメントのサーボ装置の動的な圧力調整の圧力調整室よりもプリシフトギヤセットの近くに配置される
・第６シフトエレメントのサーボ装置の圧力調整室が、第６シフトエレメントのサーボ装置の圧力室よりもプリシフトギヤセットの近くに配置される
第２シフトエレメントが空間的に見て少なくとも部分的にプリシフトギヤセットのメインギヤセットに背いた側に配置され、第６シフトエレメントが空間的に見て少なくとも部分的にプリシフトギヤセットとメインギヤセットとの間の軸方向のある範囲に配置され、第６シフトエレメントが動的な圧力調整を利用できる、という構成との関連で、合目的な態様で、第６シフトエレメントのサーボ装置の圧力調整室が、第６シフトエレメントのサーボ装置の圧力室よりもプリシフトギヤセットの近くに配置される。
【００２８】
前述の本発明による構成配置に応じて、プリシフトギヤセットの出力エレメントと結合している第２シフトエレメントの入力エレメントおよび／またはギヤの駆動軸と結合している第６シフトエレメントの入力エレメントは、軸方向に第２および第６シフトエレメントのディスクパックを径方向外側で包摂（包囲）する、ということが考慮され得る。それに追加的に、あるいは、それの替わりに、メインギヤセットの第１入力エレメントと結合された第２シフトエレメントの出力エレメント及びメインギヤセットの第１入力エレメントと結合された第６シフトエレメントの出力エレメントが、軸方向に第１および第５シフトエレメントを径方向外側で完全に包摂（包囲）し得る。あるいは、第２シフトエレメントの出力エレメントは、第６シフトエレメントのアウターディスクキャリヤーによって形成された第６シフトエレメントのクラッチ室を、軸方向に貫いて延びることができる。
【発明を実施するための最良の形態】
【００２９】
本発明は、以下に図に基いて詳述される。その際、すべての図中で対応するコンポーネントの参照記号は、同様に表示されている。
・図１Ａは、同類の従来技術に準拠した変速機の概略図
・図１Ｂは、図１Ａに従う変速機のシフト表
・図１Ｃは、図１Ａに従う変速機の回転数表（回転数チャート）
・図２は、本発明に従う第１の実施の形態に係る変速機のスキームを示す概略図
・図３は、本発明に従う第２の実施の形態に係る変速機のスキームを示す概略図
・図４は、本発明に従う第３の実施の形態に係る変速機のスキームを示す概略図
・図５は、本発明に従う第４の実施の形態に係る変速機のスキームを示す概略図
・図６は、本発明に従う第５の実施の形態に係る変速機のスキームを示す概略図
・図７は、本発明に従う第６の実施の形態に係る変速機のスキームを示す概略図
・図８は、本発明に従う第７の実施の形態に係る変速機のスキームを示す概略図
・図９は、本発明に従う第８の実施の形態に係る変速機のスキームを示す概略図
・図１０は、本発明に従う第９の実施の形態に係る変速機のスキームを示す概略図
・図１１は、本発明に従う第１０の実施の形態に係る変速機のスキームを示す概略図
・図１２は、本発明に従う第１１の実施の形態に係る変速機のスキームを示す概略図
・図１３は、本発明に従う第１２の実施の形態に係る変速機のスキームを示す概略図
・図１４は、本発明に従う第１３の実施の形態に係る変速機のスキームを示す概略図
・図１５は、本発明に従う第１４の実施の形態に係る変速機のスキームを示す概略図
・図１６は、本発明に従う第１５の実施の形態に係る変速機のスキームを示す概略図
・図１７は、図９に従う変速機スキームに基づくと共に、第１の代替メインギヤセットを用いた、本発明に従う第１６の実施の形態に係る変速機のスキームを示す概略図
・図１８は、図９に従う変速機スキームに基づくと共に、第２の代替メインギヤセットを用いた、本発明に従う第１７の実施の形態に係る変速機のスキームを示す概略図
・図１９は、図１８に従う変速機スキームに基づいた、本発明に従う第１８の実施の形態に係る変速機のスキームを示す概略図
・図２０は、図１８に従う変速機スキームに基づくと共に、第３の代替メインギヤセットを用いた、本発明に従う第１９の実施の形態に係る変速機のスキームを示す概略図
・図２１Ａは、図１８に従う変速機スキームに基づくと共に、第４の代替メインギヤセットを用いた、本発明に従う第２０の実施の形態に係る変速機のスキームを示す概略図
・図２１Ｂは、図２１Ａに従う変速機の回転数表（回転数チャート）
・図２２は、本発明に従う第２１の実施の形態に係る変速機のスキームを示す概略図
・図２３は、本発明に従う第２２の実施の形態に係る変速機のスキームを示す概略図
【００３０】
よりよい理解のために、まず本発明の根底になっている従来技術を説明する。図１Ａは、ＤＥ１０３１８５６５．８に従う同類の従来技術の変速機のスキームを示しており、図１Ｂは、それに相当するシフト表を示している。図１Ａでは自動変速機の駆動軸がＡＮで表示されており、それは、当該自動変速機の（描写されていない）駆動エンジンと作用結合している。図示された例では、トルクコンバーターを介して、トーションダンパーとコンバーターロックアップクラッチと作用結合している。ＡＢで、駆動軸ＡＮに対して同軸に配置された前記自動変速機の出力軸が示されている。当該出力軸は、少なくとも車両の１本の駆動軸と作用結合している。もちろん、トルクコンバーターの代わりに、摩擦クラッチも、自動変速機の始動エレメントとして、駆動エンジンと自動変速機との間に配置され得る。当該駆動エンジンは、シングルトーションダンパーか、デュアルウェイトフライホイールか、剛性軸か、を介してのみ、前記ギヤの駆動軸ＡＮと結合し得る。但し、その場合、前記自動変速機内に配置された摩擦シフトエレメントが当該変速機の始動エレメントとして形成されていなければならない。前記自動変速機は、プリシフトギヤセットＶＳと、同軸にこのプリシフトギヤセットＶＳの横(但し、すぐ横ではない)に配置されたメインギヤセットＨＳと、を有する。プリシフトギヤセットＶＳは、プラスの遊星歯車セットとして二重遊星機構で実現されており、１個の内歯歯車ＨＯ_ＶＳと、１個の太陽歯車ＳＯ_ＶＳと、２個のシングルキャリヤーから構成される１個のキャリヤーＳＴ_ＶＳとを備えている。当該キャリヤーには、太陽歯車ＳＯ_ＶＳと噛み合う内側遊星歯車Ｐ１_ＶＳと、内側遊星歯車Ｐ１_ＶＳ及び内歯歯車ＨＯ_ＶＳと噛み合う外側遊星歯車Ｐ２_ＶＳと、が回転可能に取り付けられている（軸支されている）。このとき、このプリシフトギヤセットＶＳは、シフト不能な減速段として作動し、当該自動変速機の駆動軸ＡＮの入力回転数より数量的に少ない出力回転数を発する。このために、プリシフトギヤセットＶＳの太陽歯車ＳＯ_ＶＳがギヤハウジングＧＧに固定されており、キャリヤーＳＴ_ＶＳは、常時、駆動軸ＡＮと結合している。また、内歯歯車ＨＯ_ＶＳは、プリシフトギヤセットＶＳの出力エレメントを形成し、２つのシフトエレメントＡ，Ｂを介してメインギヤセットＨＳの個々の入力エレメントと結合可能である。
【００３１】
メインギヤセットＨＳは、結合された２キャリヤー４軸遊星歯車として形成されており、相互に結合されていない３個の入力エレメントと１個の出力エレメントとを備え、ラビニヨギヤセットの構成で、２個の太陽歯車Ｓ１_ＨＳ及びＳ２_ＨＳと、１個の内歯歯車ＨＯ_ＨＳと、結合されたキャリヤーＳＴ_ＨＳと、を備えている。当該キャリーには、第１太陽歯車Ｓ１_ＨＳ及び内歯歯車ＨＯ_ＨＳと噛み合う長い遊星歯Ｐ１_ＨＳと、第２太陽歯車Ｓ２_ＨＳ及び長い遊星歯Ｐ１_ＨＳと噛み合う短い遊星歯Ｐ２_ＨＳと、が回転可能に取り付けられている。このとき、第１太陽歯車Ｓ１_ＨＳはメインギヤセットＨＳの第１入力エレメントを形成し、第２太陽歯車Ｓ２_ＨＳはメインギヤセットＨＳの第２入力エレメントを形成し、結合されたキャリヤーＳＴ_ＨＳはメインギヤセットＨＳの第３入力エレメントを形成し、内歯歯車ＨＯ_ＨＳはメインギヤセットＨＳの出力エレメントを形成する。
【００３２】
前記自動変速機は、ＡからＦまで合計６個のシフトエレメントを有している。シフトエレメントＡ，Ｂ，Ｅ及びＦは、クラッチとして形成され、シフトエレメントＣ及びＤは、ブレーキとして形成されている。これに加えて、メインギヤセットＨＳの第２太陽歯車Ｓ２_ＨＳは、第１シフトエレメントＡを介して、プリシフトギヤセットＶＳの内歯歯車ＨＯ_ＶＳと結合可能である。さらにこれに加えて、メインギヤセットＨＳの第１太陽歯車Ｓ１_ＨＳは、第２シフトエレメントＢを介して、プリシフトギヤセットＶＳの内歯歯車ＨＯ_ＶＳと結合可能であり、第３シフトエレメントＣを介して、ギヤハウジングＧＧに固定可能であり、第６シフトエレメントＦを介して、駆動軸ＡＮと結合可能である。さらにこれに加えて、メインギヤセットＨＳのキャリヤーＳＴ_ＨＳは、第４シフトエレメントＤを介してギヤハウジングＧＧに固定可能であり、第５シフトエレメントＥを介して駆動軸ＡＮと結合可能である。メインギヤセットＨＳの個々のエレメントの個々のシフトエレメントへのこのような結合の結果、メインギヤセットＨＳのキャリヤーＳＴ_ＨＳは、第５および第６シフトエレメントＥ，Ｆが同時締結することによって、メインギヤセットＨＳの第１太陽歯車Ｓ１_ＨＳとも結合できる。メインギヤセットＨＳの内歯歯車ＨＯ_ＨＳは、常時、そしてもっぱら、出力軸ＡＢと結合している。
【００３３】
図１Ｂは、図１Ａで示された多段自動変速機のシフト表を示している。それは、合計前進８速で、あるギヤからすぐ上またはすぐ下のギヤにシフトする際に、今作動している複数のシフトエレメントのうち、そのつど、１つのシフトエレメントのみが開けられ、もう１つのシフトエレメントが閉じられる、という方法でレンジシフトなしにシフト可能である。第１速「１」ではクラッチＡとブレーキＤが閉じており、第２速「２」ではクラッチＡとブレーキＣが閉じており、第３速「３」ではクラッチＡ及びＢが閉じており、第４速「４」ではクラッチＡ及びＦが閉じており、第５速「５」ではクラッチＡ及びＥが閉じており、第６速「６」ではクラッチＥ及びＦが閉じており、第７速「７」ではクラッチＢ及びＥが閉じており、第８速「８」ではブレーキＣとクラッチＥが閉じている。後進第１速「Ｒ１」ではクラッチＢとブレーキＤが閉じている。後進第２速「Ｒ２」が装備されていてもよく、そこでは、クラッチＦとブレーキＤが閉じる。図１Ｃは、図１Ａで示した多段自動変速機の回転数表（Drehzahlplan）を示している。
【００３４】
図１Ａに戻って、ディスクパックならびにシフトエレメントの入出力エレメントは、統一的に表示されている。第１シフトエレメントＡのディスクパックは１００で、第１シフトエレメントＡの入力エレメントは１２０で、第１シフトエレメントＡの出力エレメントは１３０で、また第１シフトエレメントＡのディスクパック１００を作動させるサーボ装置は１１０で、表示されている。それに応じて、他のシフトエレメントＢ，Ｃ，Ｄ，Ｅ及びＦのディスクパックは、２００，３００，４００，５００及び６００で表示され、また、他のシフトエレメントＢ，Ｅ及びＦの入力エレメントは、２２０、５２０及び６２０で表示されている。それに応じてまた、他のクラッチＢ，Ｃ，Ｄ，Ｅ及びＦの出力エレメントも、２３０，３３０，４３０，５３０及び６３０で表示され、他のクラッチＢ，Ｅ及びＦのそれぞれのディスクパック２００、５００及び６００を作動するためのサーボ装置は、２１０、５１０及び６１０で表示されている。
【００３５】
ＧＧで表示されたギヤハウジング内でのシフトエレメントとギヤセットとの相互に関係する空間的配置に関して、ＤＥ１０３１８５６５．８は次のように教える。クラッチとして形成されている第５シフトエレメントＥは、空間的に見て、軸方向にプリシフトギヤセットＶＳとメインギヤセットＨＳとの間に配置されており、軸方向に直接プリシフトギヤセットＶＳに隣接している。同様にクラッチとして形成されている第２シフトエレメントＢは、同じように軸方向にプリシフトギヤセットＶＳとメインギヤセットＨＳの間に配置されている。ただし、このクラッチＢのディスクパック２００は、空間的に見て、少しクラッチＥのディスクパック５００の径方向上方に配置されており、そしてクラッチＢのサーボ装置２１０は、軸方向にプリシフトギヤセットＶＳに背いた側でクラッチＥに隣接している。軸方向でメインギヤセットＨＳ方向に見て、クラッチＢには、まずブレーキとして形成されている第３シフトエレメントＣが、それから同様にブレーキとして形成されている第４シフトエレメントＤが、更にそれからメインギヤセットＨＳが隣接している。クラッチとして形成されている第１シフトエレメントＡのディスクパック１００は、空間的に見て、ほぼプリシフトギヤセットＶＳの上方に配置されている。このクラッチＡのサーボ装置１１０は、プリシフトギヤセットＶＳのメインギヤセットＨＳに背いた側に、少なくとも大部分が配置されている。クラッチＡのサーボ装置１１０のプリシフトギヤセットＶＳに背いた側、空間的に見て、軸方向にクラッチＡと駆動側のギヤハウジング固定のハウジング壁ＧＷとの間、すなわち、クラッチＡ及びプリシフトギヤセットＶＳの、メインギヤセットＨＳに背いた側に、クラッチとして形成された第６シフトエレメントＦが配置されている。
【００３６】
シフトエレメントのサーボ装置に関する実施の形態として、図１Ａに、第６シフトエレメントＦのサーボ装置６１０が詳しく記載されている。例えば、このサーボ装置６１０は、シリンダー形状のディスクキャリヤー内に配置されており、当該ディスクキャリヤーはクラッチＦの入力エレメント６２０を形成し、それに応じて、常に変速機の駆動軸ＡＮの回転数で回転する。サーボ装置６１０は、１つの圧力室６１１を有しており、当該圧力室は、クラッチＦのディスクキャリヤーのシェル断片と、サーボ装置６１０のピストン６１４と、によって形成される。この圧力室６１１に圧力を掛けると、ピストン６１４が、ここでは例示的にディスクスプリングとして形成されているサーボ装置６１０のリターンエレメントの力に抗して、軸方向にプリシフトギヤセットＶＳ方向に移動し、クラッチＦのディスクパック６００を作動するないしは閉じる。回転する圧力室６１１の躍動する（動的な）圧力を好適には完全に補償するために、サーボ装置６１０は、さらに、潤滑材で無圧で充填可能な圧力調整室６１２を有している。当該調整室６１２は、ピストン６１４の面とエアセンサープレート６１５とによって形成される。入力エレメント６２０は、ギヤハウジング固定のハブＧＮ上に回転可能に取り付けられており（軸支されており）、当該ハブは、ギヤハウジング固定のハウジング壁ＧＷから始まり、ギヤハウジングＧＧ内で軸方向にプリシフトギヤセットＶＳ方向にプリシフトギヤセットＶＳの太陽歯車ＳＯ_ＶＳまで延伸し、この太陽歯車ＳＯ_ＶＳと（互いに）回転しないように結合している。それに応じて、このギヤハウジング固定のハブＧＮは、クラッチＦの圧力室ないし圧力調整室への圧力材供給用および潤滑材供給用の導路も有している。
【００３７】
本発明に従う変速機のスキームないしコンポーネントの配置のための、本発明に従う以下のすべての実施の形態は、原理的には、図１Ａに表示された従来技術に従う自動変速機の動的（運動機構学的）構造に基づいており、それぞれ、駆動軸ＡＮと、出力軸ＡＢと、当該プリシフトギヤセットのエレメントの１つを介して常に駆動軸と結合していて当該駆動軸ＡＮの回転数より小さい出力回転数を発する、プラスの遊星歯車セットとしてダブル遊星歯車構造に形成されたプリシフトギヤセットＶＳと、少なくとも２つの相互に結合された遊星歯車セットで構成され少なくとも３つの独立した入力エレメント及び１つの独立した出力エレメントを有する、プリシフトギヤセットＶＳに対して同軸に配置されたメインギヤセットＨＳと、ＡからＦまでの６つのシフトエレメントと、を有している。それらの選択的締結によって、駆動軸ＡＮの回転数が、プリシフトギヤセットＶＳおよびメインギヤセットＨＳを介して、少なくとも前進８速がレンジシフトなしに切り替えできるというように伝達できる。このとき、プリシフトギヤセットＶＳの出力回転数は、第１シフトエレメントＡと第２シフトエレメントＢを介して、メインギヤセットＨＳの２つの異なる入力エレメントに伝達可能である。さらに、駆動軸ＡＮの回転数は、第５シフトエレメントＥを介してメインギヤセットＨＳの第３入力エレメントに伝達可能である。さらに駆動軸ＡＮの回転数は、第６シフトエレメントＦを介してメインギヤセットＨＳの入力エレメントに伝達可能であり、当該エレメントは第２シフトエレメントＢを介してプリシフトギヤセットＶＳの出力エレメントと接続可能である。さらにメインギヤセットＨＳの出力エレメントは、常に変速機の出力軸ＡＢと結合している。
【００３８】
図２から８に表示された、本発明に従う最初の７つの異なる変速機のスキームは、１つには、図１Ａに表示されたメインギヤセットＨＳのギヤセットタイプすなわちラビニヨ式メインギヤセットＨＳに、もう１つには、これも基本的に図１Ａで表示された変速機内のギヤセットおよびシフトエレメントのコンポーネントの配置に、基づいている。
【００３９】
図２に基づいて、これより、本発明に従う第１の例示的な変速機のスキームを、図１Ａに表示された従来技術に従う変速機のスキームに基づいて、説明する。図２から容易に分かるように、駆動軸ＡＮ及び当該駆動軸ＡＮと同軸に配置されている出力軸ＡＢと、プラスの遊星歯車セットとしてダブル遊星歯車構造に形成されているプリシフトギヤセットＶＳと、プリシフトギヤセットＶＳに対して同軸に配置されていて、結合された２キャリヤー４軸遊星ギヤとして２つの太陽歯車Ｓ１_ＨＳ、Ｓ２_ＨＳ及び唯一の内歯歯車ＨＯ_ＨＳを有するラビニヨ式ギヤセット構造で形成されているメインギヤセットＨＳと、駆動軸ＡＮの回転数をプリシフトギヤセットＶＳ及びメインギヤセットＨＳを介して出力軸ＡＢに伝達するための、６つの選択的な対（組）によってシフト可能なＡからＦまでのシフトエレメントと、を備えた変速機の動的構造は、図１Ａからそっくり引き継がれた。従って、図１Ａでのように、プリシフトギヤセットＶＳの太陽歯車ＳＯ_ＶＳは、ギヤハウジングＧＧに固定されており、プリシフトギヤセットＶＳの結合されたキャリヤーＳＴ_ＶＳは、変速機の駆動軸ＡＮと回転しないように常に結合されており、これによって、プリシフトギヤセットＶＳの内歯歯車ＨＯ_ＶＳは、駆動軸ＡＮの回転数に対して、プリシフトギヤセットＶＳの減速された出力回転数を発する。従って、図１Ａでのように、メインギヤセットＨＳの第１太陽歯車Ｓ１_ＨＳは、その第１入力エレメントを形成し、当該エレメントは、クラッチＢを介してプリシフトギヤセットＶＳの内歯歯車ＨＯ_ＶＳと、またクラッチＦを介して駆動軸ＡＮと結合可能であり、そしてブレーキＣを介してギヤハウジングＧＧに固定できる。またメインギヤセットＨＳの第２太陽歯車Ｓ２_ＨＳは、その第２入力エレメントを形成し、当該エレメントは、クラッチＡを介してプリシフトギヤセットＶＳの内歯歯車ＨＯ_ＶＳと結合可能である。またメインギヤセットＨＳの結合されたキャリヤーＳＴ_ＨＳは、その第３入力エレメントを形成し、当該エレメントは、クラッチＥを介して駆動軸ＡＮと結合可能であり、そしてブレーキＤを介してギヤハウジングＧＧに固定できる。またメインギヤセットＨＳの唯一の内歯歯車ＨＯ_HＳは、その出力エレメントを形成し、当該エレメントは、常に出力軸ＡＢと回転しないように結合されている。考えられるメインギヤセットＨＳのもう１つの実施の形態については、後でさらに詳しく説明する。
【００４０】
図２から、変速機内のギヤセット及びシフトエレメントのコンポーネントの配置も、基本的に図１Ａから引き継がれたことが容易に分かる。図１Ａとの相違は、プリシフトギヤセットＶＳのメインギヤセットから遠い側で、軸方向にギヤハウジング固定のハウジング壁ＧＷの横で、径方向にギヤハウジング固定のハブＧＮの上方に配置されている第６シフトエレメントＦのクラッチシリンダーの動的結合に関係している。当該クラッチシリンダーの中には、クラッチＦのディスクパック６００及びこのディスクパック６００を作動させるためのサーボ装置６１０が配置されている。図１Ａでこのクラッチシリンダーが駆動軸ＡＮと回転しないように結合されたクラッチＦの入力エレメントをさらに形成していたら、このクラッチシリンダーは、図２ではクラッチＦの出力エレメント６３０を形成する。当該エレメントは、クラッチＦの既定の動的結合に対応して、メインギヤセットＨＳの第１太陽歯車Ｓ１_ＨＳ−ここでは例示的にメインギヤセットＨＳの第１入力エレメントを形成している−と回転しないように結合している。これによって、クラッチＦのサーボ装置６１０は、常にこの第１太陽歯車Ｓ１_ＨＳの回転数で回転する。
【００４１】
図１Ａでのように、クラッチＥは、軸方向にプリシフトギヤセットＶＳに、そのメインギヤセットＨＳに向いた側で隣接している。クラッチＥの入力エレメント５２０は、プリシフトギヤセットＶＳの結合されたキャリヤーＳＴ_ＶＳのメインギヤセットに近いキャリヤープレートと、駆動軸ＡＮと、に結合しており、例示的に、クラッチＥのディスクパック５００の外側噛合いディスクを収容するためのアウターディスクキャリヤーとして形成されている。クラッチＥの出力エレメント５３０は、例示的に、クラッチＥのディスクパック５００の内側噛合いディスクを収容するための大部分がディスク形状のインナーディスクキャリヤーとして形成されており、キャリヤーシャフト５４０を介して、メインギヤセットＨＳの結合されたキャリヤーＳＴ_ＨＳ−ここでは例示的にメインギヤセットＨＳの第３入力エレメントを形成している−と回転しないように結合しており、キャリヤーシャフト５４０は、メインギヤセットＨＳを軸方向に中心で貫いている。クラッチＥのディスクパック５００は、例示的に、プリシフトギヤセットＶＳの内歯歯車ＨＯ_ＶＳの直径領域内に配置されている。（図２では簡略化のために単に図式的に表示されている）サーボ装置５１０に属するディスクパック５００を作動させるためのサーボ装置５１０は、シリンダールーム内に配置されており、当該シリンダールームは、クラッチＥの入力エレメント５２０ないしアウターディスクキャリヤーによって形成される。クラッチＥの締結時にこのサーボ装置５１０は、それに属するディスクパック５００を軸方向にメインギヤセットＨＳ方向に作動させる。実務上は、このサーボ装置５１０は、常に駆動軸ＡＮの回転数で回転するために、動的圧力調整装置も有する。
【００４２】
図１Ａでのように、クラッチＡのディスクパック１００は、径方向にプリシフトギヤセットＶＳの上方の領域に配置されている。プリシフトギヤセットＶＳの内歯歯車ＨＯ_ＶＳと回転しないように結合している、クラッチＡの入力エレメント１２０は、例示的に、このディスクパック１００の外側噛合いディスクを収容するためのアウターディスクキャリヤーとして形成されており、そのシリンダールーム内に、ディスクパック１００を作動させるための（図２では簡略化のために単に図式的に表示されている）サーボ装置１１０を擁しており、このサーボ装置１１０は、空間的に見て、プリシフトギヤセットＶＳのメインギヤセットＨＳとは逆の側に大部分が配置されており、当該サーボ装置に属するディスクパック１００をクラッチＡの締結時に軸方向にメインギヤセットＨＳ方向に作動させる。実務上は、このサーボ装置１１０は、常にプリシフトギヤセットＶＳの内歯歯車ＨＯ_ＶＳの回転数で回転するために、動的圧力調整装置も有する。クラッチＡの出力エレメント１３０は、例示的に、クラッチＡのディスクパック１００の内側噛合いディスクを収容するためのシリンダー形状のインナーディスクキャリヤーとして形成されており、クラッチＥを径方向に包囲し、そして第２太陽軸１４０を介して、メインギヤセットＨＳのプリシフトギヤセットから遠い第２太陽歯車Ｓ２_ＨＳ−ここでは例示的にメインギヤセットＨＳの第２入力エレメントを形成している−と回転しないように結合されている。このとき、この第２太陽軸１４０は、少なくとも、メインギヤセットＨＳのプリシフトギヤセットに近い第１太陽歯車Ｓ１_ＨＳを中心で軸方向に貫き、キャリヤーシャフト５４０を包囲する。好ましくは、第２太陽軸１４０は、キャリヤーシャフト５４０にも回転可能に取り付けられる。
【００４３】
図１Ａでのように、クラッチＢのディスクパック２００は、径方向にクラッチＥの上方の範囲に配置されている。クラッチＡの入力エレメント１２０ないしアウターディスクキャリヤーと回転しないように結合されている、クラッチＢの入力エレメント２２０は、例示的に、クラッチＢのディスクパック２００の内側噛合いディスクを収容するためのインナーディスクキャリヤーとして形成されている。空間的に見て、クラッチＢの入力エレメント２２０ないしインナーディスクキャリヤーと、径方向内側にあるクラッチＥの入力エレメント５２０ないしアウターディスクキャリヤーの外径と、の間を、クラッチＡの出力エレメント１３０ないしインナーディスクキャリヤーのシリンダー形状部が、径方向に走っている（延びている）。それに対応して、クラッチＢの出力エレメント２３０は、クラッチＢのディスクパック２００の外側噛合いディスクを収容するためのアウターディスクキャリヤーとして形成されている。クラッチＢのこの出力エレメント２３０は、幾何学的には、プリシフトギヤセットＶＳ方向に向かって開かれた深い容器状に形成されており、第１太陽軸２４０を介して、プリシフトギヤセットに近いメインギヤセットＨＳの第１太陽歯車Ｓ１_ＨＳ−ここでは例示的にメインギヤセットＨＳの第１入力エレメントを形成している−と回転しないように結合されている。この第１太陽軸２４０は、第２太陽軸１４０の一部分を径方向に包囲し、そして好ましくは、この第２太陽軸１４０にも回転可能に取り付けられている。例えば、出力エレメント２３０のハブと太陽軸２４０のハブは、一体に形成されていてもよい。そのシリンダールーム内で、クラッチＢの出力エレメント２３０なしアウターディスクキャリヤーが、クラッチＢのディスクパック２００を作動させるための（図２では簡略化のために単に図式的表示されている）サーボ装置２１０を擁しており、この場合、このサーボ装置２１０は、空間的に見て、ディスクパック２００の、メインギヤセットＨＳに向いた側に配置されており、軸方向にクラッチＡの出力エレメント１３０ないしインナーディスクキャリヤーのディスク形状部分に隣接している。クラッチＢの締結時にこのサーボ装置２１０が当該サーボ装置に属するディスクパック２００を軸方向にプリシフトギヤセットＶＳ方向に作動させる。実務上は、このサーボ装置２１０は、常にメインギヤセットＨＳの第１太陽歯車Ｓ１_ＨＳの回転数で回転するために、動的圧力調整装置も有する。
【００４４】
すでに述べたように、クラッチＦの出力エレメント６３０は、クラッチＦのディスクパック６００の外側噛合いディスクを収容するためのアウターディスクキャリヤーとして形成されており、空間的に見て、ここでは例示的にギヤハウジングＧＧの外壁を形成するギヤハウジング固定のハウジング壁ＧＷに隣接していて、当該ハウジング壁は、図２では詳しく描写されていない変速機の駆動エンジンに向いており、この駆動エンジンは、ここでは例示的にトルクコンバーターを介して駆動軸ＡＮと作用結合している。その限りでは、ギヤハウジング固定のハブＧＮは、ハウジング壁ＧＷから始まって、変速機内部で軸方向にプリシフトギヤセットＶＳ方向に延伸し、そしてそこにはプリシフトギヤセットＶＳの太陽歯車ＳＯ_ＶＳが固定されており、径方向にその上方にクラッチＦも配置されているが、このトルクコンバーターのステータシャフト（Leitradwelle）でもあり得る。クラッチＦの出力エレメント６３０ないしアウターディスクキャリヤーは、幾何学的には、プリシフトギヤセットＶＳないしメインギヤセットＨＳ方向に向かって開かれた深い容器として形成されており、ハブ６３３、ディスク形状の容器底６３２、そして曲折したシリンダー形状部分６３１を有する。クラッチＦの出力エレメント６３０ないしアウターディスクキャリヤーのハブ６３３は、ギヤハウジング固定のハブＧＮ上に回転可能に取り付けられている。このハブ６３３に接続する、クラッチＦの出力エレメント６３０ないしアウターディスクキャリヤーのディスク形状の容器底６３２は、ハウジング壁ＧＷに隣接して並行に径方向外側に延伸し、クラッチＦの出力エレメント６３０ないしアウターディスクキャリヤーの曲折したシリンダー形状部分６３１における外径を超えている。この曲折したシリンダー形状部分６３１は、軸方向にプリシフトギヤセットＶＳ方向に、ここでは例示的にギヤハウジング固定のハブＧＮのほぼ中央にまで延伸し、そのプリシフトギヤセットに近い端部の範囲の内径に、クラッチＦのディスクパック６００のアウターディスクを収容するための受容部（Mitnahmeprofil）を有している。
【００４５】
圧力室６１１、圧力調整室６１２、ピストン６１４、リターンエレメント６１３、及び、エアセンサープレート６１５を有する、クラッチＦのサーボ装置６１０は、完全にシリンダールーム内に配置されている。当該シリンダールームは、クラッチＦの出力エレメント６３０ないしアウターディスクキャリヤーによって形成され、基本的に径方向にハブ６３３の上方に配置されている。ピストン６１４は、クラッチＦの出力エレメント６３０ないしアウターディスクキャリヤーに軸方向に移動可能に取り付けられている。それに応じて、サーボ装置６１０は、常時、メインギヤセットＨＳの第１入力エレメント（つまり、ここでは第１太陽歯車Ｓ１_ＨＳ）の回転数で回転する。サーボ装置６１０の回転する圧力室６１１の回転圧を調整するために、潤滑材を無圧で充填できる圧力調整室６１２を備えた動的な圧力調整装置が設けられている。この場合、この圧力調整室６１２は、上記圧力室６１１よりもプリシフトギヤセットＶＳ（ないしはメインギヤセットＨＳ）の近くに配置されている。このとき、圧力室６１１は、ピストン６１４と、クラッチＦの出力エレメント６３０ないしアウターディスクキャリヤーのシェルと、によって形成される。圧力調整室６１２は、ピストン６１４とエアセンサープレート６１５とによって形成される。当該エアセンサープレートは、軸方向にハブ６３３のプリシフトギヤセットに近い端部に固定されており、ピストン６１４に対しては、軸方向に移動可能で潤滑材が漏れないように密封されている。ピストン６１４には、ここで例示的にディスクスプリングとして形成されているリターンエレメント６１３を介して、軸方向にクラッチＦの出力エレメント６３０ないしアウターディスクキャリヤーのハブ６３３に対して初期張力が与えられている。クラッチＦを締結するために圧力室６１１を圧力材で加圧すると、ピストン６１４は軸方向にプリシフトギヤセットＶＳ（ないしメインギヤセットＨＳ）方向に移動し、前記ピストンに属するディスクパック６００をリターンエレメント６１３のスプリング力に抗して作動させる。
【００４６】
クラッチＦの出力エレメント６３０ないしアウターディスクキャリヤーが、ギヤハウジング固定のハブＧＮ上に取り付けられているために、部分的に上記ハウジングハブＧＮ内を走り、部分的にクラッチＦの出力エレメント６３０のハブ６３３内を走る導路や孔（ホール）によって、構造的に比較的簡単なクラッチＦへの圧力材や潤滑材を供給する装置が生じる。クラッチＦのサーボ装置６１０の圧力室６１１への圧力材供給装置は６１６で表示され、サーボ装置６１０の圧力調整室６１２への潤滑材供給装置は６１７で表示されている。
【００４７】
クラッチＦの出力エレメント６３０ないしアウターディスクキャリヤーと、メインギヤセットＨＳの第１太陽歯車Ｓ１_ＨＳと、の間の回転数およびトルク伝達は、シリンダー形状の結合エレメントＺＹＬ、クラッチＢの出力エレメント２３０ないしアウターディスクキャリヤー、及び、軸方向のショートの（短い）第２太陽軸１４０を介して行われる。このシリンダー形状の結合エレメントＺＹＬは、幾何学的には、ハウジング壁ＧＷ方向に向かって開かれた深い容器状に形成されており、ディスク形状の容器底とシリンダー形状のシェルとを備えている。当該シェルは、軸方向におけるプリシフトギヤセットＶＳとクラッチＡとを径方向に完全に網羅している。結合エレメントＺＹＬの容器底は、その内径の、クラッチＢのディスクパック２００の範囲で、クラッチＢの出力エレメント２３０ないしアウターディスクキャリヤーと回転しないように結合されている。上記容器底の外径に接続する、結合エレメントＺＹＬのシリンダー形状のシェルは、軸方向にハウジング壁ＧＷ方向にクラッチＦのディスクパック６００まで延伸し、そしてこの範囲（領域）でクラッチＦの出力エレメント６３０ないしアウターディスクキャリヤーと回転しないように、例えば受容部（Mitnahmeprofil）を介して、結合されている。
【００４８】
アウターディスクキャリヤーとしてのクラッチＦの出力エレメント６３０の形成に対応して、動的に駆動軸ＡＮと結合されるクラッチＦの入力エレメント６２０は、クラッチＦのディスクパック６００の内側噛合いディスクを収容するためのインナーディスクキャリヤーとして形成されている。図２に表示された実施の形態では、クラッチＦのこの入力エレメント６２０は、ハブ６２３を有し、当該ハブは空間的に見て、軸方向にクラッチＦの出力エレメント６３０のハブ６３３とプリシフトギヤセットＶＳの太陽歯車ＳＯ_ＶＳとの間の領域で、径方向にギヤハウジング固定のハブＧＮの上に回転可能に取り付けられて（支持されて）いる。クラッチＦの入力エレメント６２０のこのハブ６２３は、そのプリシフトギヤセットに近い側で、プリシフトギヤセットＶＳの結合されたキャリヤーＳＴ_ＶＳのメインギヤセットから遠いキャリヤープレートと回転しないように結合されている。このキャリヤーＳＴ_ＶＳは、そのメインギヤセットに近いキャリヤープレートを介して、駆動軸ＡＮと回転しないように結合されている。クラッチＡの入力エレメント１２０のハブ１２３は、クラッチＦの入力エレメント６２０のハブ６２３の上に回転可能に支持されており、クラッチＡの入力エレメント１２０のこのハブ１２３は、そのプリシフトギヤセットに近い側で、軸方向にキャリヤーＳＴ_ＶＳのメインギヤセットから遠いキャリヤープレートに隣接している受容ディスク（Mitnahmescheibe）１５０を介して、プリシフトギヤセットＶＳの内歯歯車ＨＯ_ＶＳと回転しないように結合されている、ということがこの場でさらに言及される。
【００４９】
図１Ａでのように、ブレーキＣは、例示的に、ディスクブレーキとしてディスクパック３００とともに形成されている。このディスクパック３００は、空間的に見て、径方向にクラッチＢの出力エレメント２３０ないしアウターディスクキャリヤーの容器底の上方に配置されており、クラッチＢのディスクパック２００とほぼ同じ直径上（径方向位置）に配置されている。ブレーキＣのディスクパック３００の内側噛合いディスクを収容するためのインナーディスクキャリヤーとして形成されている、ブレーキＣの出力エレメント３３０は、図１Ａでのように、クラッチＢの出力エレメント２３０ないしアウターディスクキャリヤーと、その容器底の範囲で、回転しないように結合されており、そしてこの出力エレメント２３０を介してメインギヤセットＨＳの第１太陽歯車Ｓ１_ＨＳと結合している。図１Ａでのように、同様に例示的にディスクブレーキとしてディスクパック４００とともに形成されているブレーキＤは、メインギヤセットＨＳ方向に見て、軸方向にブレーキＣに接続している。この場合、ディスクパック４００の内側噛合いディスクを収容するためのインナーディスクキャリヤーとして形成されている、このブレーキＤの出力エレメント４３０は、メインギヤセットＨＳのプリシフトギヤセットＶＳに向いた側で、メインギヤセットＨＳの結合されたキャリヤーＳＴ_ＨＳ−ここでは例示的にメインギヤセットＨＳの第３入力エレメントを形成している−と回転しないように結合されている。図２に表示された実施の形態では、２つのブレーキＣ及びＤのアウターディスクキャリヤーは、ギヤハウジングＧＧ内で一体化されているが、もちろん、別々のコンポーネントとして形成されていてもよく、その場合は、それらは、ギヤハウジングに回転しないように結合される。図２では、ブレーキＣのサーボ装置３１０がディスクパック３００を作動させること、そしてブレーキＤのサーボ装置４１０がディスクパック４００を作動させること、が暗示されている。この場合、この２つのサーボ装置３１０、４１０は、ここでは例示的に軸方向にディスクパック３００と４００との間に配置されている。もちろん、ブレーキＣ及び／またはブレーキＤは、バンドブレーキとして形成されていてもよい。図２に従う変速機のスキームが非同軸の駆動及び出力に関して変更される場合、当業者（専門家）はブレーキＤを、図２と異なり、メインギヤセットＨＳのプリシフトギヤセットＶＳとは逆の側に配置するであろう。特にこのような非同軸の駆動及び出力の場合、ブレーキＣに関しても、図２とは異なる空間的位置がギヤハウジングＧＧ内で考えられる。すなわち、軸方向ではハウジング壁ＧＷに隣接し、径方向にクラッチＦのアウターディスクキャリヤー６３０の曲折した部分の上方、そして、径方向にクラッチＦのサーボ装置６１０の圧力室６１１の上方、である。
【００５０】
図３に基いて、本発明に従う第２の実施の形態の変速機のスキームを説明する。前の図２を基にして説明された本発明に従う第１の実施の形態のスキームとの相違は、クラッチＦの出力エレメント６３０の構造上の形態と、クラッチＦのディスクパック６００を作動させるためのサーボ装置６１０の構造上の形態と、に関している。その限りにおいて、図３の説明は、この本質的なコンポーネントに限定して留めることができる。
【００５１】
図３から分かるように、シリンダー形状の結合エレメントＺＹＬとクラッチＢの出力エレメント２３０とを介してプリシフトギヤセットに近いメインギヤセットＨＳの第１太陽歯車Ｓ１_ＨＳに結合されたクラッチＦの出力エレメント６３０は、ここでは、クラッチＦのディスクパック６００の内側噛合いディスクを収容するためのインナーディスクキャリヤーとして形成されている。図２でのように、この出力エレメント６３０は、この場合、プリシフトギヤセットＶＳのメインギヤセットＨＳとは逆の側でギヤハウジングＧＧの外壁を形成するギヤハウジング固定のハウジング壁ＧＷに隣接しており、そのハブ６３３と共に、このハウジング壁ＧＷから始まって変速機内部でプリシフトギヤセットＶＳの太陽歯車ＳＯ_ＶＳまで延伸するギヤハウジング固定のハブＧＮ上に回転可能に取り付けられており、そして、クラッチＦのサーボ装置６１０を収容している。それに応じて、プリシフトギヤセットＶＳの結合されたキャリヤーＳＴ_ＶＳを介して駆動軸ＡＮと結合されたクラッチＦの入力エレメント６２０は、ここでは、クラッチＦのディスクパック６００の外側噛合いディスクを収容するためのアウターディスクキャリヤーとして形成されている。図２でのように、この入力エレメント６２０のハブ６２３は、同様に、ギヤハウジング固定のハブＧＮ上に回転可能に取り付けられており、しかも、軸方向にプリシフトギヤセットＶＳと上記ハブＧＮ上の出力エレメント６３０の径方向の支持部との間の範囲にある。同様に図２でのように、クラッチシリンダーとして、クラッチＡのディスクパック１００と、このディスクパック１００を作動させるためのサーボ装置１１０と、を収容するクラッチＡの入力エレメント１２０は、本質的に、クラッチＦとプリシフトギヤセットＶＳとの間に配置されている。クラッチＡのディスクパック１００は、軸方向の範囲でプリシフトギヤセットＶＳの上方に配置されているが、入力エレメント１２０のハブ１２３は、プリシフトギヤセットＶＳのクラッチＦに向いた側で、クラッチＦの入力エレメント６２０のハブ６２３に取り付けられている。
【００５２】
図３からさらに分かるように、クラッチＦの出力エレメント６３０ないしインナーディスクキャリヤーは、基本的にシリンダー形状の構造を有しており、上述したようにギヤハウジング固定のハブＧＮ上に回転可能に取り付けられているハブ６３３と、上記ハブ６３３から始まって、軸方向に隣接し、例示的に大部分がハウジング壁ＧＷに並行に径方向外側に向かって延伸するディスク形状部分と、クラッチＦの出力エレメント６３０ないしインナーディスクキャリヤーの上記ディスク形状部分の外径から始まって、軸方向にプリシフトギヤセットＶＳ方向にクラッチＦのディスクパック６００まで延伸している段付きシリンダー形状部分と、を備えている。クラッチＦの出力エレメント６３０ないしインナーディスクキャリヤーのこの段付きシリンダー形状部分は、そのプリシフトギヤセットに近い端部の範囲において、上記ディスクパック６００のインナーディスクを収容するための適切な受容部（Mitnahmeprofil）を外径に有している。クラッチＦの出力エレメント６３０ないしインナーディスクキャリヤーのハウジング壁に近い端部の範囲において、径方向でクラッチＦの出力エレメント６３０ないしインナーディスクキャリヤーのディスク形状部分のほぼ上方に、シリンダー形状の支持プレート６１８が、その内径で、クラッチＦの出力エレメント６３０ないしインナーディスクキャリヤーの段付きディスク形状部分の外径に回転しないように固定されている。この支持プレート６１８のディスク形状部分は、クラッチＦの出力エレメント６３０ないしインナーディスクキャリヤーの外径から始まって、例示的に大部分がハウジング壁ＧＷに並行に、径方向外側に向かってクラッチＦのディスクパック６００のほぼ外径にまで延伸し、それからシリンダー形状部分に移行して、軸方向にプリシフトギヤセットＶＳ方向にクラッチＦのディスクパック６００の少し前まで延伸する。
【００５３】
圧力室６１１、圧力調整室６１２、ピストン６１４、リターンエレメント６１３、を有する、クラッチＦのサーボ装置６１０は、空間的に見て、径方向にクラッチＦの出力エレメント６３０ないしインナーディスクキャリヤーの段付きシリンダー形状部分の上方に配置されている。軸方向にクラッチＦのディスクパック６００と支持プレート６１８のディスク形状部分との間に配置されているピストン６１４は、このとき、支持プレート６１８のシリンダー形状部の内径と、クラッチＦの出力エレメント６３０ないしインナーディスクキャリヤーの外径と、の間に出来ているリングルームの中で、圧力材を漏らさないように軸方向に移動可能に取り付けられている。圧力室６１１を形成するために、支持プレート６１８とクラッチＦの出力エレメント６３０ないしインナーディスクキャリヤーとの間のトルク誘導結合が、圧力材を漏らさないように形成されている。その結果、圧力室６１１は、ピストン６１４、支持プレート６１８の内側シェル、そしてクラッチＦの出力エレメント６３０ないしインナーディスクキャリヤーの外側シェルの部分、によって形成される。ここで、常に太陽歯車Ｓ１_ＨＳの回転数で回転する圧力室６１１の回転圧を調整するために、潤滑材供給装置６１７を介して無圧で潤滑材を充填できる圧力調整室６１２が、ピストン６１４の圧力室６１１の逆の側に配置されている。この圧力調整室６１２は、ピストン６１４と、ピストン６１４に対して潤滑材を漏らさないように軸方向に移動可能に密閉された、クラッチＦの出力エレメント６３０ないしインナーディスクキャリヤーの段付きシリンダー形状部分の外側シェル部分と、によって形成される。圧力室６１１が、クラッチＦを締結するために、圧力材供給装置６１６を介して圧力材で満たされると、ピストン６１４は、ここでは例示的にリング形状でピストン６１４の周囲に分散して配置され動的に並置されたコイルスプリングからなるパック（セット）として形成され軸方向にピストン６１４とクラッチＦの出力エレメント６３０ないしインナーディスクキャリヤーとの間に装着されているリターンエレメント６１３の復元力に抗して、軸方向にプリシフトギヤセットＶＳ方向に移動し、そして当該ピストンに属するクラッチＦのディスクパック６００を作動させる。
【００５４】
クラッチＦの出力エレメント６３０ないしインナーディスクキャリヤーと、シリンダー形状の結合エレメントＺＹＬと、の間の回転数及びトルク伝達は、図３に表示された本発明に従う変速機の実施の形態では、クラッチＦの支持プレート６１８を介して行われる。支持プレート６１８は、一方で、このために−前述のように−その内径にクラッチＦの出力エレメント６３０ないしインナーディスクキャリヤーの段付きシリンダー形状部分に対しての適切なトルク誘導の結合具（結合部）を有している。他方、支持プレート６１８は、このためにそのシリンダー形状部のディスクに近い端部の範囲内において、適切な結合具を介して、上記結合エレメントＺＹＬのハウジング壁側の端部と、例えば受容部（Mitnahmeprofil）を介してインターロック式（formschluessig）に、回転しないように結合されている。このとき、シリンダー形状の結合エレメントＺＹＬは、その軸方向の移行の中で２つのクラッチＡ及びＦのディスクパック１００，６００を網羅する（包括する）。むしろ、クラッチＢの出力エレメント２３０と結合エレメントＺＹＬとの一体の形成を物語る図３の表示に対し、クラッチＦの入力エレメント６２０ないしアウターディスクキャリヤー及びクラッチＢの出力エレメント２３０ないしアウターディスクキャリヤーの幾何学的な設計に応じて、支持プレート６１８と結合エレメントＺＹＬとが一体に形成される、ということも考慮され得る。
【００５５】
図４に基づいて、ここでは、本発明に従う第３の実施の形態の変速機のスキームを、図２に表示された第１の実施の形態に基づいて説明する。図４から分かるように、クラッチＦは、図２に対して軸方向に同じように形成されている。クラッチＦのディスクパック６００の内側噛合いディスクを収容するためのインナーディスクキャリヤーとして形成されているクラッチＦの入力エレメント６２０は、ここでは、プリシフトギヤセットＶＳ方向に向かって開かれたシリンダーとして形成されている。当該入力エレメント６２０は、ギヤハウジング固定のハウジング外壁ＧＷとプリシフトギヤセットＶＳとの間で軸方向に延伸するギヤハウジング固定のハブＧＮをほぼその軸方向の全長で径方向に包囲すると共に当該ハブＧＮに回転可能に取り付けられているハブ６２３と、上記ハブ６２３のハウジング壁側の端部で接続して軸方向に直に且つここでは例示的にハウジング壁ＧＷに基本的に並行に径方向外側に向かってクラッチＦのディスクパック６００のほぼ直径にまで延伸するディスク形状部分６２２と、上記ディスク形状部分６２２の外径で接続して軸方向にプリシフトギヤセットＶＳ方向にクラッチＦのディスクパック６００のプリシフトギヤセット側の端部まで延伸するシリンダー形状部分６２１と、を備えている。クラッチＦの入力エレメント６２０の上記シリンダー形状部分６２１は、その外径に、このディスクパック６００のインナーディスクを収容するための適切な受容部を有している。クラッチＦの入力エレメント６２０のハブ６２３は、そのプリシフトギヤセットに近い端部で、プリシフトギヤセットＶＳの結合されたキャリヤーＳＴ_ＶＳのメインギヤセットから遠いキャリヤープレートと回転しないように結合されており、これによって、このキャリヤーＳＴ_ＶＳを介して駆動軸ＡＮと結合されている。
【００５６】
図２でのように、プリシフトギヤセットＶＳの内歯歯車ＨＯ_ＶＳと結合しているクラッチＡの入力エレメント１２０は、この入力エレメント１２０の中に配置されているクラッチＡのサーボ装置１１０とともに、ハウジング外壁ＧＷに向いたメインギヤセットＨＳとは逆の側にあるプリシフトギヤセットＶＳ側に、基本的に配置されている。このとき、クラッチＡのディスクパック１００は、例示的に、径方向にプリシフトギヤセットＶＳの上方の範囲に配置されている。この場合、クラッチＡのこの入力エレメント１２０のハブ１２３は、クラッチＦの入力エレメント６２０のハブ６２３の上に回転可能に取り付けられており、そのプリシフトギヤセットに近い側でプリシフトギヤセットＶＳの内歯歯車ＨＯ_ＶＳと回転しないように結合されている。
【００５７】
クラッチＦのディスクパック６００の外側噛合いディスクを収容するためのアウターディスクキャリヤーとして形成されているクラッチＦの出力エレメント６３０は、ここでは、ハウジング外壁ＧＷ方向ないしはプリシフトギヤセットＶＳとは逆の方向に向かって開かれたシリンダーとして形成されており、ハウジング外壁ＧＷに向いたないしはプリシフトギヤセットＶＳとは逆の、クラッチＡの入力エレメントの側に配置されている。クラッチＦの出力エレメント６３０ないしアウターディスクキャリヤーのハブ６３３は、空間的に見て、軸方向にクラッチＦの入力エレメント６２０ないしインナーディスクキャリヤーのディスク形状部分６２２と、クラッチＡの入力エレメント１２０のハブ１２３と、の間に配置されており、クラッチＦの入力エレメント６２０ないしインナーディスクキャリヤーのハブ６２３のハウジング壁に近い部分を径方向に包囲し、当該ハブ６２３の上に回転可能に取り付けられている。クラッチＦの出力エレメント６３０ないしアウターディスクキャリヤーの広範囲なディスク形状部分６３２は、クラッチＦの出力エレメント６３０ないしアウターディスクキャリヤーの上記ハブ６３３のプリシフトギヤセットに近い端部に接続しており、軸方向にクラッチＡの入力エレメント１２０に隣接して径方向外側に、クラッチＦのディスクパック６００の外径より大きくそしてクラッチＡの入力エレメント１２０ないしアウターディスクキャリヤーの外径より大きい直径にまで、延伸している。クラッチＦの出力エレメント６３０ないしアウターディスクキャリヤーのシリンダー形状部分６３１は、クラッチＦの出力エレメント６３０ないしアウターディスクキャリヤーの上記ディスク形状部分６３２の外径に接続しており、軸方向にハウジング壁ＧＷ方向にクラッチＦのディスクパック６００を超えてすれすれまで延伸している。このディスクパック６００の範囲には、クラッチＦの出力エレメント６３０ないしアウターディスクキャリヤーの上記シリンダー形状部分６３１が、その内径に、このディスクパック６００のアウターディスクを収容するための適切な受容部を有している。そのプリシフトギヤセットに近い端部で、クラッチＦの出力エレメント６３０ないしアウターディスクキャリヤーの上記シリンダー形状部分６３１が、その外径の領域でシリンダー形状の結合エレメントＺＹＬと、回転しないように結合されている。径方向でクラッチＡの入力エレメント１２０の上方を、軸方向に走る（延びる）この結合エレメントＺＹＬは、図２でのように、クラッチＦの出力エレメント６３０と、クラッチＢの出力エレメント２３０と、の間の動的結合のために設けられており、この場合、クラッチＢのこの出力エレメント２３０は、さらにブレーキＣの出力エレメント３３０と、そしてメインギヤセットＨＳの第１入力エレメント−つまり、ここでは第１太陽歯車Ｓ１_ＨＳ−と、結合している。
【００５８】
クラッチＦのディスクパック６００を作動させるためのサーボ装置６１０は、完全にシリンダールームの中に配置されている。当該シリンダールームは、クラッチＦの出力エレメント６３０ないしアウターディスクキャリヤーによって形成され、空間的に見て、径方向ではこの出力エレメント６３０のハブ６３３の上方に位置している。通常のように、このサーボ装置６１０は、圧力材を充填可能な圧力室６１１と、当該圧力室６１１の回転圧を動的に圧力調整するための、無圧で潤滑材が充填可能な圧力調整室６１２と、ディスクパック６００に作用するピストン６１４と、例示的にディスクスプリングとして形成されている、ピストンを復帰させるためのリターンエレメント６１３と、圧力調整室６１２を形成するためのエアセンサープレート６１５と、を有している。ピストン６１４は、図２での場合と同様に、クラッチＦの出力エレメント６３０の中に軸方向に移動可能に取り付けられており、そのとき、これに対して圧力材が漏れないよう密閉されている。これに応じて、サーボ装置６１０は、常にメインギヤセットＨＳの第１入力エレメントの回転数で回転する。図２と異なり、ピストン６１４と出力エレメント６３０の内側シェルとによって形成されるサーボ装置６１０の圧力室６１１は、ピストン６１４と、ピストン６１４に対向して軸方向に移動可能で潤滑材が漏れないよう密閉されたエアセンサープレート６１５と、によって形成されるサーボ装置６１０の圧力調整室６１２より、プリシフトギヤセットＶＳの近くに配置されている。図２と異なり、サーボ装置６１０のピストン６１４は、圧力室６１１を加圧すると、軸方向にハウジング壁ＧＷ方向にないしは軸方向にプリシフトギヤセットＶＳとは逆の方向に、リターンエレメント６１３のスプリング力に抗して移動し、そして当該ピストンに属するクラッチＦのディスクパック６００を作動させる。
【００５９】
図２との相違について、クラッチＦへの圧力材及び潤滑材の供給は、部分的にギヤハウジング固定のハブＧＮ内を走り、部分的にクラッチＦの入力エレメント６２０のハブ６２３内を走り、そして部分的にクラッチＦの出力エレメント６３０のハブ６３３内を走る導路や孔（ホール）を介して行われる。図４では、該当する圧力材供給装置は６１６で表示され、該当する潤滑材供給装置は６１７で表示される。
【００６０】
その他のギヤコンポーネントは、変速機内でのその構造的形成及びその配置に関して、図２から引き継がれているために、この場でのそれらの再度の説明は省略することができる。
【００６１】
図５は、本発明に従う第４の実施の形態の変速機のスキームを示している。当該変速機のスキームは、前の図４に表示された、本発明に従う第３の実施の形態の変速機のスキームに基づいている。ここで、図４との相違は、基本的に、クラッチＦの入力エレメント６２０及び出力エレメント６３０の構造的形態と、メインギヤセットＨＳの第１入力エレメントにシフトエレメントＦ，Ｂ，Ｃの出力エレメント６３０，２３０，３３０を機械的に結合するもう１つの構造と、に関する。
【００６２】
図４の場合と同様に、クラッチＦの入力エレメント６２０は、プリシフトギヤセットＶＳ方向に向かって開かれたシリンダーとして形成されている。しかし、図４との相違は、クラッチＦのディスクパック６００の外側噛合いディスクを収容するためのアウターディスクキャリヤーとして形成されていることである。この入力エレメント６２０のハブ６２３は、ギヤハウジング固定のハブＧＮをその軸方向のほとんど全長において径方向に包囲する。当該ハブＧＮは、軸方向にギヤハウジング固定のハウジング壁ＧＷと、プリシフトギヤセットＶＳと、の間を延伸している。前記ハブ６２３は、このハブＧＮに回転可能に取り付けられている。この入力エレメント６２０のディスク形状部分６２２は、上記ハブ６２３のハウジング壁側の端部に接続し、軸方向にすぐそばで基本的に（本質的に）ハウジング壁ＧＷに並行に径方向外側に、クラッチＦのディスクパック６００の外径より大きい直径まで延伸している。この入力エレメント６２０のシリンダー形状部分６２１は、上記ディスク形状部分６２２の外径に接続しており、軸方向にプリシフトギヤセットＶＳ方向にクラッチＦのディスクパック６００の上すれすれにまで延伸しており、その内径にこのディスクパック６００のアウターディスクを収容するための適切な受容部を有している。クラッチＦの入力エレメント６２０のハブ６２３は、そのプリシフトギヤセットに近い端部で、図４のように、プリシフトギヤセットＶＳの結合されたキャリヤーＳＴ_ＶＳのメインギヤセットから遠いキャリヤープレートと、回転しないように結合されており、それによって、このキャリヤーＳＴ_ＶＳを介して、駆動軸ＡＮと結合されている。
【００６３】
クラッチＦの出力エレメント６３０は、ここでは、クラッチＦのディスクパック６００の内側噛合いディスクを収容するためのインナーディスクキャリヤーとして形成されてお
り、幾何学的には、ハウジング壁ＧＷ方向ないしはプリシフトギヤセットＶＳとは逆の方向に向かって開かれたシリンダー形状に形成されていて、ハウジング外壁ＧＷに向いたないしはプリシフトギヤセットＶＳとは逆の、クラッチＡの入力エレメント１２０の側に配置されている。クラッチＦのこの出力エレメント６３０のハブ６３３は、空間的に見て、軸方向にクラッチＦの入力エレメント６２０のディスク形状部分６２２と、クラッチＡの入力エレメント１２０のハブ１２３と、の間に配置されており、クラッチＦの入力エレメント６２０のハブ６２３のハウジング壁に近い部分を径方向に包囲すると共に当該ハブ６２３上に回転可能に取り付けられている。クラッチＦの出力エレメント６３０の部分的なディスク形状部分６３２は、出力エレメント６３０の上記ハブ６３３のプリシフトギヤセットに近い端部に接続し、軸方向にクラッチＡの入力エレメント１２０に隣接して、径方向外側に、クラッチＡの入力エレメント１２０の外径より大きい直径にまで延伸している。クラッチＦの出力エレメント６３０のシリンダー形状部分６３１は、その外径にクラッチＦのディスクパック６００のインナーディスクを収容するための適切な受容部を有しており、空間的に見て、径方向ではこのディスクパック６００の下方に配置されていて、そのハウジング壁に近い端部で、機能的にはクラッチＦのサーボ装置６１０にも属するエアセンサープレート６１５と結合している。このエアセンサープレート６１５は、さらに、受容部を介してクラッチＦの出力エレメント６３０のハブ６３３のハウジング壁に近い端部に回転しないように固定されており、ロックリングを介して軸方向にこのハブ６３３に固定されている。図５に表示された実施の形態では、出力エレメント６３０の上記シリンダー形状部分６３１とエアセンサープレート６１５とは、一体で形成されている。
【００６４】
クラッチＦのディスクパック６００を作動させるためのサーボ装置６１０は、図４でのように、クラッチＦの出力エレメント６３０のディスク形状部分６３２の側、つまり、ハ
ウジング壁ＧＷに向いたないしはプリシフトギヤセットＶＳとは逆の側、に配置されており、空間的に見て、本質的に、径方向ではクラッチＦの出力エレメント６３０のハブ６３３の上方に配置されている。通常のように、このサーボ装置６１０は、圧力材を充填可能な圧力室６１１と、当該圧力室６１１の回転圧を動的に圧力調整するための、無圧で潤滑材が充填可能な圧力調整室６１２と、ディスクパック６００に作用するピストン６１４と、例示的にディスクスプリングとして形成されているピストン復帰用のリターンエレメント６１３と、圧力調整室６１２を形成するための上述のエアセンサープレート６１５と、を有している。ピストン６１４は、図４での場合と同様に、クラッチＦの出力エレメント６３０に軸方向に移動可能に取り付けられており、そのとき、これに対して圧力材が漏れないよう密閉されている。これに応じて、サーボ装置６１０は、常にメインギヤセットＨＳの第１入力エレメントの回転数で回転する。図４のように、ピストン６１４と出力エレメント６３０の内側シェルとによって形成されるサーボ装置６１０の圧力室６１１は、ピストン６１４と、ピストン６１４に対向して軸方向に移動可能で潤滑材が漏れないよう密閉されたエアセンサープレート６１５と、によって形成されるサーボ装置６１０の圧力調整室６１２より、プリシフトギヤセットＶＳの近くに配置されている。図４のように、サーボ装置６１０のピストン６１４は、圧力室６１１を加圧すると、軸方向にハウジング壁ＧＷ方向にないしは軸方向にプリシフトギヤセットＶＳとは逆の方向に、リターンエレメント６１３のスプリング力に抗して移動し、そして当該ピストンに属するクラッチＦのディスクパック６００を作動させる。
【００６５】
図５から分かるように、クラッチＦの出力エレメント６３０と、ここでは例示的にプリシフトギヤセットに近い第１太陽歯車Ｓ１_ＨＳによって形成されるメインギヤセットＨＳの第１入力エレメントと、の間で回転数及びトルクを伝達するために、シリンダー形状の結合エレメントＺＹＬが設けられている。当該エレメントは、幾何学的には、クラッチＦに向かって開かれた深い容器の形状に形成されている。このとき、このシリンダー形状の結合エレメントＺＹＬのディスク形状の容器底は、軸方向のクラッチＢとブレーキＣとの間を径方向に延伸し、そしてそのハブ領域において第１太陽軸２４０と回転しないように結合されている。クラッチＢの外径より大きいこの容器底の外径に、結合エレメントＺＹＬのシリンダー形状部が接続し、軸方向にクラッチＦ方向に当該クラッチＦの出力エレメント６３０のディスク形状部分６３２まで延伸し、その軸方向の移行の中でクラッチＢ，Ａ，ＥならびにプリシフトギヤセットＶＳを完全に網羅する（包括する）。結合エレメントＺＹＬの上記シリンダー形状部分は、そのハウジング壁側の端部において、クラッチＦの出力エレメント６３０のディスク形状部分６３２と、例えば受容部を介して、回転しないように結合されている。
【００６６】
図５からさらに分かるように、クラッチＡのディスクパック１００は、図４と異なり、ここでは軸方向にプリシフトギヤセットＶＳとメインギヤセットＨＳとの間の領域、より正確に言うと、軸方向にプリシフトギヤセットＶＳのメインギヤセットに近い側で隣接しているクラッチＥとクラッチＢのディスクパック２００との間にある。この場合、このディスクパック１００を作動させるためのクラッチＡのサーボ装置１１０−図５では簡略化のために単に図式化して表示されている−は、図４でのように、プリシフトギヤセットＶＳのメインギヤセットから遠い側に主に配置されており、この場合、サーボ装置１１０のピストンと作用結合されてディスクパック１００に作用するサーボ装置１１０の圧力リングのみが、軸方向においてプリシフトギヤセットＶＳを（そしてここでは軸方向にプリシフトギヤセットＶＳのメインギヤセットに近い側で隣接するクラッチＥをも）径方向に網羅する。あるいは、上記圧力リングは、例えば、好ましくは多くの、周囲に分散配置された作動フィンガーに替えることもできる。図５に表示された形態では、２つのクラッチのディスクパック１００，２００は、互いにすぐ横に同じ径で配置されている。この場合、２つのクラッチＡ及びＢの入力エレメント１２０、２２０は、ここでは例示的にアウターディスクキャリヤーとして形成されている。このとき、クラッチＢの入力エレメント２２０は、変わらずに、クラッチＡの入力エレメント１２０を介して内歯歯車ＨＯ_ＶＳ−これはプリシフトギヤセットＶＳの出力エレメントを形成する−と結合されている。クラッチＢの出力エレメント２３０は、ここでは例示的に、分離した広範囲にディスク形状のインナーディスクキャリヤーとして形成されている。当該キャリヤーは、径方向にクラッチＢのディスクパック２００の下方に配置されており、そのハブ領域で第１太陽軸２４０と回転しないように結合されている。図５で簡略化のために表示されていない、ディスクパック２００を作動させるためのクラッチＢのサーボ装置は、選択的にこのディスクパック２００の両側の一方に配置され得る。クラッチＢのこのサーボ装置の圧力室は、例えば、クラッチＦの出力エレメント６３０のディスク形状部分６３２と、クラッチＡの入力エレメント１２０と、の間の軸方向の範囲において、径方向にクラッチＦの入力エレメント６２０のハブ６２３の軸方向部分の上方に配置されてもよい。この場合、クラッチＢのこのサーボ装置のプレッシャーディスク、ないし、好ましくはより多くの周囲に分散配置された作動フィンガーが、軸方向のクラッチＡの入力エレメント１２０とクラッチＢのディスクパック２００を含む入力エレメント２２０とを径方向に網羅し、そして、ディスクパック２００をクラッチＢの締結時にメインギヤセットに近い側から「引いて」作動させる。
【００６７】
ブレーキＣの出力エレメント３３０も、ここでは例示的に、分離した広範囲にディスク形状のインナーディスクキャリヤーとして形成されている。当該キャリヤーは、径方向にブレーキＣのディスクパック３００の下方に配置されており、そしてそのハブ領域で第１太陽軸２４０と回転しないように結合されている。上述したように、上記第１太陽軸２４０は、ここでは例示的に、プリシフトギヤセットに近いメインギヤセットＨＳの第１太陽歯車Ｓ１_ＨＳ（第１入力エレメントとして）と回転しないように結合されている。太陽歯車Ｓ１_ＨＳと太陽軸２４０とは、例えば、一体で形成されていてもよい。第１太陽軸２４０は、さらに、第２太陽軸１４０の軸方向の一部を径方向に包囲する。当該第２太陽軸１４０を介して、クラッチＡの出力エレメント１３０は、ここでは例示的に、プリシフトギヤセットから遠いメインギヤセットＨＳの第2太陽歯車Ｓ２_ＨＳ（第２入力エレメントとして）と回転しないように結合されている。太陽歯車Ｓ２_ＨＳと太陽軸１４０も、例えば、一体で形成され得る。上記の第２太陽軸１４０は、さらに、キャリヤー軸５４０の軸方向の一部を径方向に包囲する。当該キャリヤー軸５４０を介して、クラッチＥの出力エレメント５３０は、ここでは例示的に、メインギヤセットＨＳのプリシフトギヤセットから遠い側でメインギヤセットＨＳの結合されたキャリヤーＳＴ_HＳ（第３入力エレメントとして）と回転しないように結合されている。
【００６８】
クラッチＦのこれまでのすべての実施の形態では、クラッチＦのディスクパック６００は、クラッチ締結時に、クラッチＦのサーボ装置６１０のこのディスクパック６００に属する圧力室６１１の空間的位置に関係して、常に「押されて」作動される。図６，図７及び図８において完璧を期するように表示された以下の３つの実施の形態は、クラッチ締結時のクラッチＦのディスクパック６００の作動方向が、それに属する圧力室６１１の空間的位置に関しても、問題なく変更可能であり、その結果、ディスクパック６００は、それに属する圧力室６１１に関して、ここでは「引かれて」作動される、ということを明らかにする。このとき、図６に表示された、本発明に従う第５の実施の形態の変速機のスキームは、図２に表示された本発明に従う第１の実施の形態の変速機のスキームに基づいており、図７に表示された本発明に従う第６の実施の形態の変速機のスキームは、図４に表示された本発明に従う第３の実施の形態の変速機のスキームに基づいており、図８に表示された本発明に従う第７の実施の形態の変速機のスキームは、図５に表示された本発明に従う第４の実施の形態の変速機のスキームに基づいている。それに応じて、図６、図７及び図８では、それぞれ基になっている変速機のスキームの主要な参照記号が記入された。但し、再度の説明は、この場では省略される。
【００６９】
図９に基いて、ここでは、本発明に従う第８の実施の形態の変速機のスキームを説明する。図１Ａに従う同類の従来技術に対する変更は、基本的に、クラッチＢ，Ｅ，Ａの空間的配置と構造的形成とに関している。それ以外、駆動軸ＡＮ及び当該軸と同軸に延びる出力軸ＡＢと、駆動部に近いプリシフトギヤセットＶＳ及びこの横に同軸で配置された出力部に近いメインギヤセットＨＳと、プリシフトギヤセットＶＳにそのメインギヤセットＨＳに向いた側で隣接するクラッチＥと、メインギヤセットに近い２つのブレーキＣ及びＤと、を備えたこの変速機の構成は、基本的に、図１Ａに表示された変速機に対応している。
【００７０】
２つのクラッチＢ及びＦは、製造技術的に容易に取り付けが可能な１つのアッセンブリーを構成する。このアッセンブリーは、プリシフトギヤセットＶＳと、詳細には描写されていないが駆動軸ＡＮと作用結合した変速機の駆動モーターに向いたギヤハウジング固定のハウジング壁ＧＷと、の間で軸方向に配置されている。また、プリシフトギヤセットＶＳのメインギヤセットＨＳに背いた側でプリシフトギヤセットＶＳとハウジング壁ＧＷとに直に接している。もちろん、ハウジング壁ＧＷとギヤハウジングＧＧは、一体に実現されていてもよい。その場合、このアッセンブリーは、２つのクラッチＢ，Ｆ用の共通のディスクキャリヤーＺＹＬＢＦ，２つのクラッチＢ，Ｆのディスクパック２００、６００、ならびに、このディスクパック２００、６００を作動させるサーボ装置２１０、６１０、を有している。このディスクキャリヤーＺＹＬＢＦは、２つのクラッチＢ，Ｆ用にその出力エレメントを形成し、所与の動的結合に応じて、メインギヤセットＨＳの第１入力エレメント(すなわち、ここでは第１太陽歯車Ｓ１_ＨＳ)と回転しないように結合している。これについては、後に再度詳述する。クラッチＦに対しては、ディスクキャリヤーＺＹＬＢＦは、好ましくは、外側かみ合いスチールディスクとして形成された、クラッチＦのディスクパック６００のアウターディスク、を収容するためのアウターディスクキャリヤーとして形成されている。一方、クラッチＢに対しては、好ましくは内側かみ合いライニングディスクとして形成された、クラッチＢのディスクパック２００のインナーディスク、を収容するためのインナーディスクキャリヤーとして形成されている。空間的に見て、クラッチＢのディスクパック２００は、ある範囲で、クラッチＦのディスクパック６００の径方向上方に配置されている。それに応じて、クラッチＦの入力エレメント６２０は、好ましくは内側かみ合いライニングディスクとして形成された、クラッチＦのディスクパック６００のインナーディスク、を収容するためのインナーディスクキャリヤーとして形成され、プリシフトギヤセットＶＳの結合されたキャリヤーＳＴ_ＶＳのメインギヤセットから遠いキャリヤープレートと回転しないように結合している。ただし、この結合されたキャリヤーＳＴ_ＶＳは−図１Ａでのように−そのメインギヤセットに近い側で駆動軸ＡＮと結合している。もちろん、上記のキャリヤープレートと上記のインナーディスクキャリヤー６２０は、一体に形成されてもよい。クラッチＢの入力エレメント２２０は、好ましくは外側かみ合いスチールディスクとして形成された、クラッチＢのディスクパック２００のアウターディスク、を収容するためのアウターディスクキャリヤーとして形成されており、プリシフトギヤセットＶＳの内歯歯車ＨＯ_ＶＳと回転しないように結合している。もちろん、内歯歯車ＨＯ_ＶＳと上記のアウターディスクキャリヤー２２０は、一体に形成されてもよい。もちろん、交互に配置されるスチールディスク（摩擦ライニングなし）とライニングディスクの代わりに、片側を摩擦ライニングで被覆したスチールディスクも使用され得る。但し、それぞれ外側でかみ合う被覆スチールディスク１つと内側でかみ合う被覆スチール��ィスク１つは、交互に１つのディスクパックに組み合わされなければならない。もちろん、提案されたスチールディスクの代わりに、カーボンあるいは炭素繊維あるいはその他の適切な合成材から成るディスクも使用され得る。
【００７１】
クラッチＢ，Ｆにとって共通のディスクキャリヤーＺＹＬＢＦは、幾何学的には、主としてシリンダー形状の構造を有し、ハウジング壁ＧＷから始まって変速機内部で軸方向にプリシフトギヤセットＶＳ方向に延伸するギヤハウジング固定のハブＧＮ上に回転可能に取り付けられている。このハブＧＮには、プリシフトギヤセットＶＳの太陽歯車ＳＯ_ＶＳが適切な結合を介して固定されている。もちろん、ハブＧＮとハウジング壁ＧＷは、一体に形成されていてもよい。例えばハブＧＮは、パワーフローの中で変速機の駆動軸ＡＮと駆動エンジンとの間に配置されたトルクコンバーターのステーターシャフトでもあり得る。ディスクキャリヤーＺＹＬＢＦの外径には、シリンダー形状の部分が設けられており、その内径に、クラッチＦのディスクパック６００のアウターディスクが配置され、そしてその外径に、ディスクパック２００のインナーディスクが配置されている。このとき、２つのディスクパック６００、２００は、軸方向にプリシフトギヤセットＶＳに隣接している。ディスクキャリヤーＺＹＬＢＦの上記のシリンダー形状の部分のプリシフトギヤセットに遠い端部から始まって、すなわち、ディスクパック６００よりもプリシフトギヤセットから遠い側で、ディスクキャリヤーＺＹＬＢＦのディスク形状部分の少なくとも大部分が、径方向内側に向かってディスクキャリヤーＺＹＬＢＦのハブにまで延伸している。このとき、このハブは、２つのハブ部分６３３と２３３とに分割されている。ディスクキャリヤーＺＹＬＢＦのディスク形状部分の内径から始まって、ハブ部分６３３は、軸方向にプリシフトギヤセットＶＳ方向に延伸し、−選択された用語から分かるように−クラッチＦの出力エレメントに属している（割り当てられている）。もう１つのハブ部分２３３は、クラッチＢの出力エレメントに属しており、ディスクキャリヤーＺＹＬＢＦのディスク状部分の内径から始まって、軸方向にハウジング壁ＧＷ方向に延伸している。
【００７２】
圧力室６１１、圧力調整室６１２、ピストン６１４、リターンエレメント６１３、及び、エアセンサープレート６１５を有する、クラッチＦのサーボ装置６１０は、完全にシリンダールーム内に配置されている。当該シリンダールームは、ディスクキャリヤーＺＹＬＢＦによって、基本的にハブ部分６３３の径方向上方に形成されている。ピストン６１４は、ディスクキャリヤーＺＹＬＢＦに軸方向に移動可能に取り付けられている。それに応じて、サーボ装置６１０は、常時、メインギヤセットＨＳの第１入力エレメント（つまり、ここでは第１太陽歯車Ｓ１_ＨＳ）の回転数で回転する。サーボ装置６１０の回転する圧力室６１１の回転圧を調整するために、潤滑材を無圧で充填できる圧力調整室６１２を備えた動的な圧力調整装置が設けられている。この場合、この圧力調整室６１２は、上記圧力室６１１よりもプリシフトギヤセットＶＳ（ないしはメインギヤセットＨＳ）の近くに配置されている。このとき、圧力室６１１は、ディスクキャリヤーＺＹＬＢＦのシェル（及びハブ部分６３３の一部）とピストン６１４とによって形成される。圧力調整室６１２は、ピストン６１４とエアセンサープレート６１５とによって形成される。当該エアセンサープレートは、ディスクキャリヤーＺＹＬＢＦのハブ部分６３３に軸方向に固定されており、ピストン６１４に対しては、軸方向に移動可能で潤滑材が漏れないように密封されている。ピストン６１４は、ここで例示的にディスクスプリングとして形成されているリターンエレメント６１３を介して、軸方向にディスクキャリヤーＺＹＬＢＦのハブ部分６３３に対して初期張力が与えられている。クラッチＦを締結するために圧力室６１１を圧力材で加圧すると、ピストン６１４は軸方向にプリシフトギヤセットＶＳ（ないしはメインギヤセットＨＳ）方向に移動し、前記ピストンに属するディスクパック６００をリターンエレメント６１３のスプリング力に抗して作動させる。
【００７３】
空間的に見て、クラッチＦのサーボ装置６１０は、クラッチＢのサーボ装置２１０より、メインギヤセットＨＳおよびプリシフトギヤセットＶＳの近くに配置されている。このとき、サーボ装置２１０は、空間的に見て、ある領域では、少なくとも大部分がディスクキャリヤーＺＹＬＢＦの第２ハブ部分２３３の径方向上方に配置されており、ディスク
キャリヤーＺＹＬＢＦ上に軸方向に移動可能に取り付けられている。それに応じて、サーボ装置２１０も、常時、メインギヤセットＨＳの第１入力エレメント（つまり、ここでは第１太陽歯車Ｓ１_ＨＳ）の回転数で回転する。クラッチＢのサーボ装置２１０は、圧力室２１１、圧力調整室２１２、部分的に曲折状に形成されたピストン２１４、リターンエレメント２１３、及び、部分的にシリンダー形状の支持プレート２１８、を有している。サーボ装置２１０の回転する圧力室２１１の回転圧を調整するために、圧力調整室２１２を備えた動的な圧力調整装置が設けられている。圧力室２１１を形成するために、支持プレート２１８が圧力材を封止してディスクキャリヤーＺＹＬＢＦのハブ部分２３３のハウジング壁に近い端でこのハブ部分２３３と回転しないように固定され、軸方向にロック（固定）されている。図示されている例では、密封された受容部（Mitnahmeprofil）（ドライビングプロフィール）とロックリング（Sicherungsring）とを介している。このとき、支持プレート２１８のシリンダー形状部分は、軸方向にプリシフトギヤセットＶＳ方向に延伸している。サーボ装置２１０のピストン２１４は、この支持プレート２１８のシリンダー形状部分とディスクキャリヤーＺＹＬＢＦのハブ部分２３３とに対して、軸方向に移動可能で、圧力材が漏れないように密閉されており、また、この領域で曲折形状の輪郭を有している。これに応じて、サーボ装置２１０の圧力室２１１は、ピストン２１４、支持プレート２１８のシリンダー形状部分、支持プレート２１８の当該シリンダー形状部分の径方向下方にある支持プレート２１８のディスク形状部分、ならびに、ディスクキャリヤーＺＹＬＢＦのハブ部分２３３の一部、によって形成される。サーボ装置２１０の圧力調整室２１２を形成するために、ディスクキャリヤーＺＹＬＢＦは、支持プレート２１８のシリンダー形状部分の直径よりも大きく規定された直径上に、第２シリンダー形状部分を有している。当該部分は、ここでは例示的な一体のディスクキャリヤーＺＹＬＢＦのディスク形状部分から始まって、軸方向にハウジング壁ＧＷ方向に延伸している。この領域で曲折形状のピストン２１４は、ディスクキャリヤーＺＹＬＢＦのこの第２シリンダー形状部分に対して軸方向に移動可能であり、また、圧力材が漏れないように密閉（シール）されている。これに応じて、圧力調整室２１２は、ピストン２１４、ディスクキャリヤーＺＹＬＢＦの上述の第２シリンダー形状部分、及び、ディスクキャリヤーＺＹＬＢＦの当該第２シリンダー形状部分の径方向下方にあるディスクキャリヤーＺＹＬＢＦのディスク形状部分、によって形成される。その更なる幾何学的形状において、ピストン２１４は、少なくとも大部分が、ディスクキャリヤーＺＹＬＢＦの径方向上部領域の外郭に沿って、径方向の外側に向かって、そして、軸方向にプリシフトギヤセットＶＳ方向に、プリシフトギヤセットに属するクラッチＢのディスクパック２００のプリシフトギヤセットから遠い側まで、延伸する。ピストン２１４には、ここでは例示的にディスクキャリヤーＺＹＬＢＦのディスク形状部分とピストン２１４との間で軸方向に配置されたコイルスプリングパックとして形成されて���るリターンエレメント２１３によって、軸方向にあらかじめ初期張力が与えられる。クラッチＢを締結するために、圧力材で圧力室２１１を加圧する場合、ピストン２１４は、軸方向にプリシフトギヤセットＶＳ（ないしはメインギヤセットＨＳ）方向に移動し、プリシフトギヤセットに属するディスクパック２００をリターンエレメント２１３のスプリング力に抗して作動させる。ピストン２１４は、２つのクラッチＢ，Ｆにとって共通のディスクキャリヤーＺＹＬＢＦを、ほぼ完全に包含する。
【００７４】
クラッチＢのサーボ装置２１０の圧力調整室２１２は、このサーボ装置２１０の圧力室２１１よりプリシフトギヤセットＶＳ（ないしはメインギヤセットＨＳ）の近くに配置されている。そこでは、クラッチＢの圧力調整室２１２とクラッチＦのサーボ装置６１０の圧力室６１１とは、互いに直に隣接して配置されており、２つのクラッチＢ，Ｆに共通のディスクキャリヤーＺＹＬＢＦのシェルによってのみ、相互に分離されている。
【００７５】
ディスクキャリヤーＺＹＬＢＦがギヤハウジング固定のハブＧＮ上に取り付けられているために、部分的に上記ハウジングハブＧＮ内を走り、部分的にディスクキャリヤーＺＹＬＢＦのハブ内を走る導路や孔（ホール）によって、構造的に比較的簡単な両クラッチＢ，Ｆへの圧力材や潤滑材を供給する装置が生じる。クラッチＢのサーボ装置２１０の圧力室２１１への圧力材供給装置は２１６で表示され、クラッチＢのサーボ装置２１０の圧力調整室２１２への潤滑材供給装置は２１７で表示され、クラッチＦのサーボ装置６１０の圧力室６１１への圧力材供給装置は６１６で表示され、そしクラッチＦのサーボ装置６１０の圧力調整室６１２への潤滑材供給装置は６１７で表示されている。
【００７６】
図９からさらに分かるように、クラッチＥは、軸方向にプリシフトギヤセットＶＳのメインギヤセットＨＳに向いた側に直に接している。クラッチＥの入力エレメント５２０は、プリシフトギヤセットＶＳの結合されたキャリヤーＳＴ_ＶＳのメインギヤセットに近いキャリヤープレートと結合し、また、駆動軸ＡＮと結合し、そして、例えば外側かみ合いスチールディスクとして形成されているクラッチＥのディスクパック５００のアウターディスクを収容するためのアウターディスクキャリヤーとして、例示的に形成されている。クラッチＥの出力エレメント５３０は、例えば内側かみ合いライニングディスクとして形成されているクラッチＥのディスクパック５００のインナーディスクを収容するための、大部分がプレート（ディスク）形状のインナーディスクキャリヤーとして例示的に形成されており、キャリヤーシャフト５４０を介してメインギヤセットＨＳの第３入力エレメントと−ここではつまり、メインギヤセットＨＳの結合されたキャリヤーＳＴ_ＨＳと−結合しており、この場合、キャリヤーシャフト５４０が、メインギヤセットＨＳの中心を軸方向に貫いている。幾何学的には、クラッチＥのディスクパック５００は、例えばプリシフトギヤセットＶＳの内歯歯車HO_ＶＳの直径範囲に配置されている。有意なことに、サーボ装置５１０が、ディスクパック５００を作動させるために、クラッチＥの入力エレメント５２０の中に配置されている。ここでは単純化のために図式的にのみ表示されたこのサーボ装置５１０は、目的に合った形で、動的圧力調整装置をも有している。何故なら、当該装置は、常時、駆動軸ＡＮの回転数で回転しているからである。
【００７７】
メインギヤセットＨＳ方向に見て、クラッチＡは軸方向にクラッチＥと隣接している。このとき、プリシフトギヤセットＶＳの内歯歯車ＨＯ＿ＶＳと結合したこのクラッチＡの入力エレメント１２０は、クラッチＥを完全に網羅し、そしてここでは、好ましくは外側かみ合いライニングディスクとして形成されているクラッチＡのディスクパック１００のアウターディスクを収容するためのアウターディスクキャリヤーとして、例示的に形成されている。それに応じて、クラッチＡの出力エレメント１３０は、ここでは、好ましくは内側かみ合いスチールディスクとして形成されているディスクパック１００のインナーディスクを収容するための、大部分がプレート（ディスク）形状のインナーディスクキャリヤーとして、例示的に形成されており、そして第２太陽軸１４０を介して、メインギヤセットＨＳの第２入力エレメントと−ここではつまり、第２太陽歯車Ｓ２_ＨＳと−結合している。このとき、この第２太陽軸１４０は、キャリヤーシャフト５４０を部分的に包括し、その軸方向の推移の中でメインギヤセットＨＳのプリシフトギヤセットに近い第１太陽歯車Ｓ１_ＨＳを中心で貫いている。もちろん、第２太陽歯車Ｓ２_ＨＳと第２太陽軸１４０とは、一体に実現されていてもよい。またもちろん、クラッチＡの出力エレメント（インナーディスクキャリヤー）１３０と第２太陽軸１４０も一体に形成されてもよい。この場合、第２太陽軸１４０は、キャリヤーシャフト５４０上に取り付けられている出力エレメント（インナーディスクキャリヤー）１３０のハブを形成する。図示された例では、クラッチＡ，Ｂのディスクパック１００、２００が、少なくとも近似した直径で配置されている。これに応じて、２つのクラッチＡ，Ｂにとっての共通のディスクキャリヤーもその入力エレメントとして設けられ得る。クラッチＡのディスクパック１００を作動させるために、サーボ装置１１０が設けられている。当該装置は、ここではディスクパック１００のメインギヤセット側に配置されており、クラッチＡの締結時に、ディスクパック１００を軸方向にプリシフトギヤセットＶＳ方向に作動させる。ここでは単純化のために図式的にのみ表示されたサーボ装置１１０は、好ましくは、動的圧力調整装置をも有している、何故なら、サーボ装置１１０は、常時、メインギヤセットＨＳの第２太陽歯車Ｓ２_ＨＳの回転数で回転しているからである。もう１つの配置の変形では、クラッチＡのサーボ装置１１０が、クラッチＡに属しているディスクパック１００のプリシフトギヤセットに近い側に配置され得る。その場合、このディスクパック１００は、クラッチＡが締結する際、軸方向にメインギヤセットＨＳ方向に作動される。
【００７８】
もちろん、クラッチＥおよびＡに関し、実施の形態の中で設けられ、交互に配置されたスチールディスク（摩擦ライニングなし）とライニングディスクの代わりに、片側を摩擦ライニングで被覆したスチールディスクも使用され得る。その場合、それぞれ外側がかみ合う被覆スチールディスク１つと内側がかみ合う被覆スチールディスク１つが交互に１つのディスクパックに組み合わされなければならない。もちろん、提案されたスチールディスクの代わりに、カーボンあるいは炭素繊維あるいはその他の適切な結合材から成るディスクも使用され得る。
【００７９】
すでに述べたように、２つのクラッチＢ，Ｆに共通のディスクキャリヤーＺＹＬＢＦは、メインギヤセットＨＳの第１入力エレメントと結合した、２つのクラッチＢ，Ｆ用の出力エレメントを形成する。このディスクキャリヤーＺＹＬＢＦとメインギヤセットＨＳの第１太陽歯車Ｓ１_ＨＳとの間の回転数およびトルク伝達は、この場合、支持プレート２１８、シリンダー形状の結合エレメントＺＹＬ、及び、第１太陽軸２４０を介して行われる。支持プレート２１８は、ハウジング壁ＧＷの近くで、ディスクキャリヤーＺＹＬＢＦのハブと回転しないように結合し、このハウジング壁ＧＷに軸方向に隣接して径方向外側に向かって延伸し、その外径の範囲内で、例えば受容部（Mitnahmeprofil）を介して、シリンダー形状の結合エレメントＺＹＬと結合している。このシリンダー形状の結合エレメントＺＹＬは、幾何学的には、ハウジング壁ＧＷに向かって開かれた深い容器状に形成されており、クラッチＢ，Ｆのアッセンブリー、プリシフトギヤセットＶＳ、ならびに、軸方向の２つのクラッチＥ及びＡ、を径方向に完全に網羅するシリンダー形状のシェルと、クラッチＡの横でメインギヤセットＨＳに向いた側で径方向内側に向かってぎりぎり第２太陽軸１４０の上方まで延伸しているディスク形状の容器底とを備えている。シリンダー形状の結合エレメントＺＹＬは、そのハブ部分で第１太陽軸２４０と回転しないように結合しており、当該軸は、ブレーキＣの出力エレメント３３０と、プリシフトギヤセットに近いメインギヤセットＨＳの第１太陽歯車Ｓ１_ＨＳとに結合しており、その軸方向の推移において第２太陽軸１４０を部分的に包括する。
【００８０】
図１０に基づいて、本発明に従う第９の実施の形態の変速機のスキームを、前の図９を基に説明した本発明に従う第８の実施の形態の変速機のスキームに基づいて、説明する。図９に対する変更は、２つのクラッチＢ，Ｆに共通のディスクキャリヤーＺＹＬＢＦの構造上の形態と、２つのクラッチＢ，Ｆのサーボ装置２１０、６１０の空間的位置と、のみに関する。この限りにおいて、その他のギヤコンポーネントの再度の説明は省略することができる。
【００８１】
図１０から分かるように、２つのクラッチＢ及びＦを有するアッセンブリーは、図９の場合のように、２つのクラッチＢとＦに共通のディスクキャリヤーＺＹＬＢＦと、２つのクラッチＢ，Ｆのディスクパック２００，６００と、ディスクパック２００，６００を作動させるサーボ装置２１０、６１０と、を包括しており、軸方向にプリシフトギヤセットＶＳと駆動エンジンに近いギヤハウジング固定のハウジング壁ＧＷとの間に配置されており、ギヤハウジング固定のハブＧＮ上に回転可能に取り付けられている。図９の場合のように、ディスクキャリヤーＺＹＬＢＦは、２つのクラッチＢ，Ｆ用にその出力エレメントを形成し、クラッチＢにとってはインナーディスクキャリヤーとして、クラッチＦにとってはアウターディスクキャリヤーとして形成されており、そして予め設定された動的結合に応じて、メインギヤセットＨＳの第１入力エレメント（ここでは、つまり第１太陽歯車Ｓ１_ＨＳ）と回転しないように結合されている。アウターディスクキャリヤーとして形成されているクラッチＢの入力エレメント２２０は、インナーディスクキャリヤーとして形成されているクラッチＦの入力エレメント６２０と同じように、図９から採用されている。図９との相違は、クラッチＢが、空間的に見て、今や完全にクラッチＦの径方向上方に配置され、クラッチＢのディスクパック２００は、クラッチＦのディスクパック６００の径方向上方に配置され、クラッチＢのサーボ装置２１０がクラッチＦのサーボ装置６１０の径方向上方に配置されていること、である。
【００８２】
図１０からさらに分かるように、２つのクラッチＢ、Ｆに共通のディスクキャリヤーＺＹＬＢＦは、幾何学的には、プリシフトギヤセットＶＳ（ないしはメインギヤセットＨＳ）方向に開かれた深い容器の形に形成されている。このディスクキャリヤーＺＹＬＢＦの外径には、段のついたシリンダー形状部分が設けられており、そのプリシフトギヤセットに近い端の内径に（径方向内側の）クラッチＦのディスクパック６００のアウターディスクが配置され、それの外径に（径方向外側の）クラッチＢのディスクパック２００のインナーディスクが配置されている。２つのディスクパック６００、２００は、軸方向にプリシフトギヤセットＶＳに隣接している。ディスクキャリヤーＺＹＬＢＦの段のついたシリンダー形状部分のプリシフトギヤセットから遠い端から始まって、ディスクキャリヤーＺＹＬＢＦのディスク形状部分が、ハウジング壁GWに並行に径方向内側に向かってディスクキャリヤーＺＹＬＢＦのハブ６３３にまで延伸している。このハブ６３３は、ディスクキャリヤーＺＹＬＢＦのディスク形状部分の内径から始まって、軸方向にプリシフトギヤセットＶＳ方向に延伸し、プリシフトギヤセットＶＳの太陽歯車ＳＯ_ＶＳも固定されているギヤハウジング固定のハブＧＮ上に、回転可能に取り付けられている。
【００８３】
クラッチＦのサーボ装置６１０は、ディスクキャリヤーＺＹＬＢＦの段付きのシリンダー形状部分とディスク形状部分とによって形成されるシリンダー空間の内部に完全に配置されており、それに応じて、メインギヤセットＨＳの第１入力エレメント（つまり、ここでは第１太陽歯車Ｓ１_ＨＳ）の回転数で常時、回転する。その際、このサーボ装置６１０は、圧力室６１１、圧力調整室６１２、ピストン６１４、リターンエレメント６１３、そしてエアセンサープレート６１５を包括する。ピストン６１４は、ディスクキャリヤーＺＹＬＢＦの中で圧力材を漏らさないように軸方向に移動可能に取り付けられており、ここでは、例示的にディスクスプリングとして形成されているリターンエレメント６１３を介して軸方向にディスクキャリヤーＺＹＬＢＦのハブ部分６３３に対して初期張力が与えられている。圧力室６１１は、ピストン６１４とディスクキャリヤーＺＹＬＢＦの内側シェルの一部とで形成される。回転する圧力室６１１の回転圧を調整するために、圧力調整室６１２を有する動的な圧力調整装置が設けられている。この場合、この圧力調整室６１２は、ピストン６１４とエアセンサープレート６１５とによって形成され、上記圧力室６１１よりもプリシフトギヤセットＶＳ（ないしはメインギヤセットＨＳ）の近くに配置されている。
【００８４】
クラッチＦのサーボ装置６１０の圧力材および潤滑材の供給は、構造的に比較的簡単な方法でギヤハウジング固定のハブＧＮを介して行われる。その場合、対応する導路（チャネル）ないし孔は、部分的には上記ギヤハウジングハブＧＮ内および部分的にはディスクキャリヤーＺＹＬＢＦのハブ６３３内を走る。クラッチＦのサーボ装置６１０の圧力室６１１への圧力材供給装置は６１６で表示され、クラッチＦのサーボ装置６１０の圧力調整室６１２への潤滑材供給装置は６１７で表示される。圧力室６１１がクラッチＦを締結するために圧力材で加圧されると、ピストン６１４は軸方向にプリシフトギヤセットＶＳ（ないしはメインギヤセットＨＳ）方向に移動し、それに属するディスクパック６００をリターンエレメント６１３のスプリング力に抗して作動させる。
【００８５】
すでに述べたように、（径方向外側の）クラッチＢのサーボ装置２１０は、空間的に見て、ある範囲で（径方向内側の）クラッチＦのサーボ装置６１０の径方向上方に配置されている。このサーボ装置２１０は、圧力室２１１、圧力調整室２１２、ピストン２１４、リターンエレメント２１３、そして支持プレート２１８を包括する。このとき、（径方向外側の）クラッチＢのサーボ装置２１０の圧力室２１１は、少なくともほぼ（径方向内側の）クラッチＦのサーボ装置６１０の圧力室６１１の径方向上方に配置され、（径方向外側の）クラッチＢのサーボ装置２１０の圧力調整室２１２は、少なくともほぼ（径方向内側の）クラッチＦのサーボ装置６１０の圧力調整室６１２の径方向上方に配置されている。圧力室２１１は、ピストン２１４、支持プレート２１８、そしてディスクキャリヤーＺＹＬＢＦの外側シェルの一部、で形成される。これに加え、支持プレート２１８は、幾何学的には、ディスクパック２００方向（ないしはプリシフトギヤセットＶＳ方向）に向かって開かれた深い容器の形に形成されており、そのシェルは、ピストン２１４の外側を包囲しており、その内径の容器床面（容器底）は、ディスクキャリヤーＺＹＬＢＦのディスク形状部分の外径に固定されている。図示された例では、支持プレート２１８をディスクキャリヤーＺＹＬＢＦに固定するために、トルクを伝達すると共に圧力材が漏れないように密封された受容部（Mitnahmeprofil）と、軸方向に固定するためのロックリングと、が設けられている。これによって、ピストン２１４は、支持プレート２１８のシリンダー形状部分の内径とディスクキャリヤーＺＹＬＢＦの段付きシリンダー形状部分の外径との間で、圧力材を漏らさないように軸方向に移動可能に取り付けられ、リターンエレメント２１３を介して軸方向にディスクキャリヤーＺＹＬＢＦに抗して初期張力が与えられている。このリターンエレメント２１３は、ここでは例示的に、環状に配置されたコイルスプリングから成るスプリングパックとして形成されている。
【００８６】
クラッチＢのサーボ装置２１０の圧力室２１１への圧力材供給装置（供給部）２１６は、ギヤハウジング固定のハブＧＮ内を部分的に延びて、ディスクキャリヤーＺＹＬＢＦ内を部分的に延びる（走る）。（径方向外側の）クラッチＢのサーボ装置２１０の圧力調整室２１２は、ここでは構造上の長さを短縮する方法で、（径方向内側の）クラッチＦのサーボ装置６１０の圧力調整室６１２を直接経由して無圧で潤滑材が充填される。このために、サーボ装置６１０のピストン６１４の外径には、少なくとも１つのラジアルホールが設けられており、当該ホールが、一方はサーボ装置６１０の圧力調整室６１２内に、他方はディスクキャリヤーＺＹＬＢＦの段付きシリンダー形状部分の内径上で外側に向かって潤滑材を漏らさないように密封された環状導路に通じている。さらに、ディスクキャリヤーＺＹＬＢＦの段付きシリンダー形状部分の中では、少なくとも１つのラジアルホールが設けられており、当該ホールは一方はディスクキャリヤーＺＹＬＢＦの段付きシリンダー形状部分の内径上で上記の環状導路に通じており、他方はサーボ装置２１０の圧力調整室２１２内に通じている。２つの圧力調整室６１２と２１２の間の該当するホール（孔）や導路は、図１０では２１７で表示されている。サーボ装置２１０の圧力室２１１が、クラッチＢを締結するために、圧力材で満たされると、ピストン２１４は、軸方向にプリシフトギヤセットＶＳ（ないしはメインギヤセットＨＳ）方向に移動し、それに属するディスクパック２００をリターンエレメント２１３のスプリング力に抗して作動させる。
【００８７】
回転数およびトルクを伝達するために、２つのクラッチＢ，Ｆの出力エレメントを形成するディスクキャリヤーＺＹＬＢＦと、メインギヤセットＨＳの第１太陽歯車Ｓ１_ＨＳと、の間に−図９の場合と同様−シリンダー形状の結合エレメントＺＹＬが設けられている。当該エレメントは、幾何学形状的には、ハウジング壁ＧＷ方向に向かって開かれた深い容器として形成されている。２つのクラッチＢ，Ｆのアッセンブリーを部分的に、そしてプリシフトギヤセットＶＳならびに軸方向の２つのクラッチＥとＡを全面的に径方向に網羅し、そしてハウジング壁ＧＷに向いたその端で、適切な受容部（Mitnahmeprofil）を介して回転しないように支持プレート２１８と結合されているリング状シェルと、クラッチＡの横でメインギヤセットＨＳに向いた側で径方向内側に延伸し、そのハブ部分で第１太陽軸２４０と回転しないように結合されているディスク形状の容器床面と、を備えている。この第１太陽軸２４０は、ブレーキＣの出力エレメント３３０と、メインギヤセットＨＳのプリシフトギヤセットに近い第１太陽歯車Ｓ１_ＨＳと、に結合している。
【００８８】
図１１に基づいて、本発明に従う第１０の実施の形態の例示的な変速機のスキームを、前の図１０を基に説明した本発明に従う第９の実施の形態の変速機のスキームに基づいて、説明する。図１０に対する主な変更は、クラッチＡの空間的位置に関する。少なくともクラッチＡのディスクパック１００は、ここでは、プリシフトギヤセットＶＳのメインギヤ（セット）ＨＳとは逆の側に配置されており、軸方向に、プリシフトギヤセットＶＳと、2つのクラッチＢ及びＦで構成されるアッセンブリーと、の間に配置されている。ここから、クラッチＡ及びＢの入力エレメント１２０，２２０の良好な取付けとの関連で、クラッチＦの入力エレメント６２０の良好な取付けの可能性が生じる。
【００８９】
図１１に表示された実施の形態では、ここではインナーディスクキャリヤーとして形成されているクラッチＦの入力エレメント６２０が、クラッチＦのディスクパック６００から始まって径方向内側にギヤハウジング固定のハブＧＮの上すれすれまで延伸しているディスク形状部分６２２と、上記ディスク形状部分６２２の内径領域内で接続し、軸方向にプリシフトギヤセットＶＳ方向にその太陽歯車ＳＯ_ＶＳの直前まで延伸し、当該部分でプリシフトギヤセットＶＳの結合されたキャリヤーＳＴ_ＶＳのメインギヤセットから遠いキャリヤープレートと回転しないように結合されているハブ６２３と、を有している。この場合、入力エレメント６２０のこのハブ６２３は、上記ギヤハウジング固定のハブＧＮ上で、比較的幅の広い支持基盤（Lagerbasis）と回転可能に取り付けられている。
【００９０】
2つのクラッチＡ，Ｂ用に、共通のディスクキャリヤーＺＹＬＡＢが設けられている。当該キャリヤーは、2つのクラッチＡ，Ｂ用にその入力エレメント（１２０，２２０）を形成する。このディスクキャリヤーＺＹＬＡＢは、幾何学的に、基本的にシリンダーの形状に形成されている。このディスクキャリヤーＺＹＬＡＢのハブ１２３は、クラッチＦの入力エレメント６２０のハブ６２３上に回転可能に取り付けられている。このディスクキャリヤーＺＹＬＡＢのディスク形状部分は、上記ハブ１２３に隣接（接続）しており、径方向外側に向かってプリシフトギヤセットの内歯歯車ＨＯ_ＶＳの直径より少し大きく２つのクラッチＡ，Ｂのディスクパック１００，２００の内径にほぼ相当する直径にまで、延伸している。ディスクキャリヤーＺＹＬＡＢの上記ディスク形状部分の外径に、１つには、クラッチＡの入力エレメント１２０に属し、軸方向にプリシフトギヤセットＶＳ方向に延伸し、その外径に（ここでは例示的に内側噛合いのスチールディスクとして形成されている）クラッチＡのディスクパック１００のインナーディスクを収容している、第１シリンダー形状部分が接続している。またもう１つには、ディスクキャリヤーＺＹＬＡＢの上記ディスク形状部分の外径に、クラッチＢの入力エレメント２２０に属し、軸方向にプリシフトギヤセットＶＳとは逆の方向に延伸し、その外径に（ここでは例示的に内側噛合いのライニングディスクとして形成されている）クラッチＢのディスクパック２００のインナーディスクを収容している、第２シリンダー形状部分が接続している。２つのクラッチＡ，Ｂ用にその入力エレメントを形成するディスクキャリヤーＺＹＬＡＢを、プリシフトギヤセットＶＳの出力エレメント−すなわち内歯歯車ＨＯ_ＶＳ−と動的に結合させるために、受容ディスク（Mitnahmescheibe）１５０が設けられている。当該受容ディスクは、プリシフトギヤセットＶＳに並行に隣接し、そのメインギヤセットから遠い側で延伸し、そして適切な結合手段を介してプリシフトギヤセットＶＳの内歯歯車ＨＯ_ＶＳ及びディスクキャリヤーＺＹＬＡＢのハブ１２３と結合されている。
【００９１】
クラッチＡの出力エレメント１３０は、アウターディスクキャリヤーとして、幾何学的には、メインギヤセットＨＳとは逆の方向に向かって開かれた深い容器の形状に形成されており、軸方向にクラッチＡのディスクパック１００及びサーボ装置１１０、プリシフトギヤセットＶＳ、及び、クラッチＥを径方向で網羅（包括）している。このアウターディスクキャリヤー１３０は、そのシリンダー形状部分のメインギヤセットから遠い端部で、（ここでは例示的に外側噛合いのライニングディスクとして形成されている）クラッチＡのディスクパック１００のアウターディスクを収容している。アウターディスクキャリヤー１３０のシリンダー形状部分のメインギヤセットに近い端部に、ディスク形状部分（「容器底」）が接続しており、クラッチＥの出力エレメント５３０に並行に隣接して径方向内側に延伸しており、そのハブ部分で第２太陽軸１４０と回転しないように結合している。この第２太陽軸１４０は、さらに、クラッチＥの出力エレメント５３０と結合されているキャリヤーシャフト５４０を包囲し、径方向にメインギヤセットＨＳの第１太陽歯車Ｓ１_ＨＳと結合された第１太陽軸２４０の内部で、軸方向にメインギヤセットＨＳ方向に延伸し、第１太陽歯車Ｓ１_ＨＳの中心を貫き、メインギヤセットＨＳの第２太陽歯車Ｓ２_ＨＳと結合している。
【００９２】
クラッチＡのディスクパック１００を作動させるために設けられているサーボ装置１１０は、ここでは例示的に、径方向にディスクキャリヤーＺＹＬＡＢのハブ１２３の上方に配置されており、常にプリシフトギヤセットＶＳの出力エレメント−つまり内歯歯車ＨＯ_ＶＳ−の回転数で回転し、当該サーボ装置１１０に属するディスクパック１００を、クラッチＡが締結する際に、軸方向にプリシフトギヤセットＶＳ（ないしはメインギヤセットＨＳ）とは逆の方向に作動させる。もちろん、単純化のためにここでは単に図式的に表示されているサーボ装置１１０は、動的な圧力調整装置を有していてもよい。サーボ装置１１０への（ここでは詳しく描写されていない）圧力材および潤滑材の供給路は、合目的的な態様で、対応する導路ないし孔を介して、部分的にギヤハウジング固定のハブＧＮ内を、部分的にクラッチＦのインナーディスクキャリヤー６２０のハブ６２３内を、そして部分的にクラッチＡ，Ｂ用の共通ディスクキャリヤーＺＹＬＡＢのハブ１２３内を延びている。
【００９３】
クラッチＡのサーボ装置１１０の空間的位置に関するその他の実施の形態の変形において、例えば、このサーボ装置１１０のピストンがクラッチＡの出力エレメント１３０の中で軸方向に移動可能に取り付けられており、そしてこのサーボ装置１１０の圧力室ないし圧力調整室が軸方向にクラッチＥの出力エレメント５３０の横の領域に配置される、ということも考慮され得る。この場合、クラッチＡのディスクパック１００のアウターディスクが外側噛合いのスチールディスクとして形成され、そして、ディスクパック１００のインナーディスクが内側噛合いのライニングディスクとして形成されることが、理にかなっている。
【００９４】
図１１に従う本発明による第１０の実施の形態の変速機のスキームのその他のギヤコンポーネントの空間的配置は、図１０に示された配置に相当しており、その限りにおいて、この場でのそれらの再度の説明は省略することができる。
【００９５】
図１２に基いて、本発明に従う第１１の実施の形態の変速機のスキームを、図９を基に説明した本発明に従う第８の実施の形態の変速機のスキームに基づいて、説明する。図９に対する根本的な変更は、2つのクラッチＢ及びＦ用の共通のディスクキャリヤーＺＹＬＢＦの構造的形態と、クラッチＢの締結時のサーボ装置２１０の作動方向と、ならびに変速機の駆動及び出力の相互に対する空間的位置と、である。図１２に示された実施の形態では、駆動軸ＡＮと出力軸ＡＢとは、もはや相互に同軸の配置ではなく、軸並行に配置されている。ギヤの出力は、ここでは、ギヤの駆動軸ＡＮと結合されている（ここでは詳しく描写されていない）駆動エンジンの近くに配置されている。メインギヤセットＨＳの出力エレメント−つまり、ここでは内歯歯車ＨＯ_ＨＳ−と結合されているギヤ出力の第１平歯車と、この第１平歯車と噛み合っているギヤ出力の第２平歯車とが、駆動エンジンに近いギヤハウジング固定のハウジング壁ＧＷに回転可能に取り付けられている。上記第２平歯車は、単純に出力軸ＡＢと結合されている。もちろん、この第２平歯車と出力軸ＡＢとの間には、ディファレンシャル（差動ギヤ）が動的に挿入されていてもよい。駆動軸ＡＮは、上記ハウジング壁ＧＷの中心を貫通する。しかしながら、この変速機のスキームは２つのクラッチＢ，Ｆを含むアッセンブリーの特別な構造上の形態のためにいわゆる「前輪駆動」車への搭載には特によく適しているものの、図１２から、当業者が、駆動軸ＡＮ及び出力軸ＡＢのこの配置を、必要であれば、設計上の特別のコストを掛けることなく、駆動軸及び出力軸の同軸配置のパワートレイン用に変更するであろう、ということが分かる。
【００９６】
図１２からさらに分かるように、メインギヤセットＨＳは、ここでは駆動エンジンの近くに配置されており、プリシフトギヤセットＶＳの結合されたキャリヤーＳＴ_ＶＳと結合される駆動軸ＡＮによって、軸方向に完全に中心を貫かれている。それに応じて、プリシフトギヤセットＶＳは、ここでは、メインギヤセットＨＳの駆動エンジンとは逆の側に配置されている。シフトエレメントＥ，Ａ，Ｃ、Ｄ−特にはこれらシフトエレメントＥ，Ａ，Ｃ，Ｄの摩擦エレメント−のプリシフトギヤセットＶＳとメインギヤセットＨＳとの間の軸方向領域における空間的位置は、図９から引き継がれた。図９と同じように、クラッチＢ，Ｆは、製造技術的に容易に前組立てが可能なアッセンブリーを形成している。当該アッセンブリーは、プリシフトギヤセットＶＳのメインギヤセットＨＳとは逆の側で、プリシフトギヤセットＶＳに隣接しており、ここでは、軸方向にプリシフトギヤセットＶＳとギヤハウジング固定のハウジングカバー（キャップ）ＧＤとの間に配置されている。このハウジングカバーＧＤは、駆動エンジンとは逆の側にあるギヤハウジングＧＧの外壁を形成している。もちろん、ハウジングカバーＧＤとギヤハウジングＧＧとは、一体に形成されていてもよい。その場合、ハウジングカバーＧＤは、ギヤハウジング固定のハブＧＮを有する。当該ハブは、軸方向にプリシフトギヤセットＶＳ方向に延伸しており、その上に２つのクラッチＢ，Ｆ用の共通ディスクキャリヤーＺＹＬＢＦが回転可能に取り付けられている。プリシフトギヤセットＶＳの太陽歯車ＳＯ_ＶＳは、ギヤハウジングＧＧのこのハブＧＮに固定されている。
【００９７】
ディスクキャリヤーＺＹＬＢＦは、２つのクラッチＢ、Ｆ用に、メインギヤセットＨＳの第１入力エレメント（太陽歯車Ｓ１_ＨＳ）と結合されるそれらの出力エレメントを形成するが、図９と異なり、2つのクラッチＢ，Ｆ用に、ここではそれぞれのディスクパック２００ないし６００のアウターディスクを収容するためのアウターディスクキャリヤーとして形成されている。それに応じて、これらのクラッチＢ、Ｆの入力エレメント２２０，６２０は、ここでは、２つともそれぞれのディスクパック２００ないし６００のインナーディスクを収容するためのインナーディスクキャリヤーとして形成されている。この場合、クラッチＢのディスクパック２００は、クラッチＦのディスクパック６００より大きな直径で配置されており、空間的に見て、ほぼ径方向にこのディスクパック６００の上方の領域に配置されている。
【００９８】
クラッチＢ，Ｆ用の共通ディスクキャリヤーＺＹＬＢＦは、幾何学的に、基本的にシリンダー形状の構造を有している。ディスクキャリヤーＺＹＬＢＦのハブは、ハウジング壁ＧＷのギヤハウジング固定のハブ上に回転可能に取り付けられている。ディスクキャリ
ヤーＺＹＬＢＦのこのハブから始まって、ほぼハブの中央で、ディスクキャリヤーＺＹＬＢＦの第１ディスク形状部分が径方向外側にほぼクラッチＦのディスクパック６００の外径まで（ここでは例示的にプリシフトギヤセットＶＳの内歯歯車ＨＯ_ＶＳのほぼ直径まで）延伸しており、このとき、ディスクキャリヤーＺＹＬＢＦのこのハブを幾何学的に２つのハブ部分６３３と２３３とに分離する。このハブ部分６３３は、軸方向にプリシフトギヤセットＶＳ方向にその太陽歯車ＳＯ_ＶＳまで延伸しており、そして−選択された用語から分かるように−クラッチＦの出力エレメントに属している。もう１つのハブ部分２３３は、クラッチＢの出力エレメントに属しており、軸方向にハウジングカバーＧＤ方向に延伸している。ディスクキャリヤーＺＹＬＢＦの上記第１ディスク形状部分の外径に、ディスクキャリヤーＺＹＬＢＦの第１シリンダー部が接続し、軸方向にプリシフトギヤセットＶＳ方向に、プリシフトギヤセットＶＳに軸方向に隣接するクラッチＦのディスクパック６００の上方まで延伸している。そして、その内径に、このディスクパック６００のアウターディスクを収容するための適切な受容部を有している。ディスクキャリヤーＺＹＬＢＦのこの第１シリンダー形状部分の外径−ここでは例示的に、空間的に見て、ほぼ当該部分の中央−に、ディスクキャリヤーＺＹＬＢＦの第２ディスク形状部分が接続しており、径方向外側に向かってクラッチＢの（径方向外側の）ディスクパック２００のほぼ外径まで延伸している。ディスクキャリヤーＺＹＬＢＦのこの第２ディスク形状部分の外径に、ディスクキャリヤーＺＹＬＢＦの第２シリンダー形状部分が接続しており、軸方向にプリシフトギヤセットＶＳ方向に、プリシフトギヤセットＶＳに隣接するクラッチＢのディスクパック２００の上方まで延伸している。そして、その内径に、このディスクパック２００のアウターディスクを収容するための適切な受容部を有している。
【００９９】
圧力室６１１、圧力調整室６１２、ピストン６１４、リターンエレメント６１３、及び、エアセンサープレート６１５を有する、クラッチＦのサーボ装置６１０は、完全にシリンダールーム内に配置されている。当該シリンダールームは、ディスクキャリヤーＺＹＬＢＦの第１ディスク形状部分と第１シリンダー形状部分とによって、基本的に径方向にハブ部分６３３の上方に形成される。ピストン６１４は、ディスクキャリヤーＺＹＬＢＦに（具体的にはハブ部分６３３とディスクキャリヤーＺＹＬＢＦの第１シリンダー形状部分とに）圧力材が漏れることなく軸方向に移動可能に取り付けられている。それに応じて、サーボ装置６１０は、常にメインギヤセットＨＳの第１入力エレメント（つまり、ここでは太陽歯車Ｓ１_ＨＳ）の回転数で回転する。サーボ装置６１０の回転する圧力室６１１の回転圧を調整するために、潤滑材を無圧で充填することが可能な圧力調整室６１２を備えた動的な圧力調整装置が設けられている。この場合、この圧力調整室６１２は、上記圧力室６１１よりもプリシフトギヤセットＶＳ（ないしはメインギヤセットＨＳ）の近くに配置されている。このとき、圧力室６１１は、ディスクキャリヤーＺＹＬＢＦのシェル（具体的には、ディスクキャリヤーＺＹＬＢＦの第１ディスク形状部分、ディスクキャリヤーＺＹＬＢＦの第１シリンダー形状部分の一部、及び、ハブ部分６３３の一部）とピストン６１４とによって形成される。圧力調整室６１２は、ピストン６１４とエアセンサープレート６１５とによって形成される。当該エアセンサープレートは、ディスクキャリヤーＺＹＬＢＦのハブ部分６３３に軸方向に固定されており、ピストン６１４に対しては、軸方向に移動可能で潤滑材が漏れないように密閉されている。ピストン６１４は、ここでは例示的にディスクスプリングとして形成されているリターンエレメント６１３を介して、軸方向にディスクキャリヤーＺＹＬＢＦのハブ部分６３３に対して初期張力が与えられている。クラッチＦを締結するために圧力室６１１を圧力材で加圧すると、ピストン６１４は軸方向にプリシフトギヤセットＶＳ（ないしはメインギヤセットＨＳ）方向に移動し、前記ピストンに属するディスクパック６００をリターンエレメント６１３のスプリング力に抗して作動させる。
【０１００】
空間的に見て、クラッチＢのサーボ装置２１０は、少なくとも大部分が径方向にディスクキャリヤーＺＹＬＢＦの第２ハブ部分２３３の上方の領域に配置されており、そしてディスクキャリヤーＺＹＬＢに軸方向に移動可能に取り付けられている。それに応じて、サーボ装置２１０もまた、常にメインギヤセットＨＳの第１入力エレメント（つまり、ここでは第１太陽歯車Ｓ１_ＨＳ）の回転数で回転する。クラッチＢのサーボ装置２１０は、圧力室２１１、圧力調整室２１２、部分的に曲折状に形成されたピストン２１４、リターンエレメント２１３、及び、エアセンサープレート２１５を有する。サーボ装置２１０の回転する圧力室２１１の回転圧を調整するために、潤滑材を無圧で充填できる圧力調整室２１２を備えた動的な圧力調整装置が設けられている。この圧力室２１１を形成するために、ディスクキャリヤーＺＹＬＢＦは、第３のシリンダー形状部分を有している。当該第３のシリンダー形状部分は、規定の直径で、ディスクキャリヤーＺＹＬＢＦの第１ディスク形状部分から始まって、軸方向にハウジング壁ＧＷ方向に延伸している。ピストン２１４は、ディスクキャリヤーＺＹＬＢＦに、具体的にはハブ部分２３３とディスクキャリヤーＺＹＬＢＦの上記第３シリンダー形状部分とに、圧力材が漏れることなく軸方向に移動可能に取り付けられている。それに応じて、この圧力室２１１は、ディスクキャリヤーＺＹＬＢＦのシェル（具体的には、ディスクキャリヤーＺＹＬＢＦの第１ディスク形状部分の一部、ディスクキャリヤーＺＹＬＢＦの第３シリンダー形状部分の一部、及び、ハブ部分２３３の一部）とピストン２１４とによって形成される。ピストンのさらなる幾何学的形状の展開の中で、このピストン２１４は、ディスクキャリヤーＺＹＬＢＦの上記第３シリンダー形状部分を軸方向及び径方向に曲折形状に包囲し、主としてディスクキャリヤーＺＹＬＢＦの外側輪郭に沿って径方向外側に向かってその外径の上方まで延伸し、クラッチＢのディスクパック２００を軸方向及び径方向に網羅している（uebergreift）。その際、このピストンと結合している作動フィンガーまたは作動リングが、ディスクパック２００のプリシフトギヤセットＶＳに向いた側から、このディスクパック２００に作用する。このとき、ピストン２１４は、ここでは例示的にディスクスプリングとして形成されているリターンエレメント２１３を介して、軸方向にディスクキャリヤーＺＹＬＢＦのハブ部分２３３に対して初期張力が与えられている。クラッチＢを締結するために圧力室２１１を圧力材で加圧すると、ピストン２１４は軸方向にプリシフトギヤセットＶＳ（ないしはメインギヤセットＨＳ）とは逆の方向に移動し、前記ピストンに属するディスクパック２００をリターンエレメント２１３のスプリング力に抗して作動させる。
【０１０１】
図９と異なり、クラッチＢのサーボ装置２１０の圧力室２１１は、ここでは、クラッチＦのサーボ装置６１０の圧力室６１１に直に隣接して配置されており、圧力室６１１からはクラッチＢ，Ｆ用の共通ディスクキャリヤーＺＹＬＢＦのシェルによってのみ分離されている。それぞれのクラッチＢ，Ｆが締結する際、この2つのサーボ装置２１０、６１０の作動方向は、この場合、異なる。圧力室２１１とディスクパック２００との空間的位置の関係で、クラッチＢは締結時に、今度は「引いて」作動される。
【０１０２】
上述したように、クラッチＢのサーボ装置２１０は、動的圧力調整装置も有している。空間的に見て、それに該当する圧力調整室２１２は、サーボ装置２１０のピストン２１４のサーボ装置２１０の圧力室２１１とは逆の側で、径方向にディスクキャリヤーＺＹＬＢＦの第３シリンダー形状部分の下方の領域に配置されている。この圧力調整室２１２は、上記ピストン２１４とエアセンサープレート２１５によって形成されている。当該エアセンサープレートは、ピストン２１４に対し、軸方向に移動可能で、潤滑材が漏れないように密閉されており、ディスクキャリヤーＺＹＬＢＦのハブ部分２３３で軸方向に固定されている。
【０１０３】
ディスクキャリヤーＺＹＬＢＦがハウジング壁ＧＷのギヤハウジング固定のハブＧＮ上に取り付けられているために、部分的に上記ハウジングハブＧＮ内を延びて部分的にディスクキャリヤーＺＹＬＢＦのハブ内を延びる対応する導路や孔（ホール）を介して、構造上比較的簡単な、両クラッチＢ，Ｆへの圧力材及び潤滑材の供給装置が生じる（得られる）。クラッチＢのサーボ装置２１０の圧力室２１１への圧力材供給装置は２１６で表示され、クラッチＢのサーボ装置２１０の圧力調整室２１２への潤滑材供給装置は２１７で表示され、クラッチＦのサーボ装置６１０の圧力室６１１への圧力材供給装置は６１６で表示され、そしてクラッチＦのサーボ装置６１０の圧力調整室６１２への潤滑材供給装置は６１７で表示されている。
【０１０４】
2つのクラッチＢ，Ｆの出力エレメントを形成するディスクキャリヤーＺＹＬＢＦと、メインギヤセットＨＳの太陽歯車Ｓ１_ＨＳと、の間で、回転数およびトルクを伝達するために、シリンダー形状の結合エレメントZYLが設けられている。当該エレメントは、幾何学的には、メインギヤセットＨＳ方向に向かって開かれた深い容器として形成されている。この結合エレメントZYLの容器底は、ハウジングカバーＧＤとクラッチＢのサーボ装置２１０のピストン２１４との間で径方向に延伸し、特に径方向外側の範囲では、おおむねこのピストン２１４の輪郭に適合している。これは、表示された例では何度も曲折した輪郭となっているが、しかし、基本的には依然としてディスク形状の輪郭である。その結果、容器底の径方向外側の端部は、ここでは例示的に、ほぼ径方向にディスクキャリヤーＺＹＬＢＦの第１ディスク形状部分の上方にある。ハウジング壁ＧＷも、より大きな径に向かって軸方向にプリシフトギヤセットＶＳ方向に面取りされている。これがまた「前輪駆動」車に変速機を組み込むためには特に有利である。何故なら、この変速機のために使用できる取付け空間は、通常、車両の前後方向のフレームによって、明らかに制限されているからである。結合エレメントZYLの容器底は、そのハブ部分において、ディスクキャリヤーＺＹＬＢＦのハブないしハブ部分２３３のハウジングカバー側の端部と、回転しないように、ここでは例示的に適切な受容部を介してインターロック式に、結合されている。ピストン２１４の外径より大きい容器底の外径で、シリンダー形状の結合エレメントZYLのリング状のシェルが当該容器底に接続しており、軸方向にメインギヤセットＨＳ方向に延伸し、（基本的に径方向に上下に配置されている）クラッチＢ，Ｆのディスクパック２００と６００、プリシフトギヤセットＶＳ、ならびにクラッチＥ，Ａを軸方向に完全に網羅して（uebergreift）いる。シリンダー形状の結合エレメントZYLは、そのメインギヤセットに近い端部で、空間的に見て、軸方向にクラッチＡのディスクパック１００とブレーキＣのディスクパック３００との間の範囲で、受容プレート（Mitnahmeblech）２５０と回転しないように、例えば適切な受容部を介してインターロック式に、結合されている。この受容プレート（Mitnahmeblech）２５０は、さらにまたインナーディスクキャリヤーとして形成されているブレーキＣの出力エレメント３３０と結合されている。ブレーキＣの出力エレメント３３０は、さらに軸方向にクラッチＡの出力エレメント１３０に隣接して、径方向内側に向かって延伸し、そのハブ部分で太陽軸２４０と回転しないように結合されている。この太陽軸２４０は、さらにメインギヤセットＨＳのプリシフトギヤセットに近い太陽歯車Ｓ１_ＨＳと結合している。
【０１０５】
もう１つ別の実施の形態では、例えば、−ブレーキＣのディスクパック３００の空間的位置がクラッチＡとブレーキＤとの間の軸方向の範囲で変わらない場合−、シリンダー形状の結合エレメントZYLが同時にそのブレーキのインナーディスクキャリヤー３３０を形成する、ということも考慮され得る。また、ブレーキＣのディスクパック３００が径方向に結合エレメントZYLの外径の下方に位置している場合、以前に容器底として表示された結合エレメントZYLの部分は、分離したコンポーネントとして形成されなければならない。しかし、ブレーキＣは、もちろん、結合エレメントZYLの外径より大きい径で配置されていてもよい。さらにもう１つ別の実施の形態では、ブレーキＣは空間的に見て、プリシフトギヤセットＶＳのメインギヤセットＨＳとは逆の側に配置されていてもよい。例えば、径方向にクラッチＢの上方の領域、あるいは、ハウジングカバーＧＤと結合エレメントZYLの容器底との間で径方向にクラッチＢのサーボ装置２１０の圧力調整室２１２の上方の領域である。
【０１０６】
図１３に基づいて、本発明に従う第１２の実施の形態の変速機のスキームを、図９を基に説明した本発明に従う第８の実施の形態の変速機のスキームに基づいて、説明する。図９に対する本質的な相違は、2つのクラッチＢ及びＦ用の共通ディスクキャリヤーＺＹＬＢＦの構造的形態と、2つのクラッチＢ及びＦのディスクパック２００，６００の相互に対する配置と、に関する。図１３に表示された例では、2つのクラッチＢ及びＦを含む前組立てが可能なアッセンブリーは、変更されずに、プリシフトギヤセットＶＳのメインギヤセットＨＳとは逆の側で、軸方向にプリシフトギヤセットＶＳとギヤハウジング固定のハウジング壁ＧＷとの間の範囲に配置されている。2つのクラッチＢ，Ｆを含むこのアッセンブリーは、この2つのクラッチＢ，Ｆ用の共通ディスクキャリヤーＺＹＬＢＦ、この2つのクラッチＢ，Ｆのディスクパック２００及び６００、ならびにこれらディスクパック２００、６００を作動させるためのサーボ装置２１０及び６１０も、変わらずに有している。図９との本質的な相違は、クラッチＢのディスクパック２００が、ここではクラッチＦのディスクパック６００よりも小さな径で、空間的に見て、このディスクパック６００の径方向下側の範囲に配置されている、ということである。このとき、径方向に上下に配置されている2つのディスクパック２００及び６００は、ここでは、プリシフトギヤセットＶＳとは逆の、ないしは、ギヤハウジング固定のハウジング壁ＧＷに向いている、前記アッセンブリーの側に配置されている。
【０１０７】
２つのクラッチＢ，Ｆ用の共通ディスクキャリヤーＺＹＬＢＦは、それらの出力エレメントを形成しており、クラッチＦ用には（径方向外側の）ディスクパック６００の内側噛合いディスクを収容するためのインナーディスクキャリヤーとして、そしてクラッチＢ用には（径方向内側の）ディスクパック２００の外側噛合いディスクを収容するためのアウターディスクキャリヤーとして形成されている。それに応じて、プリシフトギヤセットＶＳの結合されたキャリヤーＳＴ_ＶＳと結合され、そしてこのキャリヤーＳＴ_ＶＳを介して駆動軸ＡＮと結合された、クラッチＦの入力エレメント６２０は、このクラッチＦのディスクパック６００の外側噛合いディスクを収容するためのアウターディスクキャリヤーとして形成されている。プリシフトギヤセットＶＳの内歯歯車ＨＯ_ＶＳと結合されたこのクラッチＢの入力エレメント２２０は、このクラッチＢのディスクパック２００の内側噛合いインナーディスクを収容するためのインナーディスクキャリヤーとして形成されている。アッセンブリーのプリシフトギヤセットＶＳとは逆の側ないしはギヤハウジング固定のハウジング壁ＧＷに向いている側で、径方向に上下に配置されている２つのディスクパック２００，６００の空間的位置に応じて、クラッチＢの入力エレメント２２０は、このとき、クラッチＦの入力エレメント６２０及び（径方向外側の）ディスクパック６００、ならびにクラッチＢの（径方向内側の）ディスクパック２００を、軸方向と径方向に完全に包囲している。
【０１０８】
クラッチＢ，Ｆ用の共通ディスクキャリヤーＺＹＬＢＦは、幾何学的には、基本的にシリンダー形状の構造を有しており、ハウジング壁ＧＷから始まって変速機内部で軸方向にプリシフトギヤセットＶＳ方向に延伸しているギヤハウジング固定のハブＧＮ上に回転可能に取り付けられている。このハブＧＮには、プリシフトギヤセットＶＳの太陽歯車ＳＯ_ＶＳが適切な結合具（接続具）を介して固定されている。もちろん、ハブＧＮとハウジング壁ＧＷは、一体に形成されていてもよい。例えばハブＧＮは、パワーフローの中で変速機の駆動軸と駆動エンジンとの間に配置されたトルクコンバーターのステータシャフト（Leitradwelle）であってもよい。ディスクキャリヤーＺＹＬＢＦの外径には、第１シリンダー形状部分が設けられており、その内径にはクラッチＢのディスクパック２００の外径が配置され、その外径にはクラッチＦのディスクパック６００のインナーディスクが配置されている。この場合、2つのディスクパック６００および２００は−上述のように−ギヤハウジング固定のハウジング壁ＧＷの近くに配置されている。ディスクキャリヤーＺＹＬＢＦの上記第１シリンダー形状部分のプリシフトギヤセットに近い端部、つまり、ディスクパック２００のプリシフトギヤセットに近い側、から始まって、ディスクキャリヤーＺＹＬＢＦのディスク形状部分の少なくとも大部分が、径方向の内側に向かってディスクキャリヤーＺＹＬＢＦのハブまで延伸している。この場合、このハブは、２つのハブ部分６３３と２３３に分割されている。ディスクキャリヤーＺＹＬＢＦのディスク形状部分の内径から始まって、ハブ部分６３３は、軸方向にプリシフトギヤセットＶＳ方向に延伸し、−選択された用語から分かるように−クラッチＦの出力エレメントに属している。もう１つのハブ部分２３３は、クラッチＢの出力エレメントに属しており、ディスクキャリヤーＺＹＬＢＦのディスク形状部分の内径から始まって、軸方向にハウジング壁ＧＷ方向に延伸している。
【０１０９】
径方向外側のディスクパック６００を作動させるためのクラッチＦのサーボ装置６１０は、圧力室６１１、圧力調整室６１２、部分的に曲折状に形成されたピストン６１４、リターンエレメント６１３、及び、部分的にシリンダー形状の支持プレート６１８、を有しており、基本的に径方向にディスクキャリヤーＺＹＬＢＦの（プリシフトギヤセットに近い）ハブ部分６３３の上方に配置されている。ピストン６１４は、ディスクキャリヤーＺＹＬＢＦに、軸方向に移動可能に取り付けられている。それに応じて、サーボ装置６１０は、常に、メインギヤセットＨＳの第１入力エレメント（つまり、ここでは第１太陽歯車Ｓ１_ＨＳ）の回転数で回転する。サーボ装置６１０の回転する圧力室６１１の回転圧を調整するために、潤滑材を無圧で充填できる圧力調整室６１２を備えた動的圧力調整装置が設けられている。この場合、上記圧力室６１１は、この圧力調整室６１２よりもプリシフトギヤセットＶＳ（ないしはメインギヤセットＨＳ）の近くに配置されている。圧力室６１１を形成するために、支持プレート６１８が、ディスクキャリヤーＺＹＬＢＦのハブ部分６３３のプリシフトギヤセットに近い端部で、このハブ部分６３３に圧力材が漏れないように固定され、且つ、軸方向にロック（固定）されている。支持プレート６１８のシリンダー形状部分は、この場合、軸方向にプリシフトギヤセットＶＳとは逆の方向に延伸している。サーボ装置６１０のピストン６１４は、この支持プレート６１８のシリンダー形状部分に抗して、また、ディスクキャリヤーＺＹＬＢＦのハブ部分６３３に抗して、軸方向に移動可能であると共に圧力材が漏れないように密閉されており、そして、この領域で曲折形状の輪郭を有している。これに応じて、サーボ装置６１０の圧力室６１１は、ピストン６１４、支持プレート６１８のシリンダー形状部分、支持プレート６１８の当該シリンダー形状部分の径方向下側にある支持プレート６１８のディスク形状部分、ならびに、ディスクキャリヤーＺＹＬＢＦのハブ部分６３３の一部、によって形成される。サーボ装置６１０の圧力調整室６１２を形成するために、ディスクキャリヤーＺＹＬＢＦは、支持プレート６１８のシリンダー形状部分の直径よりも大きく規定された直径上に、第２シリンダー形状部分を有している。当該部分は、ここでは例示的に一体のディスクキャリヤーＺＹＬＢＦになっているディスク形状部分から始まって、軸方向にプリシフトギヤセットＶＳ方向に延伸している。この領域で曲折形状のピストン６１４は、ディスクキャリヤーＺＹＬＢＦのこの第２シリンダー形状部分に対して軸方向に移動可能であり、且つ、潤滑材が漏れないよう密閉されている。それに応じて、圧力調整室６１２は、ピストン６１４、ディスクキャリヤーＺＹＬＢＦの上記第２シリンダー形状部分、及び、ディスクキャリヤーＺＹＬＢＦのこの第２シリンダー形状部分の径方向下側にあるディスクキャリヤーＺＹＬＢＦのディスク形状部分、によって形成される。ピストン６１４は、その更なる幾何学的形状の展開において、少なくとも大部分が、ディスクキャリヤーＺＹＬＢＦの径方向上側領域の外郭に沿って、径方向の外側に向かって、そして、軸方向にハウジング壁ＧＷ方向に、当��ピストンに属するクラッチＦのディスクパック６００のプリシフトギヤセットに近い側まで、延伸する。ピストン６１４には、ここでは例示的にディスクキャリヤーＺＹＬＢＦのディスク形状部分とピストン６１４との間で軸方向に配置されたコイルスプリングパックとして形成されているリターンエレメント６１３によって、軸方向にあらかじめ初期張力が与えられる。クラッチＶを締結するために、圧力材で圧力室６１１を加圧すると、ピストン６１４は、軸方向にハウジング壁ＧＷ方向（ないしは軸方向にプリシフトギヤセットＶＳ及びメインギヤセットＨＳとは逆の方向）に移動し、前記ピストンに属するディスクパック６００をリターンエレメント６１３のスプリング力に抗して作動させる。ピストン６１４は、２つのクラッチＢ，Ｆ用の共通ディスクキャリヤーＺＹＬＢＦを、ほぼ完全に包囲する。
【０１１０】
クラッチＦのサーボ装置６１０は、空間的に見て、クラッチＢのサーボ装置２１０よりメインギヤセットＨＳ及びプリシフトギヤセットＶＳの近くに配置されている。圧力室２１１、圧力調整室２１２、ピストン２１４、リターンエレメント２１３、及び、エアセンサープレート２１５を有する、クラッチＢのサーボ装置２１０は、完全にシリンダールーム内に配置されている。当該シリンダールームは、ディスクキャリヤーＺＹＬＢＦのハウジング壁に近い第１シリンダー形状部分とディスク形状部分とによって、基本的に（プリシフトギヤセットから遠い）ハブ部分２３３の径方向上側に、形成される。ピストン２１４は、ディスクキャリヤーＺＹＬＢＦに軸方向に移動可能に取り付けられている。それに応じて、サーボ装置２１０も、常にメインギヤセットＨＳの第１入力エレメント（つまり、ここでは第１太陽歯車Ｓ１_ＨＳ）の回転数で回転する。サーボ装置２１０の回転する圧力室２１１の回転圧を調整するために、潤滑材を無圧で充填できる圧力調整室２１２を備えた動的圧力調整装置が設けられている。この場合、上記圧力室２１１は、この圧力調整室２１２よりもプリシフトギヤセットＶＳ（ないしはメインギヤセットＨＳ）の近くに配置されている。このとき、圧力室２１１は、ディスクキャリヤーＺＹＬＢＦのシェル（具体的には、ディスクキャリヤーＺＹＬＢＦのハウジング壁に近い第１シリンダー形状部分の一部、ディスクキャリヤーＺＹＬＢＦのディスク形状部分、及び、ディスクキャリヤーＺＹＬＢＦのハウジング壁に近いハブ部分２３３の一部）とピストン２１４とによって形成される。圧力調整室２１２は、ピストン２１４とエアセンサープレート２１５とによって形成される。当該エアセンサープレートは、ディスクキャリヤーＺＹＬＢＦのハブ部分２３３に軸方向に固定されており、ピストン２１４に対して、軸方向に移動可能で、且つ、潤滑材が漏れないよう密閉されている。クラッチＢのサーボ装置２１０の圧力室２１１は、このサーボ装置２１０の圧力調整室２１２よりプリシフトギヤセットＶＳ（ないしはメインギヤセットＨＳ）の近くに配置されている。この場合、クラッチＢの圧力室２１１とクラッチＦのサーボ装置６１０の圧力調整室６１２とは、互いに直に隣接して配置されていて、２つのクラッチＢ，Ｆ用の共通ディスクキャリヤーＺＹＬＢＦのシェルによってのみ互いから分離されている。サーボ装置２１０のピストン２１４は、ここでは例示的にディスクスプリングとして形成されているリターンエレメント２１３を介して、軸方向にディスクキャリヤーＺＹＬＢＦのハブ部分２３３に対して初期張力が与えられている。クラッチＢを締結するために、圧力室２１１を圧力材で加圧すると、ピストン２１４は、軸方向にプリシフトギヤセットＶＳ（ないしはメインギヤセットＨＳ）とは逆の方向に移動し、当該ピストンに属するディスクパック２００をリターンエレメント２１３のスプリング力に抗して作動させる。
【０１１１】
ディスクキャリヤーＺＹＬＢＦがギヤハウジング固定のハブＧＮ上に取り付けられているために、部分的に上記ハウジングハブＧＮ内を延びて、部分的にディスクキャリヤーＺＹＬＢＦのハブ内を延びる対応する導路や孔を介して、構造的に比較的簡単な両クラッチＢ，Ｆへの圧力材及び潤滑材の供給装置が生じる。クラッチＢのサーボ装置２１０の圧力室２１１への圧力材供給装置は２１６で表示され、クラッチＢのサーボ装置２１０の圧力調整室２１２への潤滑材供給装置は２１７で表示され、クラッチＦのサーボ装置６１０の圧力室６１１への圧力材供給装置は６１６で表示され、そしてクラッチＦのサーボ装置６１０の圧力調整室６１２への潤滑材供給装置は６１７で表示されている。
【０１１２】
上述したように２つのクラッチＢ，Ｆの出力エレメントを形成するディスクキャリヤーＺＹＬＢＦを、メインギヤセットＨＳの第１入力エレメント−ここではつまり、例示的にラビニヨ遊星歯車セットとして形成されているメインギヤセットＨＳのプリシフトギヤセットに近い太陽歯車Ｓ１_ＨＳ−と結合するために、図１２の場合と同様、シリンダー形状の結合エレメントＺＹＬが備えられている。当該エレメントは、幾何学的には、メインギヤセットＨＳ方向に向かって開かれた深い容器として形成されている。この結合エレメントＺＹＬの基本的にディスク形状の容器底は、軸方向にハウジング壁ＧＷに隣接しており、基本的にこのハウジング壁ＧＷに並行に径方向に延伸し、そして軸方向にはハウジング壁ＧＷとクラッチＢの入力エレメント（インナーディスクキャリヤー）２２０のディスク形状部分との間を延伸し、クラッチＢ，Ｆの径方向で上下に配置されたディスクパック２００，６００のプリシフトギヤセットから遠い側を延びる。結合エレメントＺＹＬの容器底は、その内径でディスクキャリヤーＺＹＬＢＦのハブと、回転しないように、表示された形態では適切な受容部を介してハブ部分２３３のハウジング壁側の端部でインターロック式に、結合されている。クラッチＦのディスクパック６００及びアウターディスクキャリヤー６２０の外径より大きい径の容器底の外径で、シリンダー形状の結合エレメントＺＹＬのリング形状のシェルがこの容器底に接しており、そして軸方向にメインギヤセットＨＳ方向に延伸しており、このとき、（基本的に径方向に上下に配置されている）クラッチＢ及びＦのディスクパック２００及び６００、プリシフトギヤセットＶＳ、ならびにクラッチＥ及びＡ、を軸方向に完全に網羅して（uebergreift）いる。シリンダー形状の結合エレメントＺＹＬは、そのメインギヤセットに近い端部で、受容プレート（Mitnahmeblech）２５０と、回転しないように、例えば適切な受容部を介してインターロック式に、結合されている。この受容プレート（Mitnahmeblech）２５０は、軸方向にクラッチＡの出力エレメント１３０とブレーキＣの出力エレメント３３０との間の範囲で延伸し、そしてその内径の範囲で太陽軸２４０と回転しないように結合されている。この太陽軸２４０は、さらにメインギヤセットＨＳのプリシフトギヤセットに近い太陽歯車Ｓ１_ＨＳと結合している。当然のことながら、このディスクキャリヤーＺＹＬＢＦの太陽歯車Ｓ１_HＳへの動的結合の構造的解決策は、例示として考えることができ、例えば、考えられる別の構造的解決策は、既に図１２で説明した。
【０１１３】
図１３に基づいた、本発明に従う第１２の実施の形態の変速機のスキームのその他のギヤコンポーネントの空間的配置は、図９で示された配置に相当する。その限りにおいて、この場でのそれらの再度の説明は省略することができる。
【０１１４】
図１４に基づいて、本発明に従う第１３の実施の形態の変速機のスキームを、前の図１３を基に説明した本発明に従う第１２の実施の形態の変速機のスキームに基づいて、説明する。この場合、図１３に対する変更は、2つのクラッチＢ及びＦ用の共通ディスクキャリヤーＺＹＬＢＦの構造的形態と、これら2つのクラッチＢ及びＦのサーボ装置２１０，６１０の空間的位置とのみに関する。この限りにおいて、この場でのその他のギヤコンポーネントの再度の説明は省略することができる。図１４から分かるように、図１０に基づいて説明された２つのクラッチＢ，Ｆを含むアッセンブリーの径方向に上下に配置されたサーボ装置の原理は、２つのクラッチＢ，Ｆ用の共通ディスクキャリヤーＺＹＬＢＦの本実施の形態に応用された。本実施の形態では、クラッチＦのディスクパック６００が、径方向にクラッチＢのディスクパック２００の上方に配置されており、そして２つのディスクパック２００，６００は、前記アッセンブリーのプリシフトギヤセットＶＳとは逆の側に配置されている。
【０１１５】
ここではクラッチＦのサーボ装置６１０は、空間的に見て、径方向にクラッチＥのサーボ装置２１０の上方に配置されている。この場合、（径方向外側の）サーボ装置６１０の圧力室６１１は、ほぼ径方向に（径方向内側の）サーボ装置２１０の圧力室２１１の上方に配置されており、そして（径方向外側の）サーボ装置６１０の動的圧力調整の圧力調整室６１２は、ほぼ径方向に（径方向内側の）サーボ装置２１０の動的圧力調整の圧力調整室２１２の上方に配置されている。このとき、圧力室２１１，６１１は、それぞれの圧力調整室２１２，６１２より、プリシフトギヤセットＶＳ（ないしメインギヤセットＨＳ）の近くに配置されている。
【０１１６】
図１４からさらに分かるように、２つのクラッチＢ、Ｆ用の共通ディスクキャリヤーＺＹＬＢＦは、幾何学的には、ハウジング壁ＧＷ方向に開かれた深い容器の形状に形成されている。このディスクキャリヤーＺＹＬＢＦの外径には、段付きシリンダー形状部分が設けられており、そのハウジング壁に近い端部の内径には（径方向内側の）クラッチＢのディスクパック２００のアウターディスクが配置され、それの外径には（径方向外側の）クラッチＦのディスクパック６００のインナーディスクが配置されている。２つのディスクパック６００、２００は、ハウジング壁ＧＷに隣接して配置されている。ディスクキャリヤーＺＹＬＢＦの段付きシリンダー形状部分のプリシフトギヤセットに近い端部から始まって、ディスクキャリヤーＺＹＬＢＦのディスク形状部分が、プリシフトギヤセットＶＳの結合されたキャリヤーＳＴ_ＶＳに隣接して径方向内側に向かってディスクキャリヤーＺＹＬＢＦのハブ２３３にまで延伸している。このハブ２３３は、ディスクキャリヤーＺＹＬＢＦのディスク形状部分の内径から始まって、軸方向にハウジング壁ＧＷ方向に延伸し、プリシフトギヤセットＶＳの太陽歯車ＳＯ_ＶＳも固定されているギヤハウジング固定のハブＧＮ上に、回転可能に取り付けられている。
【０１１７】
クラッチＢのサーボ装置２１０は、ディスクキャリヤーＺＹＬＢＦの段付きシリンダー形状部分とディスク形状部分とによって形成されるシリンダー空間の内部に完全に配置されており、それに応じて、メインギヤセットＨＳの第１入力エレメント（つまり、ここでは第１太陽歯車Ｓ１_ＨＳ）の回転数で常に回転する。この場合、このサーボ装置２１０は、圧力室２１１、圧力調整室２１２、ピストン２１４、リターンエレメント２１３、そしてエアセンサープレート２１５を有する。ピストン２１４は、ディスクキャリヤーＺＹＬＢＦの中で圧力材を漏らさないように軸方向に移動可能に取り付けられており、ここでは例示的にディスクスプリングとして形成されているリターンエレメント２１３を介して、軸方向にディスクキャリヤーＺＹＬＢＦのハブ部分２３３に対して初期張力が与えられている。圧力室２１１は、ピストン２１４とディスクキャリヤーＺＹＬＢＦの内側シェルの一部とで形成される。回転する圧力室２１１の回転圧を調整するために、圧力調整室２１２は、圧力室２１１のプリシフトギヤセットＶＳとは逆の側に配置されており、そしてピストン６１４とエアセンサープレート２１５とによって形成されている。
【０１１８】
クラッチＢのサーボ装置２１０の圧力材及び潤滑材の供給は、構造的に比較的簡単な方法でギヤハウジング固定のハブＧＮを介して行われる。その場合、対応する導路ないし孔は、部分的には上記ハウジングハブＧＮ内を走り（延びて）、部分的にはディスクキャリヤーＺＹＬＢＦのハブ２３３内を走る（延びる）。クラッチＢのサーボ装置２１０の圧力室２１１への圧力材供給装置は２１６で表示され、クラッチＢのサーボ装置２１０の圧力調整室２１２への潤滑材供給装置は２１７で表示される。圧力室２１１が、クラッチＢを締結するために、圧力材で加圧されると、ピストン２１４は、軸方向にプリシフトギヤセットＶＳ（ないしはメインギヤセットＨＳ）とは逆の方向に移動し、ピストンに属するディスクパック２００をリターンエレメント２１３のスプリング力に抗して作動させる。  
すでに述べたように、（径方向外側の）クラッチＦのサーボ装置６１０は、空間的に見て、（径方向内側の）クラッチＢのサーボ装置２１０の径方向上方の領域に配置されている。このサーボ装置６１０は、圧力室６１１、圧力調整室６１２、ピストン６１４、リターンエレメント６１３、そして支持プレート６１８を有する。このとき、（径方向外側の）サーボ装置６１０の圧力室６１１は、少なくともほぼ径方向に（径方向内側の）サーボ装置２１０の圧力室２１１の上方に配置され、そして（径方向外側の）サーボ装置６１０の圧力調整室６１２は、少なくともほぼ径方向に（径方向内側の）サーボ装置２１０の圧力調整室２１２の上方に配置されている。圧力室６１１は、ピストン６１４、支持プレート６１８、そしてディスクキャリヤーＺＹＬＢＦの外側シェルの一部、で形成される。このために、支持プレート６１８は、幾何学的には、ディスクパック６００方向（ないしはハウジング壁ＧＷ方向）に向かって開かれた深い容器の形に形成されており、そのシェルは、ピストン６１４の外側を包囲しており、その容器底は、その内径で、ディスクキャリヤーＺＹＬＢＦのディスク形状部分の外径に圧力材が漏れないように固定されている。図示された例では、支持プレート６１８をディスクキャリヤーＺＹＬＢＦに固定するために、圧力材が漏れないよう密閉された受容部（Mitnahmeprofil）と、軸方向に固定するためのロックリングと、が設けられている。これによって、ピストン６１４は、支持プレート６１８のシリンダー形状部分の内径と、ディスクキャリヤーＺＹＬＢＦの段付きシリンダー形状部分の外径と、の間で、圧力材が漏れないように軸方向に移動可能に取り付けられており、リターンエレメント６１３を介して軸方向にディスクキャリヤーＺＹＬＢＦに抗して初期張力が与えられている。リターンエレメント６１３は、ここでは例示的に、リング状に配置されたコイルスプリングから成るスプリングパックとして形成されている。
【０１１９】
クラッチＦのサーボ装置６１０の圧力室６１１への圧力材供給装置６１６は、部分的にギヤハウジング固定のハブＧＮ内を延びて、そして部分的にディスクキャリヤーＺＹＬＢＦ内を延びている。（径方向外側の）クラッチＦのサーボ装置６１０の圧力調整室６１２は、ここでは全長（構造上の長さ）を短縮する方法で、（径方向内側の）クラッチＢのサーボ装置２１０の圧力調整室２１２を直接経由して潤滑材が無圧で充填される。このために、（径方向内側の）サーボ装置２１０のピストン２１４の外径には、少なくとも１つのラジアルホールが設けられている。当該ホールは、一方でサーボ装置６１０の圧力調整室２１２に通じ、他方でディスクキャリヤーＺＹＬＢＦの段付きシリンダー形状部分の内径上で外側に向かって潤滑材が漏れないよう密閉された環状導路に通じている。さらに、ディスクキャリヤーＺＹＬＢＦの段付きシリンダー形状部分の中では、少なくとも１つのラジアルホールが設けられており、当該ホールは、一方でディスクキャリヤーＺＹＬＢＦの段付きシリンダー形状部分の内径上で上記環状導路に通じており、他方で（径方向外側の）サーボ装置６１０の圧力調整室６１２に通じている。２つの圧力調整室２１２と６１２の間の該当するホール（孔）や導路は、図１４では６１７で表示されている。サーボ装置６１０の圧力室６１１が、クラッチＦを締結するために、圧力材で満たされると、ピストン６１４は、軸方向にハウジング壁ＧＷ方向（ないしは軸方向にプリシフトギヤセットＶＳ及びメインギヤセットＨＳとは逆の方向）に移動し、ピストンに属するディスクパック６００をリターンエレメント６１３のスプリング力に抗して作動させる。
【０１２０】
２つのクラッチＢ、Ｆの出力エレメントを形成するディスクキャリヤーＺＹＬＢＦをメインギヤセットＨＳのプリシフトギヤセットに近い太陽歯車Ｓ１_ＨＳと結合するために、シリンダー形状の結合エレメントＺＹＬが設けられている。当該エレメントは、幾何学的に、ハウジング壁ＧＷ方向に向かって開かれた深い容器として形成されている。この結合エレメントＺＹＬの容器底は、軸方向にクラッチＡの出力エレメント１３０とブレーキＣの出力エレメント３３０との間を延伸し、そしてその内径の領域で太陽軸２４０と回転しないように結合されている。この太陽軸２４０は、さらに、ブレーキＣの出力エレメント３３０とも、またメインギヤセットＨＳのプリシフトギヤセットに近い太陽歯車Ｓ１_ＨＳとも、結合している。クラッチＡの外径より大きい結合エレメントＺＹＬの容器底の外径で、結合エレメントＺＹＬのリング形状のシェルがこの容器底に接しており、軸方向にハウジング壁ＧＷ方向に延伸し、このとき、２つのクラッチＡ及びＥ、プリシフトギヤセットＶＳ、ならびにクラッチＦ（それと共に径方向にクラッチＦの下に配置されているクラッチＢも）、を軸方向に完全に網羅している（uebergreift）。シリンダー形状の結合エレメントＺＹＬは、そのハウジング壁に近い端部で、クラッチＢのサーボ装置２１０のエアセンサープレート２１５と回転しないように結合されている。図１４で分かるように、エアセンサープレート２１５の径方向外側部分は、結合エレメントＺＹＬに対する結合領域で、軸方向にハウジング壁ＧＷとクラッチＢの入力エレメント（インナーディスクキャリヤー）２２０のディスク形状部分との間を延伸する。当該径方向外側部分は、クラッチＢ，Ｆの径方向に上下に配置されたディスクパック２００，６００のプリシフトギヤセットから遠い側を延びている。その内径で、エアセンサープレートは−上述したように−トルク誘導受容部を介してディスクキャリヤーＺＹＬＢＦのハブ２３３と回転しないように結合している。
【０１２１】
図１５に基づいて、本発明に従う第１４の実施の形態の例示的な変速機のスキームを説明する。前に説明した本発明に従う変速機のスキームないし部品配置と同様、２つのクラッチＢ及びＦは、製造技術上有利な方法で、前組立てが可能なアッセンブリーを形成している。当該アッセンブリーは、プリシフトギヤセットＶＳのメインギヤセットＨＳとは逆の側に配置されていて、空間的に見て、軸方向には、変速機のプリシフトギヤセットＶＳとギヤハウジング固定の外壁ＧＷとの間に配置されており、径方向には、この外壁ＧＷとプリシフトギヤセットＶＳとの間で軸方向に延伸するギヤハウジング固定のハブＧＮの上方に、配置されている。このアッセンブリーは、２つのクラッチＢ，Ｆ用のアウターディスクキャリヤーとして形成されている共通ディスクキャリヤーＺＹＬＢＦと、クラッチＢのディスクパック２００と、このディスクパック２００に属するクラッチＢのサーボ装置２１０と、クラッチＦのディスクパック６００と、このディスクパック６００に属するクラッチＦのサーボ装置６１０と、クラッチＢのインナーディスクキャリヤー２２０と、クラッチＦのインナーディスクキャリヤー６２０と、を有する。この場合、１つには、この２つのクラッチＢ，Ｆのディスクパック２００，６００が軸方向に横並びに配置されており、クラッチＢのディスクパック２００は、クラッチＦのディスクパック６００よりプリシフトギヤセットＶＳ（ないしメインギヤセットＨＳ）の近くに配置されている。もう１つには、２つのクラッチＢ，Ｆのサーボ装置２１０，６１０が、少なくとも大部分が同様に軸方向に横並びに配置されており、クラッチＦのサーボ装置６１０（ディスクパック６００に直接作用するこのサーボ装置６１０のプレッシャーディスクの上まで）は、クラッチＢのサーボ装置２１０よりプリシフトギヤセットＶＳ（ないしメインギヤセットＨＳ）の近くに配置されている。これについては、後にさらに詳しく説明する。ディスクキャリヤーＺＹＬＢＦは、２つのクラッチＢ，Ｆ用にそれらの出力エレメントを形成し、そして所与の動的結合に応じて、メインギヤセットＨＳの第１入力エレメント（つまり、ここでは第１太陽歯車Ｓ１_ＨＳ）と回転しないように結合される。これについても同様に、後にさらに詳しく説明する
クラッチＢ，Ｆ用の共通のディスクキャリヤーＺＹＬＢＦは、幾何学的には、基本的にシリンダー形状の構造を有しており、ハウジング壁ＧＷから始まって変速機内部で軸方向にプリシフトギヤセットＶＳ方向に延伸しているギヤハウジング固定のハブＧＮ上に回転可能に取り付けられている。このハブＧＮに、プリシフトギヤセットＶＳの太陽歯車ＳＯ_ＶＳが適切な結合具を介して固定されている。図１５の実施の形態の表示と異なり、ハブＧＮとハウジング壁ＧＷとは、一体に形成されていてもよい。例えばハブＧＮは、パワーフローの中で変速機の駆動軸ＡＮと駆動エンジンとの間に配置されたトルクコンバーターのステーターシャフト（Leitradwelle）であってもよい。ディスクキャリヤーＺＹＬＢＦの外径には、シリンダー形状部分が設けられており、その内径には、クラッチＢのディスクパック２００のアウターディスク及びクラッチＦのディスクパック６００のアウターディスクが配置されている。この場合−すでに述べたように−ディスクパック２００は、ディスクパック６００よりプリシフトギヤセットＶＳの近くに配置されている。ディスクキャリヤーＺＹＬＢＦの上記シリンダー形状部分のプリシフトギヤセットに近い端部から始まって、ディスクキャリヤーＺＹＬＢＦの曲折形状部分は、径方向内側に向かってディスクキャリヤーＺＹＬＢＦのハブにまで延伸している。この場合、このハブは、２つのハブ部分６３３と２３３に分割されている。ディスクキャリヤーＺＹＬＢＦの曲折形状部分の内径から始まって、ハブ部分６３３は、軸方向にプリシフトギヤセットＶＳ方向に延伸し、−選択された用語から分かるように−クラッチＦの出力エレメントに属している。もう１つのハブ部分２３３は、クラッチＢの出力エレメントに属しており、ディスクキャリヤーＺＹＬＢＦの曲折形状部分の内径から始まって、軸方向にハウジング壁ＧＷ方向に延伸している。
【０１２２】
圧力室２１１、圧力調整室２１２、ピストン２１４、リターンエレメン２１３、及び、エアセンサープレート２１５を有する、クラッチＢのサーボ装置２１０は、ディスクキャリヤーＺＹＬＢＦによって形成されるシリンダールーム内に完全に配置されており、主に径方向にハブ部分６３３の上方に配置されている。ピストン２１４は、ディスクキャリヤーＺＹＬＢＦに圧力材が漏れないように軸方向に移動可能に取り付けられている。圧力室２１１は、ディスクキャリヤーＺＹＬＢＦの曲折形状部分の、プリシフトギヤセットＶＳとは逆の側に配置されており、ディスクキャリヤーＺＹＬＢＦのシェル（具体的には、ディスクキャリヤーＺＹＬＢＦの曲折形状部分の一部とハブ部分２３３の一部）とピストン２１４とによって形成される。サーボ装置２１０の回転する圧力室２１１の回転圧を調整するために、潤滑材を無圧で充填できる圧力調整室２１２を備えた動的な圧力調整装置が設けられている。当該圧力調整室は、ピストン２１４のプリシフトギヤセットＶＳとは逆の側に配置されている。圧力調整室２１２は、ピストン２１４及びエアセンサープレート２１５によって形成される。当該エアセンサープレートは、ディスクキャリヤーＺＹＬＢＦのハブ部分２３３のハウジング壁に近い端部で軸方向に固定されており、ピストン２１４に対向して軸方向に移動可能で、潤滑材が漏れないように密閉されている。圧力室２１１は、圧力室調整室２１２よりもプリシフトギヤセットＶＳ（ないしはメインギヤセットＨＳ）の近くに配置されている。ピストン２１４には、ここでは例示的にディスクスプリングとして形成されているリターンエレメント２１３を介して、軸方向にディスクキャリヤーＺＹＬＢＦのハブ部分２３３に対して初期張力が与えられている。クラッチＢを締結するために、圧力室２１１を圧力材で加圧すると、ピストン２１４は、軸方向にプリシフトギヤセットＶＳ（ないしはメインギヤセットＨＳ）とは逆の方向に移動し、ピストンに属するディスクパック２００をリターンエレメント２１３のスプリングの力に抗して作動させる。
【０１２３】
空間的に見て、クラッチＦのサーボ装置６１０は、少なくとも大部分が、クラッチＢのサーボ装置２１０より、プリシフトギヤセットＶＳないしメインギヤセットＨＳの近くに配置されており、空間的に見て、少なくとも大部分が、径方向にディスクキャリヤーＺＹＬＢＦのプリシフトギヤセットに近いハブ部分６３３の上方の領域に配置されている。クラッチＦのサーボ装置６１０は、圧力室６１１、圧力調整室６１２、部分的に曲折形状に形成されたピストン６１４、リターンエレメント６１３、及び、ディスク形状のエアセンサープレート６１５を有している。ピストン６１４は、幾何学的に、大部分がディスクキャリヤーＺＹＬＢＦのプリシフトギヤセットＶＳに向いた外郭（外側輪郭）に適合しており、ディスクキャリヤーＺＹＬＢＦに軸方向に移動可能に取り付けられている。この場合、ハブ部分６３３とディスクキャリヤーＺＹＬＢＦの曲折形状部分とは、ピストン６１４に対して圧力材が漏れないように密閉されている。圧力室６１１は、ディスクキャリヤーＺＹＬＢＦの曲折形状部分のプリシフトギヤセットに向いた側に配置されており、ディスクキャリヤーＺＹＬＢＦのシェル（具体的にはディスクキャリヤーＺＹＬＢＦの曲折形状部分の一部とハブ部分６３３の一部）とピストン６１４とによって形成される。ピストン６１４は、そのさらなる幾何学的形状の展開において、径方向外側にディスクキャリヤーＺＹＬＢＦの外径より大きい径にまで延伸し、軸方向に横並びに配置されている２つのディスクパック２００，６００を軸方向及び径方向で包囲し、ディスクパック６００のプリシフトギヤセットＶＳとは逆の側から、ピストンに属するクラッチＦのこのディスクパック６００に作用する。軸方向に横並びに配置されている２つのディスクパック２００，６００を包囲するピストン６１４の部分は、前にすでに「サーボ装置６１０のプレッシャーディスク」として示され、取付け可能性の理由から別個のコンポーネントとして形成されている。その一方の端部はディスクパック６００に作用し、そのもう一方の端部は、サーボ装置６１０のピストンの外径に適切な手段−例えば、インターロック式−を介して固定されている。回転対称のプレッシャーディスクの代わりに、当然のことながら、サーボ装置６１０のピストンの外径に周方向に配分されて固定される作動フィンガーも考慮され得る。サーボ装置６１０の回転する圧力室６１１の回転圧を調整するために、潤滑材を無圧で充填できる圧力調整室６１２を備えた動的な圧力調整装置が設けられている。当該圧力調整装置は、ピストン６１４のプリシフトギヤセットＶＳに向いた側に配置されている。圧力調整室６１２は、ピストン６１４及びエアセンサープレート６１５によって形成される。当該エアセンサープレートは、ディスクキャリヤーＺＹＬＢＦのハブ部分６３３のプリシフトギヤセットに近い端部で軸方向に固定されており、ピストン６１４に対して軸方向に移動可能で、潤滑材が漏れないように密閉されている。圧力調整室６１２は、圧力室６１１よりプリシフトギヤセットＶＳ（ないしメインギヤセットＨＳ）の近くに配置されている。ピストン６１４には、ここでは例示的にディスクスプリングとして形成されているリターンエレメント６１３を介して、軸方向にディスクキャリヤーＺＹＬＢＦのハブ部分６３３に対して初期張力が与えられている。この場合、このディスクスプリング６１３は、ここでは圧力調整室６１２の外側に配置されている。また、エアセンサープレート６１５の、プリシフトギヤセットＶＳに向いた側である。クラッチＦを締結するために、圧力室６１１を圧力材で加圧すると、ピストン６１４は、軸方向にプリシフトギヤセットＶＳ（ないしメインギヤセットＨＳ）方向に移動し、そして当該ピストンに属するディスクパック６００をリターンエレメント６１３のスプリング力に抗して作動させる。
【０１２４】
クラッチＦのサーボ装置６１０の圧力室６１１は、２つのクラッチＢ，Ｆ用の共通ディスクキャリヤーＺＹＬＢＦのシェルによってのみ、クラッチＢのサーボ装置２１０の圧力室２１１から分離されている。サーボ装置２１０，６１０のそれぞれに属するディスクパ
ック２００ないし６００のクラッチ締結時のサーボ装置２１０，６１０の作動方向は、逆である。
【０１２５】
ディスクキャリヤーＺＹＬＢＦがギヤハウジング固定のハブＧＮ上に取り付けられているために、部分的に上記ハウジングハブＧＮ内を延びて、部分的にディスクキャリヤーＺＹＬＢＦのハブ内を延びる対応する導路や孔を介して、構造的に比較的簡単な２つのクラッチＢ，Ｆへ圧力材や潤滑材を供給する装置が生じる。クラッチＢのサーボ装置２１０の圧力室２１１への圧力材供給装置は２１６で表示され、クラッチＢのサーボ装置２１０の圧力調整室２１２への潤滑材供給装置は２１７で表示され、クラッチＦのサーボ装置６１０の圧力室６１１への圧力材供給装置は６１６で表示され、そしてクラッチＦのサーボ装置６１０の圧力調整室６１２への潤滑材供給装置は６１７で表示されている。
【０１２６】
クラッチＦのインナーディスクキャリヤー６２０は、クラッチＦの入力エレメントを形成する。このインナーディスクキャリヤー６２０は、幾何学的には、１つのシリンダーとして形成されている。このインナーディスクキャリヤー６２０のシリンダー形状部分は、その外径にクラッチＦの（ハウジング壁に近い）ディスクパック６００の内側噛合いディスクを収容するための受容部を有しており、このディスクパック６００のプリシフトギヤセットに近い端部から始まって、軸方向にハウジング壁方向に延伸している。このインナーディスクキャリヤー６２０のディスク形状部分は、インナーディスクキャリヤー６２０の上記シリンダーリング形状部分のハウジング壁に近い端部でこれに接続し、そしてインナーディスクキャリヤー６２０のこのシリンダー形状部分から始まって、径方向外側に向かってクラッチＦのサーボ装置６１０のピストン６１５ないしプレッシャーディスクの外径より大きい径まで延伸している。インナーディスクキャリヤー６２０の上記ディスク形状部分は、その外径で、シリンダー形状の結合エレメントＺＹＬＦと回転しないように結合されており、例えば、受容部を介してインターロック式に結合されている。このシリンダー形状の結合エレメントＺＹＬＦは、さらに、少なくとも、２つのクラッチＢ，Ｆの横並びに配置されているディスクパック２００，６００及びクラッチＦのサーボ装置６１０を軸方向に完全に（そしてそれによって２つのクラッチＢ，Ｆ用の共通アウターディスクキャリヤーＺＹＬＢＦをも少なくとも大部分軸方向に）包囲し、そしてそのプリシフトギヤセットに近い端部で、プリシフトギヤセットＶＳの結合されたキャリヤーＳＴ_ＶＳのメインギヤセットＨＳとは逆のキャリヤープレートと結合している。例えば、クラッチＦのインナーディスクキャリヤー６２０とシリンダー形状の結合エレメントＺＹＬＦとが一体で形成される、ということも考慮され得る。キャリヤーＳＴ_ＶＳは、メインギヤセットＨＳに向いたそのキャリヤープレートを介して、駆動軸ＡＮと回転しないように結合されている。このため、クラッチＦのインナーディスクキャリヤーないし入力エレメント６２０は、常に駆動軸ＡＮの回転数で回転する。  
クラッチＢのインナーディスクキャリヤー２２０は、クラッチＢの入力エレメントを形成する。このインナーディスクキャリヤー２２０は、幾何学的には、１つのシリンダーとして形成されている。このインナーディスクキャリヤー２２０のシリンダー形状部分は、その外径にクラッチＢの（プリシフトギヤセットに近い）ディスクパック２００の内側噛合いディスクを収容するための収容部を有しており、このディスクパック２００のプリシフトギヤセットに近い端部から始まって、軸方向にハウジング壁方向へ、クラッチＢのサーボ装置２１０のエアセンサープレート２１５の径方向外側部分と、クラッチＦのインナーディスクキャリヤー６２０のディスク形状部分と、の間の領域にまで延伸している。このインナーディスクキャリヤー２２０のディスク形状部分は、インナーディスクキャリヤー２２０の上記シリンダーリング形状部分のハウジング壁に近い端部でこれ（シリンダーリング形状部分）に接続し、そしてインナーディスクキャリヤー２２０のこのシリンダー形状部分から始まって、軸方向にエアセンサープレート２１５の上記径方向外側部分とインナーディスクキャリヤー６２０の上記ディスク形状部分との間で、径方向外側に向かって、インナーディスクキャリヤー６２０ないしシリンダー形状の結合エレメントＺＹＬＦの外径より大きい直径にまで延伸している。インナーディスクキャリヤー２２０の上記ディスク形状部分が、その外径で、シリンダー形状の結合エレメントＺＹＬＢと回転しないように結合されている。例えば、受容部を介してインターロック式に結合されている。このシリンダー形状の結合エレメントＺＹＬＢは、さらに、シリンダー形状の結合エレメントＺＹＬＦを軸方向に完全に包囲し、プリシフトギヤセットＶＳの内歯歯車ＨＯ_ＶＳと回転しないように結合されている。これによってクラッチＢのインナーディスクキャリヤーないし入力エレメント２２０は、常に内歯歯車ＨＯ_HＳの回転数で回転する。同様に、この内歯歯車ＨＯ_HＳと回転しないように結合されているクラッチＡの入力エレメント１２０が、プリシフトギヤセットＶＳのメインギヤセットＨＳに向いた側で上記内歯歯車ＨＯ_HＳに軸方向に接続するため、クラッチＡの入力エレメント１２０（ここでは例示的にアウターディスクキャリヤー）とシリンダー形状の結合エレメントＺＹＬＢとは、例えば内歯歯車ＨＯ_ＶＳとともに、一体で形成されていてもよい。また、クラッチＢのインナーディスクキャリヤー２２０とシリンダー形状の結合エレメントＺＹＬＢとが一体で形成される、ということも考慮され得る。
【０１２７】
構造上の特殊性として、クラッチＢのサーボ装置２１０のエアセンサープレート２１５は、２つのクラッチＢ，Ｆの出力エレメントを形成するディスクキャリヤーＺＹＬＢＦと、ここでは例示的にメインギヤセットＨＳの第１入力エレメントを形成するメインギヤセットＨＳのプリシフトギヤセットに近い太陽歯車Ｓ１_ＨＳと、の間で、回転数及びトルク伝達用にも使用される。このために、エアセンサープレート２１５は、ディスクキャリヤーＺＹＬＢＦのハブのハウジング壁に近い端部で、ディスクキャリヤーＺＹＬＢＦのハブ部分２３３と回転しないように結合されており、ここでは例示的に受容部を介して結合されている。エアセンサープレート２１５は、その幾何学的形状の展開において、軸方向にはハウジング壁ＧＷに隣接して、径方向外側に向かって延伸しており、その（エアセンサープレートの）外径の領域でシリンダー形状の結合エレメントＺＹＬと結合している。例えば、受容部を介して結合している。このシリンダー形状の結合エレメントＺＹＬは、幾何学的には、ハウジング壁ＧＷ方向に向かって開かれた深い容器として形成されている。この結合エレメントＺＹＬのリング形状のシェルは、２つのクラッチＢ，Ｆのアッセンブリーないしシリンダー形状の結合エレメントＺＹＬＢ、プリシフトギヤセットＶＳ、ならびに２つのクラッチＥ，Ａ、を軸方向に完全に包囲する。この結合エレメントＺＹＬのディスク形状の容器底は、結合エレメントＺＹＬの上記リング形状のシェルに、そのメインギヤセットに近い端部で接続しており、軸方向にクラッチＡの横の領域でそのメインギヤセットＨＳに向いた側で径方向内側に延伸している。このシリンダー形状の結合エレメントＺＹＬは、その横の領域で、ブレーキＣの出力エレメント３３０とも、また（ここでは例示的にメインギヤセットＨＳの第１入力エレメントを形成する）メインギヤセットＨＳのプリシフトギヤセットに近い太陽歯車Ｓ１_ＨＳとも（太陽軸２４０を介して）、回転しないように結合されている。その結果、２つのクラッチＢ，Ｆのサーボ装置２１０，６１０は、常にこの太陽歯車Ｓ１_ＨＳの回転数で回転する。
【０１２８】
図１５に従う、本発明による第１４の実施の形態の変速機のスキームのその他のギヤコンポーネント（シフトエレメントＥ，Ａ，Ｃ，及び、Ｄ，メインギヤセットＨＳ）の空間的配置、形態、及び、動的結合は、図９に示された配置に相当している。その限りにおいて、この場でのそれらの再度の説明は省略することができる。
【０１２９】
図１６に従う、本発明による部品配置の第１５の実施の形態の場合、−図１Ａ及び図１Ｂに従う類に準じたギヤセットスキームとの関連で−、シフトエレメントＢ，Ｆ及びＣを有するアッセンブリーが、少なくとも大部分がプリシフトギヤセットＶＳのメインギヤセットＨＳとは逆の側に配置されており、空間的に見て、少なくとも大部分が軸方向にプリシフトギヤセットＶＳとギヤハウジング固定の変速機の外壁ＧＷとの間に配置されており、そして少なくとも大部分がこの外壁ＧＷとプリシフトギヤセットＶＳとの間で軸方向に延伸するギヤハウジング固定のハブＧＮの径方向上方に配置されている、ということが考慮されている。この場合、クラッチＢのディスクパック２００は、クラッチＦのディスクパック６００より、常に大きい直径を有し、そして、クラッチＦは、常にクラッチＢの出力エレメント２３０によって形成されるシリンダールーム内に配置されている。この３つの実施の形態では、メインギヤセットＨＳは、再び例示的にラビニヨ遊星歯車セットとして形成されている。当該歯車セットは、シングル遊星歯車セットとしてダブル遊星歯車構造に形成されているプリシフトギヤセットＶＳに対して同軸に配置されている。例示的に、駆動軸ＡＮと出力軸ＡＢとは互いに同軸に配置されているが、当業者は、必要であれば、設計に特別なコストを掛けずに、駆動軸及び出力軸の軸並行な、または互いに角度をなす位置を考慮するであろう。
【０１３０】
２つのクラッチＢ，Ｆを含むアッセンブリーは、大部分がプリシフトギヤセットＶＳのメインギヤセットＨＳとは逆の側に配置されており、空間的に見て、大部分が軸方向にプリシフトギヤセットＶＳと、（詳しく描写されていない）駆動軸ＡＮと作用結合されている変速機の駆動エンジンに向いたギヤハウジング固定のハウジング壁ＧＷと、の間に配置されており、そこでは、プリシフトギヤセットＶＳとハウジング壁ＧＷとに隣接している。このとき、２つのクラッチＢ、Ｆのこのアッセンブリーは、２つのクラッチＢ，Ｆ用にそれぞれアウターディスクキャリヤーとして形成された出力エレメント２３０ないし６３０を有し、それぞれディスクパック２００ないし６００を有し、ならびにそれぞれのディスクパック２００ないし６００を作動させるためのそれぞれのサーボ装置２１０ないし６１０を有している。所与の動的結合に応じて、この２つのアウターディスクキャリヤー２３０，６３０は、メインギヤセットＨＳの第１入力エレメント−ここではつまり、その太陽歯車Ｓ１_ＨＳ−と回転しないように結合されている。これについては後でさらに詳述する。クラッチBのディスクパック２００は、クラッチＦのディスクパック６００より大きい径を有している。基本的に、クラッチＦは、シリンダールーム内に配置されており、当該シリンダールームは、クラッチＢの出力エレメント２３０ないしアウターディスクキャリヤーによって形成される。前に説明した本発明に従う部品配置ないし変速機スキームとの相違については、ここでは、例示的にディスクブレーキとして形成されているブレーキＣもプリシフトギヤセットＶＳのメインギヤセットＨＳとは逆の側に配置されており、軸方向にプリシフトギヤセットＶＳとギヤハウジング固定のハウジング壁ＧＷとの間の領域で、上記ハウジング壁ＧＷに軸方向に隣接して配置されている。当然のことながら、ハウジング壁ＧＷとギヤハウジングＧＧとは一体で形成されていてもよい。クラッチＡ及びブレーキＤは、軸方向にプリシフトギヤセットＶＳとメインギヤセットＨＳとの間に配置されている。クラッチＥは、前に説明した本発明に従う部品配置ないし変速機スキームと異なり、ここでは、メインギヤセットＨＳのプリシフトギヤセットＶＳとは逆の側に配置されている。
【０１３１】
図１Ａに従う技術と同種のギヤセットのスキームに応じて、駆動軸ＡＮとメインギヤセットＨＳの第３入力エレメントとの間で動的に配置されたクラッチＥは、軸方向にメインギヤセットＨＳにプリシフトギヤセットＶＳとは逆の側で隣接している。それに応じて、クラッチＥの入力エレメント５２０は、駆動軸ＡＮと結合しており、クラッチＥの出力エレメント５３０は、メインギヤセットＨＳの結合されたキャリヤーＳＴ_HＳと結合している。この場合、入力エレメント５２０は、ここでは例示的に、クラッチＥのディスクパック５００の外側噛合いディスクを収容するためのアウターディスクキャリヤーとして形成されている。それに応じて、クラッチＥの出力エレメント５３０は、クラッチＥのディスクパック５００の内側噛合いディスクを収容するためのインナーディスクキャリヤーとして形成されている。表示された形態では、このディスクパック５００は、メインギヤセットＨＳの内歯歯車ＨＯ_HＳの直径にほぼ相当する直径上に配置されている。このディスク径は、ディスクパック５００用に比較的多数のディスクを必要とするが、ギヤの出力部分では、いわゆる標準駆動にとって有利な細身のハウジング形状を可能にする。駆動軸ＡＮ及び出力軸ＡＢの非同軸配置との関連で、当業者は、必要であれば、クラッチＥのディスクをより大きな直径上に配置するであろう。クラッチＥのシリンダー形状のアウターディスクキャリヤー５２０は、幾何学的には、メインギヤセットＨＳ方向に向かって開かれた深い容器として形成されており、その中に、ディスクパック５００と、このディスクパック５００を作動させるためのサーボ装置５１０と、が配置されている。アウターディスクキャリヤー５２０のハブと結合している駆動軸ＡＮは、変速機の中を軸方向に延びて、ギヤハウジングＧＧの出力側の外壁に至るまで完全に貫通している。内歯歯車ＨＯ_HＳと結合した出力軸ＡＢの部分は、クラッチＥを軸方向及び径方向に完全に包囲している。ここでは簡略化のために単に図式的に表示されているサーボ装置５１０は、ディスクパック５００のメインギヤセットから遠い側に配置されており、これをクラッチＥの締結時に軸方向にメインギヤセットＨＳ方向に作動させる。好ましくは、サーボ装置５１０が動的圧力調整装置も有する。何故なら、このサーボ装置５１０の詳細には描写されていない圧力室は、常に駆動軸ＡＮの回転数で回転するからである。
【０１３２】
図１Ａに従う技術と同種のギヤセットのスキームに応じて、メインギヤセットＨＳの結合されたキャリヤーＳＴ_HＳとギヤハウジングＧＧとの間に動的に配置されたブレーキＤは、例示的にディスクブレーキとして形成されている。空間的に見て、このブレーキＤは、ギヤハウジングＧＧの内径の領域でメインギヤセットＨＳの近くに配置されている。その場合、ブレーキＤのディスクパック４００の内側噛合いディスクを収容するためのインナーディスクキャリヤーとして形成されている出力エレメント４３０は、メインギヤセットＨＳの結合されたキャリヤーＳＴ_HＳのキャリヤープレートと回転しないように結合されている。当該キャリヤープレートは、プリシフトギヤセットＶＳに向いている。ブレーキＤのディスクパック４００の外側噛合いディスクを収容するためのアウターディスクキャリヤーは、ここでは例示的に、直接ギヤハウジングＧＧの中に一体化されているが、もちろん、別々のコンポーネントとして形成されていてもよい。その場合、このコンポーネントは、ギヤハウジングＧＧと回転しないように結合される。ディスクパック４００を作動させるためのブレーキＤの簡略表示されたサーボ装置は、４１０で表示されている。当該装置は、ここでは例示的に、同様に、ギヤハウジングＧＧの中に一体化されているが、例えば、ブレーキＤの別々のアウターディスクキャリヤーの中に一体化されていてもよい。ブレーキＤの締結時、上記サーボ装置４１０は、当該サーボ装置に付属するディスクパック４００を軸方向にプリシフトギヤセットＶＳ方向に作動させる。
【０１３３】
メインギヤセットＨＳ方向に見て、クラッチＡは軸方向にプリシフトギヤセットＶＳに隣接している。図１Ａに従う技術と同種のギヤセットのスキームに応じて、クラッチＡは、プリシフトギヤセットＶＳの出力エレメントと、メインギヤセットＨＳの第２入力エレメントと、の間に動的に配置されている。それに応じて、クラッチＡの入力エレメント１２０は、プリシフトギヤセットＶＳの内歯歯車ＨＯ_ＶＳと結合しており、クラッチＡの出力エレメント１３０は、メインギヤセットＨＳの（プリシフトギヤセットから遠い）第２太陽歯車Ｓ２_HＳと結合している。この場合、入力エレメント１２０は、ここでは例示的に、クラッチＡのディスクパック１００の内側噛合いディスクを収容するためのインナーディスクキャリヤーとして形成されている。もちろん、内歯歯車ＨＯ_ＶＳと入力エレメントないしインナーディスクキャリヤー１２０とは、一体で形成されていてもよい。表示された形態では、ディスクパック１００は、内歯歯車ＨＯ_ＶＳよりも大きな直径上に配置されている。クラッチＡの出力エレメント１３０は、ここでは、ディスクパック１００の外側噛合いディスクを収容するためのアウターディスクキャリヤーとして形成されており、太陽軸１４０を介して、プリシフトギヤセットから遠いメインギヤセットＨＳの第２太陽歯車Ｓ２_ＨＳと結合している。この場合、太陽軸１４０は、駆動軸ＡＮを部分的に包囲し、メインギヤセットＨＳのプリシフトギヤセットに近い第１太陽歯車Ｓ１_ＨＳの中心を軸方向に貫いて延びている。当然のことながら、太陽軸１４０と太陽歯車Ｓ２_ＨＳとは一体で形成されていてもよい。幾何学的には、クラッチＡのシリンダー形状のアウターディスクキャリヤー１３０は、プリシフトギヤセットＶＳ方向に向かって開かれた深い容器として形成されており、その中に、ディスクパック１００と、このディスクパック１００を作動させるサーボ装置１１０と、が配置されている。ここでは簡略化のために単に図式的に表示されたサーボ装置１１０は、ディスクパック１００のメインギヤセットに近い側に配置されており、これ（ディスクパック）をクラッチＡの締結時に軸方向にプリシフトギヤセットＶＳ方向に作動させる。好ましくは、サーボ装置１１０は、動的圧力調整装置も有する。何故なら、このサーボ装置１１０の詳細には描写されていない圧力室は、常にメインギヤセットＨＳの第２太陽歯車Ｓ２_ＨＳの回転数で回転するからである。
【０１３４】
クラッチＢは、空間的に見て、大部分が径方向ではギヤハウジング固定のハブＧＮの上方に配置されており、そのハブには、ギヤハウジングＧＧのプリシフトギヤセットＶＳの太陽歯車ＳＯ_ＶＳも固定されている。クラッチＢのディスクパック２００は、その場合、少なくとも一部が、径方向にプリシフトギヤセットＶＳの内歯歯車ＨＯ_ＶＳの上方の領域で比較的大きな直径上に配置されている。それに応じて、ディスクパック２００の内側噛合いディスクを収容するためのインナーディスクキャリヤーとして形成されているクラッチＢの入力エレメント２２０は、少なくとも一部が、同様に、径方向にプリシフトギヤセットＶＳの内歯歯車ＨＯ_ＶＳの上方の領域に配置されており、この内歯歯車ＨＯ_ＶＳと回転しないように結合されている。もちろん、インナーディスクキャリヤー２２０と内歯歯車ＨＯ_ＶＳとは一体で形成されていてもよい。当然のことながら、クラッチＢのディスクパック２００の空間的位置は、図１６の表示に制限されておらず、軸方向の両側に向かっても移動させることもできる。
【０１３５】
アウターディスクキャリヤーとして形成されているクラッチＢの出力エレメント２３０は、幾何学的には、プリシフトギヤセットＶＳないしメインギヤセットＨＳ方向に向かって開かれたシリンダー形状の深い容器として形成されており、広範なシリンダー形状のシェルと、ディスク形状の容器底と、ハブ２３３と、を有している。アウターディスクキャリヤー２３０のディスク形状の容器底は、軸方向にハウジング壁ＧＷと直接接しており、この壁と並行に径方向に広範囲に延伸している。上記の容器底の内径にアウターディスクキャリヤー２３０のハブ２３３が接続しており、ギヤハウジング固定のハブＧＮの径方向上方で、軸方向にこのハブＧＮのほぼ真ん中まで延伸し、その場合、このハブＧＮ上に回転可能に取り付けられている。上記容器底の外径にアウターディスクキャリヤー２３０の上記シェルが接続し、−表示された形態では径方向に段が付いて−軸方向にプリシフトギヤセットＶＳないしメインギヤセットＨＳ方向に、ここでは径方向にプリシフトギヤセットＶＳの内歯歯車ＨＯ_ＶＳの上方に配置されたディスクパック２００の上まで、延伸している。この場合、アウターディスクキャリヤー２３０のシェルのハウジング壁に近い部分が、このとき同時にブレーキＣのための出力エレメント３３０として形成されており、その外径に、このブレーキＣのディスクパック３００の内側噛合いディスクを収容するための適切な受容部を有している。アウターディスクキャリヤー２３０のシェルのプリシフトギヤセットに近い部分の内径に、クラッチＢのディスクパック２００の外側噛合いディスクを収容するための適切な受容部が設けられている。圧力室２１１、圧力調整室２１２、ピストン２１４、そしてリターンエレメント２１３を有するクラッチＢのサーボ装置２１０は、完全にシリンダールーム内に配置されている。当該シリンダールームは、クラッチＢのアウターディスクキャリヤー２３０によって形成され、本質的にアウターディスクキャリヤー２３０のハブ２３３の径方向上方に配置されている。ピストン２１４は、アウターディスクキャリヤー２３０に軸方向に移動可能に取り付けられており、その際、これに対して圧力材が漏れないように密閉されている。圧力室２１１は、アウターディスクキャリヤー２３０の内側シェルとピストン２１４とによって形成される。それに応じて、圧力室２１１は、常にアウターディスクキャリヤー２３０の回転数で回転する。回転する圧力室２１１の回転圧を調整するために、潤滑材を無圧で充填可能な圧力調整室２１２を備えた動的圧力調整装置が設けられている。この場合、この圧力調整室２１２は、上記圧力室２１１よりプリシフトギヤセットＶＳ（ないしメインギヤセットＨＳ）の近くに配置されている。圧力調整室２１２は、ピストン２１４のプリシフトギヤセットＶＳに向いた側に配置されており、ピストン２１４と、圧力室２１１に向いたクラッチＦの出力エレメントないしアウターディスクキャリヤー６３０のシェル２１５と、によって形成されている。この場合、このアウターディスクキャリヤー６３０は、ピストン２１４に対して軸方向に移動可能で、潤滑材が漏れないように密閉されている。圧力調整室２１２の形成に関連するアウター��ィスクキャリヤー６３０のシェル２１５に対して選択された用語から、クラッチＦのアウターディスクキャリヤー６３０が、同時に、クラッチＢのサーボ装置２１０のためのエアセンサープレートの機能を受け継いでいる、ということが分かる。ピストン２１４には、ここでは例示的にディスクスプリングとして形成されているリターンエレメント２１３を介して、軸方向にアウターディスクキャリヤー２３０のハブ２３３に抗して、初期張力が与えられている。クラッチＢを締結するために、圧力材で圧力室２１１を加圧すると、ピストン２１４は、軸方向にプリシフトギヤセットＶＳないしメインギヤセットＨＳ方向に移動し、そして当該ピストンに属するディスクパック２００をリターンエレメント２１３のスプリング力に抗して作動させる。クラッチＢのアウターディスクキャリヤー２３０がギヤハウジング固定のハブＧＮ上に取り付けられているために、部分的に上記ハウジングハブＧＮ内を延びて、部分的にアウターディスクキャリヤー２３０のハブ２３３内を延びる対応する導路や孔を介して、構造的に比較的簡単なクラッチＢへ圧力材や潤滑材を供給する装置が生じる。クラッチＢのサーボ装置２１０の圧力室２１１への圧力材供給装置は２１６で表示され、クラッチＢのサーボ装置２１０の圧力調整室２１２への潤滑材供給装置は２１７で表示されている。
【０１３６】
クラッチＢとＦは、互いに入り組んで重なり合っており、この場合、クラッチＦは、原則としてクラッチＢの中に配置されている。プリシフトギヤセットの径方向上方の領域でのクラッチＢのディスクパック２００の位置に応じて、クラッチＦは、空間的に見て、完全にシリンダールーム内に配置されている。当該シリンダールームは、クラッチＢのサーボ装置２１０のピストン２１４によって形成される。このとき、クラッチＦのディスクパック６００は、軸方向にプリシフトギヤセットＶＳに隣接し、表示された形態では、プリシフトギヤセットＶＳの内歯歯車ＨＯ_ＶＳのほぼ直径上に配置されている。
【０１３７】
クラッチＦの入力エレメント６２０は、このクラッチＦのディスクパック６００の内側噛合いディスクを収容するためのインナーディスクキャリヤーとして形成されており、プリシフトギヤセットＶＳの結合されたキャリヤーＳＴ_ＶＳのメインギヤセットから遠いキャリヤープレートと回転しないように結合されている。もちろん、上記キャリヤープレートと上記インナーディスクキャリヤー６２０とは、一体で形成されていてもよい。プリシフトギヤセットＶＳの結合されたキャリヤーＳＴ_ＶＳは、そのメインギヤセットに近い側で、駆動軸ＡＮと回転しないように結合されている。
【０１３８】
ディスクパック６００とサーボ装置６１０とを収容するクラッチＦのアウターディスクキャリヤー６３０は、幾何学的には、プリシフトギヤセットＶＳないしメインギヤセットＨＳ方向に開かれたシリンダー形状の深い容器として形成されており、広範なシリンダー形状のシェルと、ディスク形状の容器底と、ハブ６３３と、を有している。表示された形態では径方向に段が付いているアウターディスクキャリヤー６３０のシリンダー形状のシェルは、ディスクパック６００のプリシフトギヤセット側の端部から始まって、軸方向にハウジング壁ＧＷ方向に、クラッチＢのサーボ装置２１０のピストン２１４まで延伸している。アウターディスクキャリヤー６３０の上記シェルは、そのプリシフトギヤセットＶＳに向いた端部の内径に、クラッチＦのディスクパック６００の外側噛合いディスクを収容するための適切な受容部を有している。クラッチＢのサーボ装置２１０の圧力調整室２１２を形成するために、アウターディスクキャリヤー６３０の上記シェルは、そのハウジング壁側の端部で、ピストン２１４に抗して軸方向に移動可能で、且つ、潤滑材が漏れないよう密閉されている。アウターディスクキャリヤー６３０のシリンダー形状のシェルのほぼ中央に、アウターディスクキャリヤー６３０のディスク形状の容器底が接続しており、そして径方向内側にギヤハウジング固定のハブＧＮの上すれすれまで延伸している。上記容器底の内径にアウターディスクキャリヤー６３０のハブ６３３が接続しており、軸方向にプリシフトギヤセットＶＳ方向に太陽歯車ＳＯ_ＶＳの直前にまで延伸している。そしてそのとき、ギヤハウジング固定のハブＧＮ上に回転可能に取り付けられている。
【０１３９】
圧力室６１１、圧力調整室６１２、ピストン６１４、リターンエレメント６１３、及び、エアセンサープレート６１５を有するクラッチＦのサーボ装置６１０は、完全にシリンダールーム内に配置されている。当該シリンダールームは、クラッチＦのアウターディスクキャリヤー６３０によって形成され、ハブ６３３の径方向上方に配置されている。ピストン６１４は、アウターディスクキャリヤー６３０に軸方向に移動可能に取り付けられており、その際、これに対して、圧力材が漏れないよう密閉されている。圧力室６１１は、プリシフトギヤセットＶＳに向いたアウターディスクキャリヤー６３０の内側シェルとピストン６１４とによって形成される。それに応じて、圧力室６１１は、常にアウターディスクキャリヤー６３０の回転数で回転する。回転する圧力室６１１の回転圧を調整するために、潤滑材を無圧で充填できる圧力調整室６１２を備えた動的圧力調整装置が設けられている。この場合、この圧力調整室６１２は、上記圧力室６１１よりプリシフトギヤセットＶＳ（ないしメインギヤセットＨＳ）の近くに配置されている。圧力調整室６１２は、ピストン６１４及びエアセンサープレート６１５によって形成される。当該プレートは、軸方向にはアウターディスクキャリヤー６３０のハブ６３３のプリシフトギヤセットに近い端部に固定され、ピストン６１４に対して軸方向に移動可能で、且つ、潤滑材が漏れないよう密閉されている。ピストン６１４には、ここでは例示的にディスクスプリングとして形成されているリターンエレメント６１３を介して、軸方向にハブ６３３に対して初期張力が与えられている。クラッチＦを締結するために圧力室６１１を圧力材で加圧すると、ピストン６１４は、軸方向にプリシフトギヤセットＶＳ（ないしはメインギヤセットＨＳ）方向に移動し、当該ピストンに属するディスクパック６００をリターンエレメント６１３のスプリング力に抗して作動させる。クラッチＦのアウターディスクキャリヤー６３０がギヤハウジング固定のハブＧＮ上に取り付けられているために、部分的に上記ハウジングハブＧＮ内を延びて、部分的にアウターディスクキャリヤー６３０のハブ６３
３内を延びる対応する導路や孔を介して、構造的に比較的簡単なクラッチＦへ圧力材や潤滑材を供給する装置が生じる。クラッチＦのサーボ装置６１０の圧力室６１１への圧力材供給装置は６１６で表示され、クラッチＦのサーボ装置６１０の圧力調整室６１２への潤滑材供給装置は６１７で表示されている。
【０１４０】
空間的に見て、クラッチＦのサーボ装置６１０は、クラッチＢのサーボ装置２１０よりメインギヤセットＨＳ及びプリシフトギヤセットＶＳの近くに配置されている。この場合、サーボ装置６１０の圧力室６１１とサーボ装置２１０の圧力調整室２１１とは、クラッチＦの出力エレメントないしアウターディスクキャリヤー６３０のシェルによってのみ互いから分離されている。
【０１４１】
図１Ａに従う技術と同種のギヤセットのスキームに応じて、メインギヤセットＨＳのプリシフトギヤセットに近い第１太陽歯車Ｓ１_ＨＳは、メインギヤセットＨＳの第１入力エレメントである。クラッチＢ，Ｆのアウターディスクキャリヤー２３０，６３０をこの太陽歯車Ｓ１_ＨＳに動的に結合させるために、１つには、２つのアウターディスクキャリヤー６３０，２３０のハブ６３３，２３３が互いに回転しないように結合されている、ここでは例示的に適切な受容部を介してインターロック式に結合されている、ということが示されている。もう1つには、クラッチＢのアウターディスクキャリヤー２３０が、そのメインギヤセットＨＳに向いた端部の領域において、シリンダー形状の結合エレメントＺＹＬと回転しないように−例えばインターロック式に−結合されている、ということが示されている。この結合エレメントＺＹＬは、幾何学的には、ハウジング壁ＧＷ方向に向かって開かれた深い容器として形成されており、クラッチＡを軸方向にも径方向にも包囲するシリンダー形状のシェルと、ディスク形状の容器底と、を備えている。当該容器底は、メインギヤセットＨＳに向いた、クラッチＡの出力エレメントないしアウターディスクキャリヤー１３０の側で、この出力エレメントないしこのアウターディスクキャリヤー１３０に隣接して、径方向内側に太陽軸１４０の上すれすれの径まで延伸し、そのハブ領域においてメインギヤセットＨＳのプリシフトギヤセットに近い太陽歯車Ｓ１_ＨＳと結合している。クラッチＦのアウターディスクキャリヤー６３０は、クラッチＢのアウターディスクキャリヤー２３０を介しても、上記太陽歯車Ｓ１_ＨＳと回転しないように結合している。それに対応して、２つのクラッチＢ，Ｆのサーボ装置２１０，６１０は、常にメインギヤセットＨＳの第１入力エレメント−つまり、ここでは第１太陽歯車Ｓ１_ＨＳ−の回転数で回転する。
【０１４２】
ブレーキＣのディスクパック３００の外側噛合いのアウターディスクを収容するためのアウターディスクキャリヤーは、ここでは例示的に、直にギヤハウジングＧＧに一体化されているが、もちろん、別々のコンポーネントとして形成されていてもよい。その場合は、ギヤハウジングＧＧと回転しないように結合される。ディスクパック３００を作動させるためのブレーキＣの簡略表示されたサーボ装置は３１０で表示されており、当該装置は、ここでは例示的に、ハウジング壁ＧＷに一体化されているが、例えば、ブレーキＣの別々のアウターディスクキャリヤーに一体化されていてもよい。ブレーキＣが締結する際、上記サーボ装置３１０は、当該サーボ装置に属するディスクパック３００を軸方向にプリシフトギヤセットＶＳないしメインギヤセットＨＳ方向に作動させる。
【０１４３】
図１７に基いて、本発明に従う第１６の実施の形態の変速機のスキームを、第１のもう１つ別のメインギヤセットを備えた図９に示す変速機のスキームないし部品配置に基づいて、説明する。以前と同様、メインギヤセットＨＳは、３つの入力エレメントと１つの出力エレメントとを有する２キャリヤー４軸遊星ギヤとして形成されているが、ここでは相互に結合された２つのシングル遊星ギヤセットを有しており、そのうち、第１がシングル遊星歯車構造で、第２がダブル遊星歯車構造で形成されている。メインギヤセットＨＳの第１シングル遊星歯車セットは、プリシフトギヤセットＶＳに向いており、太陽歯車Ｓ１_ＨＳ、内歯歯車Ｈ１_Ｓ、キャリヤーＳＴ１_ＨＳ、それに回転可能に取り付けられた遊星歯車ＰＬ_ＨＳ、を有している。この場合、遊星歯車ＰＬ_ＨＳは、太陽歯車Ｓ１_ＨＳ及び内歯歯車Ｈ１_ＨＳと噛合う。メインギヤセットＨＳの第２シングル遊星歯車セットは、メインギヤセットＨＳの第１シングル遊星歯車セットのプリシフトギヤセットＶＳとは逆の側に配置されており、太陽歯車Ｓ２_ＨＳ、内歯歯車Ｈ２_Ｓ、結合されたキャリヤーＳＴ２_ＨＳ、それに回転可能に取り付けられた内側及び外側遊星歯車ＰＬｉ_ＨＳ、ＰＬａ_ＨＳ、を有している。この場合、内側遊星歯車ＰＬｉ_ＨＳ（複数）は、太陽歯車Ｓ２_ＨＳ及び外側遊星歯車ＰＬａ_ＨＳ（複数）と噛合い、外側遊星歯車ＰＬａ_ＨＳ（複数）は、内側遊星歯車ＰＬｉ_ＨＳ（複数）及び内歯歯車Ｈ２_ＨＳと噛合う。
【０１４４】
太陽歯車Ｓ１_ＨＳ及び結合されたキャリヤーＳＴ２_ＨＳは、互いに結合しており、メインギヤセットＨＳの第１入力エレメントを形成する。当該エレメントは、さらに、２つのクラッチＢ，Ｆの出力エレメント２３０，６３０と、ブレーキＣの出力エレメント３３０と、結合している。図９でのように、クラッチＢの出力エレメント２３０とクラッチＦの出力エレメント６３０とは、共通のコンポーネントとして形成されており、クラッチＢの入力エレメント２２０は、プリシフトギヤセットＶＳの内歯歯車ＨＯ_ＶＳと結合しており、クラッチＦの入力エレメント６２０は、プリシフトギヤセットＶＳの結合されたキャリヤーＳＴ_ＶＳを介して駆動軸ＡＮと結合しており、ブレーキＣの入力エレメント３２０は、ギヤハウジングＧＧと結合している。プリシフトギヤセットから遠い太陽歯車Ｓ２_ＨＳは、メインギヤセットＨＳの第２入力エレメントを形成し、当該エレメントは、さらに、クラッチＡの出力エレメント１３０と結合している。図９でのように、クラッチＡの入力エレメント１２０は、プリシフトギヤセットＶＳの内歯歯車ＨＯ_ＶＳと結合している。キャリヤーＳＴ１_ＨＳ及び内歯歯車Ｈ２_ＨＳは、互いに結合しており、メインギヤセットＨＳの第３入力エレメントを形成する。当該エレメントは、さらに、クラッチＥの出力エレメント５３０と、ブレーキＤの出力エレメント４３０と、結合している。図９でのように、クラッチＥの入力エレメント５２０は駆動軸ＡＮと結合しており，ブレーキＤの入力エレメント４２０は（ここではギヤハウジング固定のハウジングカバーＧＤを介して）ギヤハウジングＧＧと結合している。プリシフトギヤセットに近い内歯歯車Ｈ１_ＨＳは、メインギヤセットＨＳの出力エレメントを形成している。当該エレメントは、さらに、出力軸ＡＢと結合している。図１７に従う、本発明による第１６の実施の形態の変速機のスキームのシフトロジックは、図１Ｂに表示された類に従う変速機のシフトロジックに相当する。
【０１４５】
個々のギヤコンポーネントの空間的配置に関して、図１７に表示された実施の形態は、本質的に図９に表示された配置を引用している。但し、図９との相違としては、出力軸ＡＢが、ここでは例示的に駆動軸ＡＮに対し軸並行に配置されており、ブレーキＤが、メインギヤセットＨＳのプリシフトギヤセットＶＳとは逆の側に配置されている。すでに何度も前に示したように、これまでに表示された本発明に従うすべての変速機のスキームないし部品配置では、構造的に特別なコストを掛けることなく、駆動軸及び出力軸の同軸配置を、駆動軸及び出力軸が軸並行にまたは互いに角度をなすように、変更することが可能である。図１７は、それに沿った１つの実施の形態を示しており、メインギヤセットＨＳの内歯歯車Ｈ１_ＨＳと出力軸ＡＢとの間に動的に配置されたスパーピニオン（Stirntrieb）（ヘリカルギヤセット）を備えている。但し、通常、スパーピニオンの出力側と出力軸ＡＢとの間に設けられているディファレンシャルは、ここでは簡略化のために詳述されていない。
【０１４６】
図１８に基づいて、本発明に従う第１７の実施の形態の変速機のスキームを、第２のもう１つ別のメインギヤセットを備えた図９に示す変速機のスキームないし部品配置に基づいて、説明する。この「新しい」メインギヤセットＨＳは、ここでは、「２キャリヤーユニットに減じられた３キャリヤー５軸遊星ギヤ」として形成されており、３つのシングル遊星歯車セットを有しており、そのうち２つが１キャリヤーユニットにまとめられている。この２つのシングル遊星歯車セットでまとめられている、メインギヤセットＨＳの１キャリヤーユニットは、２つの分離された太陽歯車Ｓ１_ＨＳ、Ｓ３_ＨＳ、唯一の内歯歯車Ｈ１３_ＨＳ、結合されたキャリヤーＳＴ１３_ＨＳ、それに回転可能に取り付けられたロングの遊星歯車Ｐ１３_ＨＳ、を有しており、「分離された太陽歯車を有する遊星ギヤセット」としても解釈され得る。メインギヤセットＨＳの残りの他のシングル遊星歯車セットは、太陽歯車Ｓ２_ＨＳ、内歯歯車Ｈ２_ＨＳ、キャリヤーＳＴ２_ＨＳ、それに回転可能に取り付けられたショートの遊星歯車Ｐ２_ＨＳ、を有しており、プリシフトギヤセットの近くに取り付けられている。図９でのように、この「新しい」メインギヤセットＨＳは、３つの相互に結合されていない入力エレメントと１つの出力エレメントを有している。図１８に従う、本発明による第１７の実施の形態の変速機のスキームのシフトロジックは、図１Ｂに表示された種に従う変速機のシフトロジックに相当する。
【０１４７】
太陽歯車Ｓ３_ＨＳは、軸方向に、プリシフトギヤセットに近い太陽歯車Ｓ２_ＨＳと、メインギヤセットＨＳのプリシフトギヤセットＶＳとは逆の側に配置された太陽歯車Ｓ１_ＨＳと、の間に配置されており、片側が太陽歯車Ｓ２_ＨＳと強固に結合されており、もう一方の側がロングの遊星歯車Ｐ１３_ＨＳを介して太陽歯車Ｓ１_ＨＳと作用結合している。２つの太陽歯車Ｓ１_ＨＳ、Ｓ２_ＨＳは、例えば、一体に形成されていてもよい。プリシフトギヤセットから遠い太陽歯車Ｓ１_ＨＳは、メインギヤセットＨＳの第１入力エレメントを形成している。当該エレメントは、さらに、２つのクラッチＢ，Ｆの出力エレメント２３０，６３０及びブレーキＣの出力エレメント３３０と結合している。図９でのように、クラッチＢの出力エレメント２３０とクラッチＦの入力エレメント６３０とは、共通のコンポーネントとして形成されていて、クラッチＢの入力エレメント２２０は、プリシフトギヤセットＶＳの内歯歯車ＨＯ_ＶＳと結合しており、クラッチＦの入力エレメント６２０は、プリシフトギヤセットＶＳの結合されたキャリヤーＳＴ_ＶＳを介して駆動軸ＡＮと結合しており、ブレーキＣの入力エレメント３２０は（ここではギヤハウジング固定のハウジング中間壁ＧＺを介して）ギヤハウジングＧＧと結合している。プリシフトギヤセットから遠い内歯歯車Ｈ１３_ＨＳは、メインギヤセットＨＳの第２入力エレメントを形成する。当該エレメントは、さらにクラッチＡの出力エレメント１３０と結合している。図９でのように、クラッチＡの入力エレメント１２０は、プリシフトギヤセットＶＳの内歯歯車ＨＯ_ＶＳと結合している。プリシフトギヤセットに近いキャリヤーＳＴ２_ＨＳは、メインギヤセットＨＳの第３入力エレメントを形成する。当該エレメントは、さらに、クラッチＥの出力エレメント５３０とブレーキＤの出力エレメント４３０と結合している。図９でのように、クラッチＥの入力エレメント５２０は、駆動軸ＡＮと結合しており、ブレーキＤの入力エレメント４２０は（ここでは、ギヤハウジング固定のハウジングカバーＧＤを介して）、ギヤハウジングＧＧに結合している。プリシフトギヤセットに近い内歯歯車Ｈ２_ＨＳ及びプリシフトギヤセットから遠いキャリヤーＳＴ１３_ＨＳは、相互に強固に結合しており、メインギヤセットＨＳの出力エレメントを形成する。当該エレメントは、さらに出力軸ＡＢと結合している。
【０１４８】
図１８に表示された、プリシフトギヤセットＶＳの空間的配置及び４つのクラッチＡ，Ｂ，Ｅ，及び，ＦのメインギヤセットＨＳに対する相対的な及び相互に対する相対的な空間的配置は、原則として図９ないし図１７に表示された例示的な配置に相当する。「分離された太陽歯車」を備えたメインギヤセットＨＳの特別な実施の形態は、ここでは、２つのブレーキＣ及びＤのプリシフトギヤセットＶＳとは逆の側での配置を可能にする。この場合、ブレーキＣは、ブレーキＤよりメインギヤセットＨＳの近くに配置され、ブレーキＤは、変速機の外壁の領域−ここではハウジングカバーＧＤの領域−に配置される。ブレーキＣは、メインギヤセットＨＳに隣接して配置されており、メインギヤセットＨＳとは逆の側で軸方向にハウジング中間壁ＧＺに接している。この壁は、軸方向にメインギヤセットＨＳとハウジングカバーＧＤとの間に配置されている。その場合、メインギヤセットＨＳの太陽歯車Ｓ１_ＨＳは、ハウジング中間壁ＧＺに回転可能に取り付けられている。内歯歯車Ｈ２_ＨＳと結合されたメインギヤセットＨＳのキャリヤーＳＴ１３_ＨＳの出力軸ＡＢへの動的結合のために、キャリヤーＳＴ１３_ＨＳのプリシフトギヤセットＶＳとは逆のキャリヤープレートが、径方向に見て、軸方向に２つの太陽歯車Ｓ３_ＨＳ、Ｓ１_ＨＳの間を突き抜けている。この場合、出力軸ＡＢと結合されたこのキャリヤープレートのハブ、ないし、このキャリヤープレートと結合された出力軸ＡＢのハブ部分は、メインギヤセットＨＳのプリシフトギヤセットから遠い太陽歯車Ｓ１_ＨＳも、ハウジング中間壁も、軸方向にその中心を貫いており、そしてハウジング中間壁ＧＺに回転可能に取り付けられている。ブレーキＤの出力エレメント４３０を、クラッチＥの出力エレメント５３０と、メインギヤセットＨＳのキャリヤーＳＴ２_ＨＳのプリシフトギヤセットに近いキャリヤープレートと、に動的結合させるために、キャリヤーシャフト５４０が設けられている。当該シャフトは、メインギヤセットＨＳの中心を完全に貫いている。出力軸ＡＢ、ないし、メインギヤセットＨＳの出力エレメントと出力軸との間に動的に挿入されているここでは詳しく描写されていないスパーピニオンセット（ヘリカルギヤセット）は、空間的に見て、軸方向にハウジング中間壁ＧＺとブレーキＤの出力エレメント４３０との間を、径方向に貫いている。
【０１４９】
当業者は、図１８から、駆動軸ＡＮと作用結合している（詳しく描写されていない）変速機の駆動エンジンの空間的位置を遊星歯車セットＶＳ，ＨＳに対して相対的に変えるのに、変速機構造の特別な変更が必要でないことが容易に分かる。このことは、本発明に従う第１８の実施の形態の変速機のスキームが表示されている図１９に基いて、明らかになる。図１８と異なり、駆動軸ＡＮと作用結合している駆動エンジンは、ここでは、プリシフトギヤセットＶＳとは逆のメインギヤセットＨＳ側に配置されている。それに応じて、今度は、ブレーキＤも、スパーピニオンセットとして示されている変速機の出力ないし変速機の出力軸ＡＢも、駆動エンジン近くに配置されている。
【０１５０】
図１８に対するさらに詳細な相違は、ブレーキＣの空間的位置に関する。図１９から分かるように、このブレーキＣは、ここでは例示的に、プリシフトギヤセットＶＳのメインギヤセットＨＳとは逆の側に配置されており、ギヤハウジング固定のハウジング壁ＧＷないしギヤハウジング固定のハウジングカバーの領域にあるクラッチＢの近くに配置されている。当該カバーには、プリシフトギヤセットＶＳの太陽歯車ＳＯ_ＶＳも固定されている。当然のことながら、ブレーキＣのこのような空間的位置は、図１８に表示された部品配置とも組み合わせることができる。
【０１５１】
図１８の説明の中ですでに示したように、シングル遊星歯車セットの中央歯車（つまり、太陽歯車または内歯歯車）を２つの中央歯車に分離することは、部品接合に関して、このもともと分離されていない中央歯車に対する追加の自由度を可能にするだけでなく、変速機のギヤステップに関しても追加の自由度を可能にする。これは、本発明に従う変速機のスキームの図２０に表示されている第１９の実施の形態で詳しく説明する。この場合、この第１９の実施の形態は、前の図１８で説明した変速機のスキームに基づいているが、メインギヤセットＨＳのもう１つ別の構造的な形態を備えている。
【０１５２】
図２０から分かるように、この第１９の実施の形態では、遊星歯車セットＶＳ，ＨＳ、ＡからＦまでの６つのシフトエレメント、駆動軸及び出力軸ＡＮ，ＡＢ、の空間的な部品配置も動的結合も、以前に詳しく説明した図１８に従う第１７の実施の形態から全面的に引き継がれた。この「新しい」メインギヤセットＨＳは、図１８の場合と同様、「２キャリヤーユニットに減じられた３キャリヤー５軸遊星ギヤ」として形成されており、３つのシングル遊星歯車セットを有しており、そのうち２つが１つのキャリヤーユニットにまとめられている。当該ユニットは、分離された太陽歯車（Ｓ１_ＨＳ、Ｓ３_ＨＳ）、結合されたキャリヤー（ＳＴ１３_ＨＳ）、そして唯一の内歯歯車（Ｈ１３_ＨＳ）を有する。図１８との相違としては、結合されたキャリヤーＳＴ１３_ＨＳに回転可能に取り付けられたロングのメインギヤセットＨＳの遊星車Ｐ１３_ＨＳが、ここでは、メインギヤセットＨＳの２つの太陽歯車Ｓ１_ＨＳ及びＳ３_ＨＳ用に異なる噛合わせを有する段付き遊星歯車として形成されている。これに応じて、メインギヤセットＨＳの第１及び第３太陽歯車Ｓ１_ＨＳ、Ｓ３_ＨＳは、ここでは異なる歯数を有している。例示的に、メインギヤセットＨＳの結合された内歯歯車Ｈ１３_ＨＳは、メインギヤセットＨＳのロングの遊星歯車Ｐ１３_ＨＳの同様の噛合わせ歯で噛み合い、この噛合わせ歯でメインギヤセットＨＳの第１太陽歯車Ｓ１_ＨＳとも噛み合う。もちろん、別の形態では、メインギヤセットＨＳの結合された内歯歯車（Ｈ１３_ＨＳ）がメインギヤセットＨＳのロングの遊星歯車（Ｐ１３_ＨＳ）の同様の噛合わせ歯で噛み合い、その噛合わせ歯でメインギヤセットの第３太陽歯車（Ｓ３_ＨＳ）とも噛み合う、ということも考慮され得るであろう。図１８でのように、図２０に従う「新しい」メインギヤセットＨＳは、３つの相互に結合されていない入力エレメントと１つの出力エレメントとを有する。
【０１５３】
シングル遊星歯車セットの中央歯車（つまり、太陽歯車または内歯歯車）を二つの中央歯車に分離することは、部品結合に関して、このもともと分離されていない中央歯車に対するさらなる（追加の）自由度を与えるだけでなく、変速機の回転数表に関してもさらなる自由度を与える。これは、本発明に従う変速機のスキームの図２１Ａに表示されている第２０の実施の形態で詳しく説明する。この場合、この第２０の実施の形態は、前の図１８で説明した変速機のスキームに基づいているが、メインギヤセットＨＳのもう１つ別の構造的な形態を備えている。複数の部分から成る（mehrgliedrigen）メインギヤセットＨＳのすべての中央歯車（太陽歯車または内歯歯車）を、図１８、図１９、図２０に表示された形態と同じように、部品側で２つまたはそれ以上の部品に分離することは、メインギヤセットのキャリヤーの数を２つに維持すれば、この分離された中央歯車はそれぞれその中央歯車に属する遊星歯車を介して相互に動的に作用結合されるので、基本的に問題なく可能である。もちろん、この分離された中央歯車に対応する遊星歯車は、この場合、段なしまたは段付き遊星歯車として形成されていてよい。図２１Ａに表示された第２０の実施の形態の変速機のスキームでは、前に３つのシフトエレメントＢ，Ｃ，Ｆの出力エレメント２３０，３３０，６３０と結合していた中央歯車を分離することによって、変速機の回転数表の中で、以前この３つのシフトエレメントの完全に同一であった３本の線のうち２本が引き離された。これについては、図２１Ｂに表示されたこの第２０の実施の形態の変速機のスキームの回転数表に基いて、後でさらに詳しく説明する。
【０１５４】
図２１から分かるように、メインギヤセットＨＳは、ここでは「２キャリヤーユニットに減じられた４キャリヤー遊星ギヤ」として形成されており、全部で４つの非結合の入力エレメントと１つの出力エレメントとを備えた４つの結合されたシングル遊星歯車セットを有している。この場合、メインギヤセットＨＳは、４つの太陽歯車Ｓ１_ＨＳ、Ｓ２_ＨＳ、Ｓ３_ＨＳ、Ｓ４_ＨＳ、１つのシングル内歯歯車Ｈ２_ＨＳ、１つの結合された内歯歯車Ｈ１３４_ＨＳ、１つのシングルキャリヤーＳＴ２_ＨＳ及びそれに回転可能に取り付けられたショートの遊星歯車Ｐ２_ＨＳ、ならびに、１つの結合されたキャリヤーＳＴ１３４_ＨＳ及びそれに回転可能に取り付けられたロングの遊星歯車Ｐ１３４_ＨＳ、を有している。２つの太陽歯車Ｓ３_ＨＳ、Ｓ４_ＨＳは、空間的に見て、軸方向に横並びに他の２つの太陽歯車Ｓ２_ＨＳとＳ１_ＨＳとの間に配置されており、その場合、太陽歯車Ｓ３_ＨＳは、プリシフトギヤセットに近い太陽歯車Ｓ２_ＨＳに隣接しており、太陽歯車Ｓ４_ＨＳは、プリシフトギヤセットから遠い太陽歯車Ｓ１_ＨＳに隣接している。２つの太陽歯車Ｓ２_ＨＳ、Ｓ３_ＨＳは、相互に結合している。図２１Ａに表示されたロングの遊星歯車Ｐ１３４_ＨＳは、例示的に、段付き遊星歯車として形成されており、３つの太陽歯車Ｓ１_ＨＳ、Ｓ３_ＨＳ、Ｓ４_ＨＳと噛み合う。結合された内歯歯車Ｈ１３４_ＨＳは、ここでは例示的に、太陽歯車Ｓ１_ＨＳとも噛み合う遊星歯車噛合い歯を有している。上記のショートの遊星歯車Ｐ２_ＨＳは、シングルの内歯歯車Ｈ２_ＨＳと太陽歯車Ｓ２_ＨＳと噛み合う。出力軸ＡＢと結合している結合キャリヤーＳＴ１３４_ＨＳのキャリヤープレートは、軸方向に太陽歯車Ｓ３_ＨＳとＳ４_ＨＳとの間で、径方向内側に向かって貫いて延びている。
【０１５５】
メインギヤセットＨＳの第１太陽歯車Ｓ１_ＨＳは、その第１入力エレメントを形成し、常に２つのクラッチＢ及びＦの共通の出力エレメント２３０，６３０と回転しないように結合している。メインギヤセットＨＳの結合された内歯歯車Ｈ１３４_ＨＳは、その第２入力エレメントを形成し、常にクラッチＡの出力エレメント１３０と回転しないように結合している。メインギヤセットＨＳのシングルキャリヤーＳＴ２_ＨＳは、その第３入力エレメントを形成し、常に、クラッチＥの出力エレメント５３０とも、また、ブレーキＤの出力エレメント４３０とも、回転しないように結合している。太陽歯車Ｓ４_ＨＳは、図１８と比べ、メインギヤセットＨＳの第４の入力エレメントを追加的に形成し、常にブレーキＣの出力エレメント３３０と回転しないように結合している。メインギヤセットＨＳのシングルの内歯歯車Ｈ２_ＨＳ及び結合されたキャリヤーＳＴ１３４_ＨＳは、相互に結合されており、常に出力軸ＡＢと結合されたメインギヤセットＨＳの出力エレメントを形成する。
【０１５６】
図２１Ａに表示された実施の形態の中で、内歯歯車Ｈ１３４_ＨＳと太陽歯車Ｓ１_ＨＳの歯数の比率によって決定される、メインギヤセットＨＳの結合された４つの遊星歯車セットの中の第１遊星歯車セットのステーショナリーギヤ比（Standgetriebeuebersetzung）が、内歯歯車Ｈ１３４_ＨＳと太陽歯車Ｓ４_ＨＳの歯数の比率によってならびにメインギヤセットＨＳの段付き遊星歯車Ｐ１３４_ＨＳの段の歯数の比率によって決定される、メインギヤセットＨＳの結合された４つの遊星歯車セットの第４遊星歯車セットのステーショナリーギヤ比（Standgetriebeuebersetzung）より量的に大きい場合、一方では、メインギヤセットの第４入力エレメント（Ｓ４_ＨＳ）の「新しい」線は、回転数表では、メインギヤセットの第１入力エレメント（Ｓ１_ＨＳ）の線の右側に隣接する。つまり、メインギヤセットの第１入力エレメント（Ｓ１_ＨＳ）の上記線より、メインギヤセットの出力エレメント（Ｈ２_ＨＳないしＳＴ１３４_ＨＳ）の線の近傍にある、ということが生じる。他方、回転数表のメインギヤセットの第３入力エレメント（ＳＴ２_ＨＳ）の線は、メインギヤセットの第４入力エレメント（Ｓ４_ＨＳ）の線の右にある。つまり、メインギヤセットの第４入力エレメント（Ｓ４_ＨＳ）の上記の「新しい」線より、メインギヤセットの出力エレメント（Ｈ２_ＨＳないしＳＴ１３４_ＨＳ）の線の近傍にある、ということも生じる。メインギヤセットの入力エレメントに関連して、２つのシフトエレメントＢ，Ｆならびに２つのシフトエレメントＤ，Ｅが回転数表の中でそれぞれ同一線上にあるのに対して、シフトエレメントＣは、固有の線上にある。
【０１５７】
図２２に基いて、今度は、本発明に従う変速機のスキームの第２１の実施の形態を説明する。図１Ａに従う技術と比較して、ギヤセット及びシフトエレメントの動的結合は維持しながらも、また、同軸で並列に（しかし、隣接ではない）配置されている遊星歯車セットＶＳ及びＨＳの構造的形成は維持しながらも、シフトエレメントＡ，Ｂ，Ｆの、ギヤセットＶＳ，ＨＳに対する、そして相互に対する、そして他のシフトエレメントＣ，Ｄ，Ｅに対する、空間的位置が変更された。
【０１５８】
図１Ａと比べて変更されていないのは、クラッチとして形成されている第５シフトエレメントＥが、軸方向にプリシフトギヤセットＶＳとメインギヤセットＨＳとの間に配置されていて、軸方向にプリシフトギヤセットＶＳに隣接していることである。そこでクラッチＥの入力エレメント５２０は、アウターディスクキャリヤーとして形成されており、幾何学的には、メインギヤセットＨＳ方向に開かれたシリンダー形状の容器の形に形成されており、そのディスク形状の容器部は、一方ではプリシフトギヤセットＶＳの結合されたキャリヤーＳＴ_ＶＳと結合し、他方ではその最小径の領域で駆動軸ＡＮと結合している。また、そのシリンダー形状部分の内径に、クラッチＥのディスクパック５００のアウターディスクを収容している。プリシフトギヤセットＶＳのメインギヤセットＨＳに向いたキャリヤープレート、及び、クラッチＥのアウターディスクキャリヤーは、一体に形成されていてもよい。単に図式的に表示されたクラッチＥのサーボ装置５１０は、シリンダールーム内に配置されている。当該シリンダールームは、クラッチＥの上記アウターディスクキャリヤー５２０によって形成され、このアウターディスクキャリヤー５２０のハブ部分に軸方向に移動可能に取り付けられており、常に駆動軸ＡＮの回転数で回転し、それに属するディスクパック５００をクラッチＥの締結時に軸方向にメインギヤセットＨＳ方向に作動させる。クラッチＥの出力エレメント５３０は、それに応じて、インナーディスクキャリヤーとして形成されている。当該キャリヤーは、中央でキャリヤー軸５４０と結合しており、当該軸は、クラッチＥの出力エレメント５３０のハブ部分から始まって、軸方向にメインギヤセットＨＳ方向に延伸し、そのメインギヤセットＨＳの中心を完全に貫き、メインギヤセットＨＳのプリシフトギヤセットＶＳとは逆の側でメインギヤセットＨＳの結合されたキャリヤーＳＴ_ＨＳと結合している。この結合されたキャリヤーＳＴ_ＨＳは、メインギヤセットＨＳの第３入力エレメントを形成している。クラッチＥの出力エレメント５３０のハブまたはキャリヤー軸５４０は、駆動軸ＡＮに回転可能に取り付けられている。
【０１５９】
図１Ａと比べて同様に変更されていないのは、２つの例示的にディスクブレーキとして形成されているシフトエレメントＣ及びＤの、２つのギヤセットＶＳ及びＨＳに対する空間的位置である。第４シフトエレメントＤとそのディスクパック４００は、メインギヤセットのプリシフトギヤセットＶＳに向いた側でメインギヤセットＨＳに隣接している。インナーディスクキャリヤーとして形成されているブレーキＤの出力エレメント４３０は、メインギヤセットＨＳの結合されたキャリヤーＳＴ_HSと結合している。この場合、このキャリヤーＳＴ_HＳは、メインギヤセットＨＳを軸方向に完全に貫いている。プリシフトギヤセットＶＳ方向に見て、ブレーキＣのディスクパック３００は、軸方向にブレーキＤのディスクパック４００に接続している。ブレーキＣの出力エレメント３３０は、インナーディスクキャリヤーとして形成されている。２つのブレーキＣ及びＤのアウターディスクキャリヤーは、簡単な方法で、ギヤハウジングＧＧ内に一体化されていてもよく、同様に、簡略化のために詳しく表示されていないディスクパック３００及び４００を作動させるためのサーボ装置も、一体化されてよい。もちろん、ブレーキＣ及びＤ用に、分離されたアウターディスクキャリヤーも考慮され得る。その場合、ギヤハウジングＧＧと回転しないように結合され、ブレーキＣ及びＤのサーボ装置を軸方向に移動可能に収容することができる。
【０１６０】
図２２から分かるように、クラッチとして形成されている第６シフトエレメントＦは、図１Ａと異なり、ここでは空間的に見て、軸方向にプリシフトギヤセットＶＳとメインギヤセットＨＳとの間の領域に配置されており、表示された形態では、軸方向にクラッチＥとメインギヤセットＨＳとの間に配置されている。このとき、クラッチＦの出力エレメント６３０は、アウターディスクキャリヤーとして形成されており、幾何学的には、プリシフトギヤセットＶＳ方向に開かれた容器の形に形成されている。クラッチＦのこのアウターディスクキャリヤーのハブ６３３は、メインギヤセットＨＳに隣接しており、メインギヤセットＨＳの第１太陽歯車Ｓ１_ＨＳと回転しないように結合されている。この太陽歯車Ｓ１_ＨＳは、周知のごとく、メインギヤセットＨＳの第１入力エレメントを形成している。表示された実施の形態では、ほぼハブの中央で、クラッチＦのアウターディスクキャリヤー６３０のクランク状に曲折したディスク形状部分６３２が当該ハブ６３３に接続しており、径方向外側に向かって、クラッチＦのディスクパック６００の外径より少し大きい径にまで、延伸している。このディスク形状部分６３２の外径にクラッチＦのアウターディスクキャリヤー６３０のシリンダー形状部６３１が接続しており、軸方向にプリシフトギヤセットＶＳ方向に延伸し、その内径にクラッチＦのディスクパック６００の（好ましくは、外側噛合いのスチールディスクとして形成されている）アウターディスクを収容している。クラッチＦのアウターディスクキャリヤー６３０のディスク形状部分６３２は、その曲折領域で、さらに、インナーディスクキャリヤーとして形成されているブレーキＣの出力エレメント３３０と結合している。その限りにおいて、ブレーキＣは、クラッチＦの出力エレメント６３０を介して、メインギヤセットＨＳの第１入力エレメント（ここでは第１太陽歯車Ｓ１_ＨＳ）に動的に結合している。クラッチＦの出力エレメント（アウターディスクキャリヤー）６３０のハブ６３３は、第２太陽軸１４０上に回転可能に取り付けられており、当該軸は、第２シフトエレメントＡの出力エレメント１３０と、メインギヤセットＨＳの第２入力エレメント（ここでは第２太陽歯車Ｓ２_ＨＳ）と、の間に動的結合を作り出し、このとき、上記ハブ６３３とクラッチＦ全体も軸方向に中心を完全に貫いている。中空軸として形成されているこの第２太陽軸１４０は、さらに、キャリヤー軸５４０上に取り付けられており、当該軸は、クラッチＥの出力エレメント５３０と、メインギヤセットＨＳの第３入力エレメント（ここでは結合されたキャリヤーＳＴ_HＳ）と、の間に動的結合を形成し、このとき、第２太陽軸１４０の中心を軸方向に完全に貫いている。
【０１６１】
図２２に表示された実施の形態では、クラッチＥ及びＦのディスクパック５００及び６００は、軸方向に見て、互いに横に配置されている。但し、クラッチＦのディスクパック６００は、クラッチＥのディスクパック５００より大きな径を有している。軸方向の全長に関して、この２つのクラッチＥ，Ｆの構造的形態により、クラッチＦのディスクパック６００は、空間的に見て、少なくとも一部が、径方向にクラッチＥのディスクパック５００の上方の領域に配置されていてもよい。
【０１６２】
クラッチＦのサーボ装置６１０は、少なくとも大部分がシリンダールーム内に配置されている。当該シリンダールームは、クラッチＦの出力エレメント６３０（ないしアウターディスクキャリヤー）によって形成される。このサーボ装置６１０の圧力室６１１は、この出力エレメント（アウターディスクキャリヤー）６３０のシェルと、この出力エレメント（アウターディスクキャリヤー）６３０に対して軸方向に移動可能なピストン６１４と、によって形成される。例示的にディスクスプリングとして形成されているリターンエレメント６１３は、例示的に出力エレメント（アウターディスクキャリヤー）６３０のハブ６３３に軸方向に固定されており、軸方向にクラッチＦの出力エレメント（アウターディスクキャリヤー）６３０に対してピストン６１４に初期張力を与える。さらに、サーボ装置６１０は、メインギヤセットＨＳの第１入力エレメント（つまり、第１太陽歯車Ｓ１_ＨＳ）の回転数で常に回転する圧力室６１１の動的圧力を調整するために、潤滑材を無圧で充填できる圧力調整室６１２を有している。当該圧力調整室は、圧力室６１１のプリシフトギヤセットＶＳに向いた側に配置されており、ピストン６１４のシェルとエアセンサープレート６１５とによって形成される。サーボ装置６１０のこのエアセンサープレート６１５は、クラッチＦの出力エレメント（アウターディスクキャリヤー）６３０のハブ６３３に軸方向に固定されており、さらに、このハブ６３３と回転しないように結合されている。空間的に見て、圧力室６１１は、圧力調整室６１２よりメインギヤセットＨＳの近くに配置されている。あるいは、圧力調整室６１２は、圧力室６１１よりプリシフトギヤセットＶＳの近くに配置されている。圧力室６１１が圧力材で加圧されると、ピストン６１４は、クラッチＦのディスクパック６００をリターンエレメント６１３の復帰力に抗して軸方向にプリシフトギヤセットＶＳ方向に作動させる。表示された実施の形態では、圧力材は圧力室６１１に、潤滑材は圧力調整室６１２に、該当する導路ないし孔を介して、ギヤハウジングから供給される。このために、ギヤハウジングＧＧと回転しないように結合されているハウジング中間壁ＧＺ、または、ギヤハウジング固定エレメント、が設けられている。当該中間壁ないしエレメントは、空間的に見て、軸方向にブレーキＣとＤの間の領域に配置されており、該当する圧力材用及び潤滑材用の導路を有している。圧力材及び潤滑材は、まず、ハウジング中間壁ＧＺまたはギヤハウジング固定エレメントの圧力材用及び潤滑材用の導路を介して、第６シフトエレメントＦの出力エレメント（アウターディスクキャリヤー）６３０の回転するハブ６３３に供給される。そして、そこから、ハブ６３３の該当する導路ないし孔を介して、圧力室６１１及び圧力調整室６１２に供給される。
【０１６３】
クラッチＦの入力エレメント６２０は、インナーディスクキャリヤーとして形成されており、幾何学的には、メインギヤセットＨＳ方向に開かれた容器の形に形成されており、ハブ６２３、ディスク形状部分６２２、シリンダー形状部分６２１、を有している。ハブ６２３は、空間的に見て、プリシフトギヤセットＶＳのメインギヤセットＨＳとは逆の側に配置されており、ここではギヤハウジング固定のハブＧＮ上に回転可能に取り付けられている。このハウジングハブＧＮは、ギヤハウジングのプリシフトギヤセットに近い正面を形成するギヤハウジング固定のハウジング壁ＧＷから始まって、軸方向にプリシフトギヤセットＶＳまで延伸し、その太陽歯車ＳＯ_ＶＳと回転しないように結合されている。ハブ６２３は、そのプリシフトギヤセットに近い側で、プリシフトギヤセットＶＳの結合されたキャリヤーＳＴ_ＶＳのメインギヤセットから遠いキャリヤープレートと、回転しないように結合されている。この結合されたキャリヤーＳＴ_ＶＳは、プリシフトギヤセットＶＳを軸方向に貫いており、クラッチＦの入力エレメント６２０をプリシフトギヤセットＶＳのメインギヤセットに近い側で駆動軸ＡＮと結合させている。クラッチＦの入力エレメント６２０のディスク形状部分６２２は、ハブ６２３と、そのプリシフトギヤセットから遠い側で結合されており、表示された実施の形態では、適切な受容部を介してインターロック式に結合されている。ハブ６２３から始まって、このディスク形状部６２２は、径方向外側に向かって、ギヤハウジングＧＧの内径の下側すれすれの径にまで延伸している。ディスク形状部６２２は、その外径で、クラッチＦの入力エレメント６２０のシリンダー形状部６２１と結合しており、表示された実施の形態では、適切な受容部を介してインターロック式に結合されている。このシリンダー形状部６２１は、ディスク形状部分６２２から始まって、軸方向にメインギヤセットＨＳ方向にクラッチＦのディスクパック６００まで延伸している。インナーディスクキャリヤーとしての役割に応じて、このシリンダー形状部６２１のメインギヤセットに近い端部の外径に、受容部が、好ましくは内側噛合いのライニングディスクとして形成されるディスクパック６００のインナーディスクを収容するために、設けられている。クラッチＦの入力エレメント６２０は、その展開の中で、軸方向におけるクラッチＢ及びＡと、プリシフトギヤセットＶＳと、クラッチＥと、を径方向に完全に網羅している。
【０１６４】
もちろん、交互に配置されたスチールディスク（摩擦ライニングなし）とライニングディスクの代わりに、片側を摩擦ライニングで被覆したスチールディスクも使用され得る。但し、それぞれ外側で噛み合う被覆スチールディスク１つと、内側で噛み合う被覆スチールディスク１つが、交互に１つのディスクパックに組み合わされなければならない。もちろん、提案されたスチールディスクの代わりに、カーボンあるいは炭素繊維あるいはその他の適切な合成材から成るディスクも使用し得る。
【０１６５】
図１Ａと異なり、図２２によると、クラッチとして形成されている２つのシフトエレメントＡ，Ｂ用に共通のディスクキャリヤーＺＹＬＡＢが設けられており、当該キャリヤーは、駆動軸ＡＮと結合した２つのクラッチＡ，Ｂの入力エレメントを形成し、この場合、空間的に見て、大部分が、プリシフトギヤセットＶＳのメインギヤセットＨＳとは逆の側に配置されている。表示された実施の形態では、このディスクキャリヤーＺＹＬＡＢは、２つのクラッチＡ，Ｂ用のアウターディスキャリヤーとして形成されており、２つのクラッチＡ，Ｂのディスクパック１００、２００の（好ましくは、外側噛合いのスチールディスクとして形成されている）アウターディスクを収容するために形成されている。第２シフトエレメントＢのディスクパック２００は、プリシフトギヤセットＶＳのメインギヤセットＨＳとは逆の側に配置されている。第１シフトエレメントＡのディスクパック１００は、空間的に見て、プリシフトギヤセットＶＳの上方の領域に配置されているが、プリシフトギヤセットＶＳに軸方向に隣接するクラッチＥの上方の領域、または、ディスクパック２００のようにプリシフトギヤセットＶＳのメインギヤセットＨＳとは逆の側、に配置されてもよい。いずれにせよ、クラッチＡのディスクパック１００は、クラッチＢのディスクパック２００より、メインギヤセットＨＳの近くに配置されている。クラッチＡ，Ｂ用に共通のアウターディスクキャリヤーのコンセプトは、同一部品の採用を助長する。その限りにおいて、ディスクパック１００、２００は、好ましくは、同一径を有する。
【０１６６】
２つのクラッチＡ，Ｂ用に共通のディスクキャリヤーＺＹＬＡＢは、幾何学的には、両側に開かれたシリンダー形状の容器として形成されており、シリンダー形状中央に配置された容器底と、容器底の両側に軸方向に延伸するハブと、を備えている。ディスクキャリヤーＺＹＬＡＢのハブのプリシフトギヤセットに近い部分は１２３で示され、容器底によってこの第１部分１２３から空間的に分離されたプリシフトギヤセットから遠いこのハブの第２部分は、２２３で示されている。この名称（用語）から推測できるように、ディスクキャリヤーＺＹＬＡＢのハブの第１部分１２３は、第１シフトエレメントＡに属しており、このハブの第２部分２２３は、第２シフトエレメントＢに属している。ディスクキャリヤーＺＹＬＡＢのハブは、そのプリシフトギヤセットに近い側で、ディスク形状エレメントを介して、プリシフトギヤセットＶＳの内歯歯車ＨＯ_ＶＳと回転しないように結合されており、例えば受容部を介して結合されている。このディスク形状エレメントは、プリシフトギヤセットＶＳのための内歯歯車キャリヤーの役割を受け継いでおり、プリシフトギヤセットＶＳのメインギヤセットＨＳから遠いキャリヤープレートに隣接して径方向に並行に延伸している。ディスクキャリヤーＺＹＬＡＢのハブは、その部分１２３及び２２３で、クラッチＦの入力エレメント６２０のハブ６２３上に回転可能に取り付けられており、空間的に見て、軸方向に、プリシフトギヤセットＶＳのメインギヤセットから遠いキャリヤープレートと、ハウジング壁ＧＷの近くに配置されたクラッチＦの入力エレメント６２０のディスク形状部分６２２と、の間に取り付けられている。
【０１６７】
ディスクキャリヤーＺＹＬＡＢのハブのほぼ中央から始まって、ディスクキャリヤーＺＹＬＡＢの少なくとも部分的にディスク形状の容器底は、径方向外側に向かって、２つのクラッチＡ，Ｂのディスクパック１００及び２００の外径まで延伸している。ディスクキャリヤーＺＹＬＡＢの容器底の外径において、この容器底から始まって、クラッチＡに属するディスクキャリヤーＺＹＬＡＢの第１シリンダー形状部分１２１が軸方向にメインギヤセットＨＳ方向に延伸している。このシリンダー形状部分１２１の内径に、受容部が、好ましくは外側噛合いのスチールディスクとして形成されるクラッチＡのディスクパック１００のアウターディスクを収容するために、設けられている。表示された実施の形態では、ディスクキャリヤーＺＹＬＡＢの第１シリンダー形状部１２１は、プリシフトギヤセットＶＳを軸方向に網羅している。ディスクキャリヤーＺＹＬＡＢの容器底の外径において、この容器底から始まって、クラッチＢに属するディスクキャリヤーＺＹＬＡＢの第２シリンダー形状部分２２１が軸方向にメインギヤセットＨＳとは逆の方向に延伸している。このシリンダー形状部分２２１の内径に、受容部が、好ましくは外側噛合いのスチールディスクとして形成されるクラッチＢのディスクパック２００のアウターディスクを収容するために、設けられている。
【０１６８】
第１シフトエレメントＡのサーボ装置１１０は、少なくとも一部が、径方向に、２つのクラッチＡ，Ｂ用の共通の入力エレメントＺＹＬＡＢのハブのプリシフトギヤセットに近いハブ部分１２３の上方に配置されており、シリンダールーム内に配置されている。当該シリンダールームは、ディスクキャリヤーＺＹＬＡＢによって、及び、この場合特にこのシリンダー形状部分１２１によって、形成される。このとき、このサーボ装置１１０は、プリシフトギヤセットＶＳの出力エレメントの回転数つまり内歯歯車ＨＯ_ＶＳの回転数で常に回転し、そして、圧力材が充填可能な圧力室６１１と、回転する圧力室１１１の動的圧力を調整するための、無圧で潤滑材の充填が可能な圧力調整室１１２と、クラッチＡのディスクパック１００を作動させるための、ディスクキャリヤーＺＹＬＡＢに軸方向に移動可能に取り付けられたピストン１１４と、エアセンサープレート１１５と、ピストン１１４を復帰させるためのリターンエレメント１１３と、を有する。圧力室１１１は、ディスクキャリヤーＺＹＬＡＢのシェルと、ハブ部分１２３上に軸方向に移動可能に取り付けられたピストン１１４と、によって形成され、圧力調整室１１２は、ピストン１１４とエアセンサープレート１１５とによって形成されている。空間的に見て、圧力調整室１１２は、圧力室１１１よりプリシフトギヤセットＶＳの近くに配置されている。圧力室１１１が、クラッチＡを締結するために、圧力材で満たされると、ピストン１１４は、リターンエレメント１１３のスプリング力に抗して、軸方向にメインギヤセットＨＳ方向に移動し、クラッチＡのディスクパック１００に摩擦係合する。
【０１６９】
第２シフトエレメントＢのサーボ装置２１０は、少なくとも大部分が、径方向に、クラッチＡ及びＢ用に共通の入力エレメントＺＹＬＡＢのプリシフトギヤセットに遠いハブ部分２２３の上方に配置されており、少なくとも一部が、シリンダールーム内に配置されている。当該シリンダールームは、ディスクキャリヤーＺＹＬＡＢによって、この場合特にこのシリンダー形状部２２１によって、形成される。このとき、このサーボ装置２１０は、プリシフトギヤセットＶＳの出力エレメントの回転数つまり内歯歯車ＨＯ_ＶＳの回転数で常に回転し、そして、圧力材が充填可能な圧力室２１１と、回転する圧力室２１１の動的圧力を調整するための、無圧で潤滑材の充填が可能な圧力調整室２１２と、クラッチＢのディスクパック２００を作動させるための、ディスクキャリヤーＺＹＬＡＢに軸方向に移動可能に取り付けられたピストン２１４と、エアセンサープレート１１５と、ピストン１１４を復帰させるためのリターンエレメント２１３と、を有する。圧力室２１１は、ディスクキャリヤーＺＹＬＡＢのシェルと、ハブ部分２２３上に軸方向に移動可能に取り付けられたピストン２１４と、によって形成され、圧力調整室２１２は、ピストン２１４とエアセンサープレート２１５によって形成されている。空間的に見て、圧力室２１１は、圧力調整室２１２よりプリシフトギヤセットＶＳの近くに配置されている。２つのクラッチＡ，Ｂのサーボ装置１１０，２１０の圧力室１１１、２１１は、２つのクラッチに共通のディスクキャリヤーＺＹＬＡＢのシェルによってのみ、特にはディスクキャリヤーＺＹＬＡＢのディスク形状の容器底によってのみ、互いから分離される。サーボ装置２１０の圧力室２１１が、クラッチＢを締結するために、圧力材で満たされると、ピストン２１４は、リターンエレメント２１３のスプリング力に抗して、軸方向にプリシフトギヤセットＶＳとは逆の方向ないしはメインギヤセットＨＳとは逆の方向に移動し、クラッチＢのディスクパック２００に摩擦係合する。クラッチＡ及びＢの作動方向は、従って、互いに反対の方向である。
【０１７０】
上述のように、２つのクラッチＡ，Ｂに共通のディスクキャリヤーＺＹＬＡＢのハブは、その２つのハブ部分１２３，２２３によって、クラッチＦの入力エレメント６２０のハブ６２３上に回転可能に取り付けられている。同様に、すでに述べたように、このハブ６２３は、ギヤハウジング固定のハウジングハブＧＮ上に回転可能に取り付けられている。２つのクラッチＡ，Ｂのサーボ装置１１０，２１０の圧力室１１１、２１１及び圧力調整室１１２，２１２への圧力材及び潤滑材の供給は、このハウジングハブＧＮからクラッチＦの入力エレメント６２０の回転するハブ６２３を介して行われる。このために、ハウジングハブＧＮ及びハブ６２３の内部に、該当する導路ないし孔が設けられており、また、回転シール用に適切なシールエレメントが、径方向にハブ６２３と、ハブ部分１２３、２２３と、の間に、且つ、軸方向に圧力材及び潤滑材の供給のそれぞれの径方向の導路ないし孔の間に設けられている。
【０１７１】
クラッチＡの出力エレメント１３０は、インナーディスクキャリヤーとして形成されており、幾何学的には、メインギヤセットＨＳとは逆の方向に開かれた容器の形状に配置されている。このインナーディスクキャリヤー１３０のシリンダー形状部１３１は、その外径に、受容部を、好ましくは内側噛合いのライニングディスクとして形成されるクラッチＡのディスクパック１００のインナーディスクを収容するために、有しており、このディスクパック１００から始まって、軸方向にメインギヤセットＨＳ方向にクラッチＥの上すれすれまで延伸している。このシリンダー形状部分１３１のメインギヤセットに近い側で、クラッチＡの出力エレメント１３０のディスク形状部分１３２が、シリンダー形状部分１３１に接続し、径方向内側に向かってキャリヤー軸５４０の上すれすれまで延伸し、そのハブ部分において第２太陽軸１４０と回転しないように結合されている。上述したように、太陽軸１４０は、クラッチＡと、メインギヤセットＨＳの第２入力エレメント（ここでは太陽歯車Ｓ２_HＳ）と、の間での動的結合を可能にする。本実施の形態で表示された、径方向ではプリシフトギヤセットＶＳの上方で、メインギヤセットＨＳ方向に見るとクラッチＥの手前であるという、クラッチＡのディスクパック１００の空間的位置に応じて、クラッチＡの出力エレメント１３０は、クラッチＥを、軸方向に見ても径方向にも完全に網羅している。
【０１７２】
クラッチＢの出力エレメント２３０は、同様に、インナーディスクキャリヤーとして形成されている。このインナーディスクキャリヤー２３０のシリンダー形状部２３１は、その外径に、受凹部を、好ましくは内側噛合いのライニングディスクとして形成されるクラッチＢのディスクパック２００のインナーディスクを収容するために、有しており、このディスクパック２００から始まって、軸方向にプリシフトギヤセットＶＳとは逆の方向に、（外側）ディスクキャリヤーＺＹＬＡＢのシリンダー形状部分２２１の軸方向の延伸部を辛うじて超えるまで延伸している。このシリンダー形状部分２３１のギヤセットから遠い側に、クラッチＢの出力エレメント２３０のディスク形状部分２３２が接続し、径方向外側に向かって、ディスクキャリヤーＺＹＬＡＢのシリンダー形状部分２２１の外径と、クラッチＦの入力エレメント６２０のシリンダー形状部分（これは、当該軸方向領域に存在する）６２１の内径と、の間のある径にまで延伸している。クラッチＢの出力エレメント２３０のこのディスク形状部分２３２は、その外径で、クラッチＦのサーボ装置６１０のエアセンサープレート６１５のシリンダー形状部と回転しないように結合されている。クラッチＦのサーボ装置６１０のこのエアセンサープレート６１５は、このサーボ装置６１０用の圧力調整室を形成する役割の他に、もう１つ別の役割を追加して担っている。すなわち、クラッチＢの出力トルクをメインギヤセットＨＳの第１入力エレメント（太陽歯車Ｓ１_HＳ）へ伝達することである。それに応じて、エアセンサープレート６１５は、部品側で、受容部と同様、エアセンサープレート６１５とハブ６３３との間で、それらないしそれが少なくともクラッチＢの最大可能な出力トルクを伝達できるように、寸法取りされている。図２２に表示された形態では、エアセンサープレート６１５は、プリシフトギヤセットＶＳ方向に向かって開かれた、軸方向に大きく延伸する容器として形成されており、その容器底は、その内径の領域で、クラッチＦの出力エレメント６３０のハブ６３３と回転しないように結合されており、そして（容器底は）このハブ６３３の径方向上部のある径をもつ部分において、クラッチＦのサーボ装置６１０のピストン６１４に対して、このサーボ装置の圧力調整室２１２を形成するために、軸方向に移動可能で、且つ、潤滑材が漏れないよう密閉されている。容器底に接するエアセンサープレートのシリンダー形状部は、クラッチＥの外郭、及び、クラッチＡ及びＢに共通のアウターディスクキャリヤーＺＹＬＡＢ、に適合しており、軸方向に見て、クラッチＡの出力エレメント１３０、クラッチＥ ，プリシフトギヤセットＶＳ、クラッチＡ、クラッチＢのディスクパック２００を完全に径方向に網羅している。プリシフトギヤセットＶＳと反対のクラッチＢのディスクパック２００の側では、エアセンサープレートは、インナーディスクキャリヤーとして形成されているクラッチＢの出力エレメント２３０と、回転しないように結合されている。表示された実施の形態では、このために構造的に、この出力エレメント２３０のディスク形状部分２３２の外径に受容部が設けられており、当該受容部は、エアセンサープレート６１５のメインギヤセットＨＳから遠い端部で、対応する受容部に噛合っている。クラッチＢの出力エレメントとクラッチＦの出力エレメントとの間の結合の別の構造的形態では、クラッチＢの出力エレメントが軸方向により大きな延伸部を有するシリンダーとして形成されて、当該シリンダーは、クラッチの出力側でクラッチＢのディスクパックと結合され、軸方向におけるクラッチＡ，プリシフトギヤセットＶＳ及びクラッチＥを径方向に完全に網羅し、直接的にまたはクラッチＦのサーボ装置のエアセンサープレートを介して間接的にクラッチＦの出力エレメントのハブと結合される、ということも考慮され得る。
【０１７３】
図２２で表示された変速機のスキームが、駆動軸ＡＮに対して同軸に延びる出力軸ＡＢを有していても、当業者は、必要であれば、そこから、駆動軸及び出力軸が同軸配置されていない配置を、特別な費用を掛けずに、導き出すであろう。例えば、出力軸は、その他すべてのギヤコンポーネントの空間的配置をそのままにしながら、簡単な方法で、メインギヤセットＨＳの出力エレメントに対し、軸並行かまたは角度をなすように（例では、メインギヤセットＨＳの内歯歯車ＨＯ_ＨＳに対して軸並行か角度をなすように）捕らえる（abgegriffen）ことができる。もう１つの可能性として、ブレーキとして形成されている第４シフトエレメントＤが、メインギヤセットＨＳのプリシフトギヤセットＶＳとは逆の側でも、変速機の正面壁の領域に配置されていてもよい。同様に、当業者は、必要であれば、図２２に中実軸として形成されているキャリヤー軸５４０を、この中に駆動軸ＡＮを中心に貫通させるために、駆動軸ＡＮと作用結合している変速機の駆動エンジンが変速機のメインギヤセットに近い正面側に配置されることになっているなら、中空軸として形成するであろう。
【０１７４】
図２３に基いて、今度は、本発明に従う変速機のスキームの第２２の実施の形態を説明する。この場合、この第２２の実施の形態は、図２２を基に詳細に説明した前の第２１の実施の形態の考え、すなわち、変速機の第６シフトエレメントつまりクラッチＦを、空間的に見て、プリシフトギヤセットＶＳとメインギヤセットＨＳとの間に、且つ、メインギヤセットＨＳの近くに配置するという考え、を採用しており、クラッチＦのこの空間的配置を、実証され図１Ａに従う技術から周知の第２、第３、第４及び第５のシフトエレメントＢ，Ｃ，Ｄ及びＥ並びに手掛かり的に（ausatzweise）第１シフトエレメントＡの空間的配置と組み合わせている。メインギヤセットＨＳは、図１Ａ及び図２２でのように、例示的に、２つの太陽歯車Ｓ１_ＨＳ、Ｓ２_ＨＳと唯１つの内歯歯車ＨＯ_ＨＳとを有するラビニヨ遊星歯車セットとして形成されている。駆動軸ＡＮ及び出力軸ＡＢは、図１Ａ及び図２２でのように、例示的に互いに同軸に配置されている。
【０１７５】
図２３から分かるように、２つのクラッチＢ及びＦは、ここでは、軸方向にメインギヤセットのプリシフトギヤセットＶＳに向いた側に配置された、前組み立て可能なアッセンブリーを形成し、当該アッセンブリーは、２つのクラッチＢ，Ｆ用に共通のディスクキャリヤーＺＹＬＢＦ、２つのクラッチＢ，Ｆ用にそれぞれディスクパック２００、６００、そして、それぞれのディスクパック２００ないし６００を作動させるためのサーボ装置２１０，６１０、を有している。このとき、このディスクキャリヤーＺＹＬＢＦは、２つのクラッチＢ，Ｆの出力エレメントを形成し、それに応じて、第１太陽歯車Ｓ１_HＳによって形成されるメインギヤセットＨＳの第１入力エレメントと回転しないように結合されている。このとき、ディスクキャリヤーＺＹＬＢＦは、クラッチＦのインナーディスクキャリヤーとして、及び、クラッチＢのアウターディスクキャリヤーとして形成されている。それに応じて、クラッチＦのディスクパック６００は、空間的に見て、径方向にクラッチＢのディスクパック２００の上方の領域に配置されている。２つのクラッチＢ．Ｆを含むアッセンブリーの構造的形態の詳細については、後でより正確に立ち入る。
【０１７６】
図２３からさらに分かるように、クラッチＥは、図１Ａでのように、軸方向にプリシフトギヤセットＶＳのメインギヤセットＨＳに向いた側でプリシフトギヤセットＶＳに隣接しており、この場合、ここでは例示的にアウターディスクキャリヤーとして形成されているクラッチＥの入力エレメント５２０は、プリシフトギヤセットＶＳの結合されたキャリヤーＳＴ_ＶＳのメインギヤセット側のキャリヤープレートと結合され、そしてこのキャリヤープレートを介して駆動軸ＡＮと回転しないように結合されている。クラッチＥのディスクパック５００を作動させるためのサーボ装置は、簡略化のために、図２３では表示されていないが、目的に従って、上記入力エレメント５２０によって形成されるシリンダールーム内に配置されていてよく、常に駆動軸ＡＮの回転数で回転する。ここでは大部分がディスク形状のインナーディスクキャリヤーとして形成されているクラッチＥの出力エレメント５３０は、その内径で、キャリヤー軸５４０と回転しないように結合されており、このとき、このキャリヤー軸５４０は、この出力エレメント５３０の回転しない結合を、結合されたキャリヤーＳＴ_ＨＳによって形成されるメインギヤセットＨＳの第３入力エレメントと共に作り出し、その軸方向の展開の中で、少なくとも、クラッチＢ，ＦのアッセンブリーならびにメインギヤセットＨＳを中心で貫いている。
【０１７７】
クラッチＡのディスクパック１００は、径方向にクラッチＥの上方の領域に配置されている。図２３に表示された形態では、クラッチＡのディスクパック１００は、空間的に見て、軸方向にはクラッチＥのディスクパック５００の横の領域で、このディスクパック５００のメインギヤセットＨＳに向いた側に配置されている。しかし、少しの変更で、ディスクパック５００の径方向上方にも、プリシフトギヤセットＶＳのさらに近くにも、配置され得る。ここでは例示的にアウターディスクキャリヤーとして形成されているクラッチＡの入力エレメント１２０は、プリシフトギヤセットＶＳの内歯歯車ＨＯ_ＶＳと回転しないように結合されており、この場合、クラッチＥを軸方向に完全に網羅している。クラッチＡの出力エレメント１３０は、それに応じて、インナーディスクキャリヤーとして形成されており、当該キャリヤーは、ここでは軸方向にクラッチＥの出力エレメント５３０ないしインナーディスクキャリヤーに隣接して、そのメインギヤセットＨＳに向いた側で、径方向内側に延伸し、その内径で太陽軸２４０と回転しないように結合されている。この太陽軸２４０は、この出力エレメント１３０の回転しない結合を、プリシフトギヤセットから遠い第２太陽歯車Ｓ２_HＳによって形成されるメインギヤセットＨＳの第２入力エレメントと共に作り出し、その軸方向の展開の中で、キャリヤー軸５４０を包囲し、クラッチＢ及びＦのアッセンブリー、ならびに、メインギヤセットＨＳのプリシフトギヤセットに近い第１太陽歯車Ｓ１＿ＨＳ、を中心で貫いている。このとき、太陽軸２４０はキャリヤー軸５４０の上に回転可能に取り付けられている。簡略化のために、ディスクパック１００を作動させるためのクラッチＡのサーボ装置は、図２３には詳しく表示されていないが、このディスクパックの両側に配置されていてよく、その位置に応じて、駆動軸ＡＮの回転数か、メインギヤセットＨＳの第２入力エレメント（ここでは第２太陽歯車Ｓ２_HＳ）の回転数で、回転する。クラッチＡのサーボ装置がメインギヤセットＨＳの第２入力エレメントの回転数で回転する場合、クラッチＡの入力エレメント１２０を、図２３の表示と異なり、インナーディスクキャリヤーとして形成して、クラッチＡの出力エレメント１３０をそれに応じてアウターディスクキャリヤーとして形成すること、が得策であるかもしれない。
【０１７８】
図２３からさらに分かるように、径方向上下に配置されたクラッチＢ，Ｆの２つのディスクパック２００，６００は近接しており、軸方向にはクラッチＡのディスクパック１００のメインギヤセットＨＳに向いた側に配置されている。クラッチＡのサーボ装置がディスクパック１００のメインギヤセットＨＳに向いた側に配置される時、論理的には、少なくともクラッチＡのサーボ装置のピストンの一部が、軸方向にクラッチＡのディスクパック１００と、クラッチＢのディスクパック２００と、の間に配置される。２つのクラッチＡ及びＢの匹敵し得るトルク性能に応じて、クラッチＢのディスクパック２００は、表示された形態では、全長を短くされて、クラッチＡのディスクパック１００の直径よりごく僅かに小さい径の上に配置されている。当然のことながら、当業者は、クラッチＡ，Ｂ及びＦの３つの隣接するディスクパック１００，２００及び６００の幾何学的な寸法を、それぞれのクラッチが伝達すべきトルクに基いてのみ確定するのではなく、この領域において許容されるギヤハウジングの外径をも考慮するであろう。クラッチＢの入力エレメント２２０は、ここでは、クラッチＢのディスクパック２００の内側噛合いディスクを収容するため、大部分がシリンダー形状のインナーディスクキャリヤーとして形成されている。プリシフトギヤセットＶＳの内歯歯車ＨＯ_ＶＳに対する入力エレメント２２０ないしクラッチＢの動的結合は、クラッチＡの入力エレメント１２０を介して行われる。このために、入力エレメント２２０は、クラッチＡのディスクパック１００のメインギヤセットに近い端部の領域で、入力エレメント１２０と回転しないように結合されている。例えば、入力エレメント２２０と入力エレメント１２０は、一体で形成されていてもよい。構造上、クラッチＢの入力エレメント２２０が、図２３の表示と異なり、太陽軸２４０に取り付けられて、クラッチＡのサーボ装置をも収容する、ということも考慮され得る。
【０１７９】
クラッチＦの入力エレメント６２０は、ここでは、クラッチＦのディスクパック６００の外側噛合いディスクを収容するためのアウターディスクキャリヤーとして形成されている。これは、アウターディスクキャリヤー６２０として、幾何学的には、シリンダー形状の容器として形成されており、当該容器はメインギヤセットＨＳ方向に開かれており、プリシフトギヤセットＶＳと、プリシフトギヤセットＶＳの横に配置されたクラッチＥ及びＡと、を軸方向に網羅しまた径方向に包囲している。アウターディスクキャリヤー６２０の容器底は、プリシフトギヤセットＶＳのディスクパック６００ないしメインギヤセットＨＳとは逆の側に配置されており、プリシフトギヤセットＶＳの結合されたキャリヤーＳＴ_ＶＳのメインギヤセットＨＳから遠いキャリヤープレートと回転しないように結合されている。原則として、キャリヤーＳＴ_ＶＳのメインギヤセットから遠いキャリヤープレートは、同時に、アウターディスクキャリヤー６２０の容器底でもあり得る。上記の容器底の外径に、クラッチＦのアウターディスクキャリヤー６２０のシリンダー形状部分が接続し、軸方向にメインギヤセットＨＳ方向に、クラッチＦのディスクパック６００の上まで延伸している。それに対応して、アウターディスクキャリヤー６２０のこのシリンダー形状部分の内径のメインギヤセットに近い端部の領域に、ディスクパック６００のアウターディスクを収容するための受容部が設けられている。
【０１８０】
以下では、２つのクラッチＢ，Ｆを有するアッセンブリーの構造的形態について、詳しく説明する。２つのクラッチＢ，Ｆ用に共通のディスクキャリヤーＺＹＬＢＦは、幾何学的には、大部分がシリンダー形状の構造を有しており、２つのハブ部分６３３と２３３に分離されて、太陽軸２４０上に回転可能に取り付けられたハブと、ディスクキャリヤーＺＹＬＢＦのハブから始まって上記ハブ部分６３３，２３３の間の軸方向の領域で径方向外側に向かってほぼ径方向内側のディスクパック２００の領域まで延伸している、少なくとも一部がディスク形状の部分と、ディスクキャリヤーＺＹＬＢＦの上記ディスク形状部分の外径から始まって軸方向にプリシフトギヤセットＶＳ方向にクラッチＢの径方向内側のディスクパック２００の上まで延伸している、シリンダー形状の部分と、を備えている。ディスクキャリヤーＺＹＬＢＦの上記シリンダー形状部分の外径にクラッチＦのディスクパック６００の内側噛合いディスクを収容するための受容部が設けられており、クラッチＦの出力エレメントへのその属性に応じて６３１で表示されている。ディスクキャリヤーＺＹＬＢＦの上記シリンダー形状の内径にクラッチＢのディスクパック２００の外側噛合いディスクを収容するための受容部が設けられており、クラッチＢの出力エレメントへのその属性に応じて２３１で表示されている。２３３で表示されたディスクキャリヤーＺＹＬＢＦのハブのハブ部分は、軸方向においてディスクキャリヤーＺＹＬＢＦのディスク形状部分のプリシフトギヤセットＶＳに向いた側で、径方向にクラッチＢのディスクパック２００の下で延伸している。６３３で表示されたディスクキャリヤーＺＹＬＢＦのハブのハブ部分は、ディスクキャリヤーＺＹＬＢＦのディスク形状部分のメインギヤセットＨＳに向いた側で、軸方向にプリシフトギヤセットに近いメインギヤセットＨＳの第１太陽歯車Ｓ１_ＨＳまで延伸し、この第１太陽歯車Ｓ１_ＨＳと回転しないように結合されている。このとき、ディスクキャリヤーＺＹＬＢＦのこのハブ部分６３３は、ギヤハウジング固定のハウジング中間壁ＧＺの中心の穴を軸方向に貫いている。図２２でのように、このハウジング中間壁ＧＺは、メインギヤセットＨＳの近くに配置されており、ギヤハウジングＧＧの内径から始まり、例示的に軸方向では２つのブレーキＣ及びＤの間で、径方向内側に向かって、プリシフトギヤセットに近いメインギヤセットの第１太陽歯車Ｓ１_ＨＳのほぼ横の領域にまで延伸している。ギヤハウジングＧＧの構造に応じて、ハウジング中間壁ＧＺは、ギヤハウジングＧＧの固定部（部分）でもあり得る。
【０１８１】
圧力室２１１、圧力調整室２１２、ピストン２１４、リターンエレメント２１３、及び、エアセンサープレート２１５を有する、クラッチＢのサーボ装置２１０は、完全にシリンダールーム内に配置されている。当該シリンダールームは、ディスクキャリヤーＺＹＬＢＦによって（特には、ディスクキャリヤーＺＹＬＢＦのシリンダー形状部分（２３１）とディスク形状部分とによって）形成され、空間的に見て、ディスクキャリヤーＺＹＬＢＦのハブ部分２３３の径方向上方に形成される。ピストン２１４は、ディスクキャリヤーＺＹＬＢＦに軸方向に移動可能に取り付けられている。それに応じて、サーボ装置２１０は、常にメインギヤセットＨＳの第１入力エレメント（つまり、ここでは第１太陽歯車Ｓ１_ＨＳ）の回転数で回転する。サーボ装置２１０の回転する圧力室２１１の回転圧を調整するために、潤滑材を無圧で充填できる圧力調整室２１２を備えた動的圧力調整装置が設けられている。この場合、圧力室２１１は、圧力調整室２１２よりもメインギヤセットＨＳの近くに配置されており、圧力調整室２１２は、圧力室２１１よりプリシフトギヤセットＶＳの近くに配置されている。圧力室２１１は、ディスクキャリヤーＺＹＬＢＦのシェルと（より正確に言うと、ディスクキャリヤーＺＹＬＢＦのシリンダー形状部分２３１と、ディスク形状部分と、ハブ部分２３３の一部と、）ピストン２１４と、によって形成される。圧力調整室２１２は、ピストン２１４とエアセンサープレート２１５とによって形成される。当該プレートは、軸方向ではディスクキャリヤーＺＹＬＢＦのハブ部分２３３のプリシフトギヤセットに近い端部に固定され、ピストン２１４に対して軸方向に移動可能で潤滑材が漏れないように密閉されている。ピストン２１４は、ここでは例示的にディスクスプリングとして形成されているリターンエレメント２１３を介して、軸方向にディスクキャリヤーＺＹＬＢＦのハブ部分２３３に対して初期張力が与えられている。クラッチＢを締結するために圧力室２１１を圧力材で加圧すると、ピストン２１４は軸方向にプリシフトギヤセットＶＳ方向に移動し、当該ピストンに属するディスクパック２００をリターンエレメント２１３のスプリング力に抗して作動させる。
【０１８２】
空間的に見て、クラッチＦのサーボ装置６１０は、クラッチＢのサーボ装置２１０よりメインギヤセットＨＳの近くに配置されており、このとき、ディスクキャリヤーＺＹＬＢＦのシェルだけで、このサーボ装置２１０から分離されている。この場合、クラッチＦのサーボ装置６１０は、空間的に見て、少なくとも大部分が、ディスクキャリヤーＺＹＬＢＦのメインギヤセットＨＳに向いたハブ部分６３３の径方向上方の領域に配置されており、ディスクキャリヤーＺＹＬＢＦに軸方向に移動可能に取り付けられている。それに応じて、サーボ装置６１０も、常にメインギヤセットＨＳの第１入力エレメント（つまり、ここでは第１太陽歯車Ｓ１_ＨＳ）の回転数で回転する。クラッチＦのサーボ装置６１０は、圧力室６１１、圧力調整室６１２、部分的に曲折状に形成されたピストン６１４、リターンエレメント６１３、及び、部分的にシリンダー形状の支持プレート６１８、を有している。サーボ装置６１０の回転する圧力室６１１の回転圧を調整するために、圧力調整室６１２を備えた動的な圧力調整装置が設けられている。支持プレート６１８は、ハウジング中間壁ＧＺに隣接しており、圧力室６１１を形成するために、圧力材が漏れないようにディスクキャリヤーＺＹＬＢＦのハブ部分６３３に回転しないように固定されており、軸方向にロック（固定）されている。表示されている形態では、密閉された受容部とロックリングとを介して固定されている。このとき、支持プレート６１８のディスク形状部分は、軸方向にハウジング中間壁ＧＺに対して並行に延伸し、支持プレート６１８シリンダー形状部分は、支持プレート６１８のディスク形状部分の外径に接続し、軸方向にプリシフトギヤセットＶＳ方向に延伸している。サーボ装置６１０の圧力調整室６１２を形成するために、ディスクキャリヤーＺＹＬＢＦの第２シリンダー形状部分が設けられており、当該部分は、ディスクキャリヤーＺＹＬＢＦのディスク形状部分から始まって、ハブ部分６３３の径方向上方で、支持プレート６１８の外径より大きい径の上に、軸方向にメインギヤセットＨＳ方向に支持プレート６１８のシリンダー形状部分のほぼプリシフトギヤセット側端部まで延伸している。サーボ装置６１０のピストン６１４は、支持プレート６１８の上記シリンダー形状部に対して、そしてディスクキャリヤーＺＹＬＢＦのハブ部分６３３に対して、軸方向に移動可能で、且つ、圧力材が漏れないよう密閉されており、また、ディスクキャリヤーＺＹＬＢＦの上記第２シリンダー形状部分に対しても、軸方向に移動可能で、且つ、潤滑材が漏れないよう密閉されている。このとき、この領域内で曲折形状のピストン６１４は、一方で支持プレート６１８のシリンダー形状部分を軸方向及び径方向に包囲し、他方でディスクキャリヤーＺＹＬＢＦの第２シリンダー形状部分も軸方向及び径方向に包囲している。すなわち、ピストン６１４は、支持プレート６１８のシリンダー形状部分と、ディスクキャリヤーＺＹＬＢＦの第２シリンダー形状部分と、の間の径方向の隙間を貫いている。それに応じて、クラッチＦのサーボ装置６１０の圧力室６１１は、ピストン６１４と、支持プレート６１８のシリンダー形状部分と、支持プレート６１８のこのシリン��ー形状部分の径方向下方にある、支持プレート６１８のディスク形状部分と、ディスクキャリヤーＺＹＬＢＦのハブ部分６３３の一部と、によって形成される。クラッチＦのサーボ装置６１０の圧力調整室６１２は、ピストン６１４と、ディスクキャリヤーＺＹＬＢＦの第２シリンダー形状部分と、ディスクキャリヤーＺＹＬＢＦのこの第２シリンダー形状部の径方向下方にある、ディスクキャリヤーＺＹＬＢＦのディスク形状部分と、によって形成され、そしてクラッチＢ，Ｆ用に共通のディスクキャリヤーＺＹＬＢＦのシェルだけで、クラッチＢのサーボ装置２１０の圧力室２１１から分離されている。
【０１８３】
クラッチＦのサーボ装置６１０のピストン６１４は、その更なる幾何学的形状の展開において、少なくとも大部分が、ディスクキャリヤーＺＹＬＢＦの径方向上部の領域の外郭に沿って径方向外側に向かって、そして軸方向にプリシフトギヤセットＶＳ方向に、当該ピストンに属するクラッチＦのディスクパック６００のメインギヤセットに近い側まで、延伸している。ピストン６１４には、リターンエレメント６１３によって軸方向の初期張力が与えられる。当該リターンエレメントは、ここでは例示的に、軸方向にディスクキャリヤーＺＹＬＢＦのディスク形状部分とピストン６１４との間に配置されたコイルスプリングパックとして形成されている。クラッチＦを締結するために、圧力室６１１を圧力材で加圧すると、ピストン６１４は、軸方向にプリシフトギヤセットＶＳ方向に移動し、当該ピストンに属するディスクパック６００をリターンエレメント６１３のスプリング力に抗して作動させる。ピストン６１４は、２つのクラッチＢ，Ｆ用の共通のディスクキャリヤーＺＹＬＢＦをほとんど完全に包囲している。
【０１８４】
ディスクキャリヤーＺＹＬＢＦがギヤハウジング固定のハウジング中間壁ＧＺの中に取り付けられているために、構造的に比較的簡単な２つのクラッチＢ，Ｆへの圧力材や潤滑材を供給する装置が生じる。図２３に表示された実施の形態では、２つのクラッチＢ，Ｆのサーボ装置２１０，６１０の圧力室２１１，６１１への圧力材供給は、部分的にハウジング中間壁ＧＺの内部を延びて、部分的にディスクキャリヤーＺＹＬＢＦのハブ内を延びる該当する導路ないし孔を介して行われ、２１６ないし６１６で表示されている。クラッチＢのサーボ装置２１０の圧力室２１１への圧力材供給装置は２１６で表示され、クラッチＦのサーボ装置６１０の圧力室６１１への圧力材供給装置は６１６で表示されている。圧力材は、従って、径方向の外側から、ディスクキャリヤーＺＹＬＢＦのハブに、そのハブ部分６３３を介して供給される。当然のことながら、ハブ部分６３３の中の圧力材用導路２１６，６１６は、その貫通部分で、ハウジング中間壁ＧＺの対応する中心ホールを通じて、互いに対して、そしてハウジング中間壁ＧＺに対して、回転密閉されている。圧力調整室２１２，６１２への潤滑材供給は、ここでは例示的に、キャリヤー軸５４０の（詳しく表示されていない）中央ホールと、この領域でキャリヤー軸５４０を径方向に包囲する第１太陽軸２４０の（少なくとも）１つのラジアルホールと、を介して行われる。クラッチＢのサーボ装置２１０の圧力調整室２１２への潤滑材供給装置は２１７で表示され、クラッチＦのサーボ装置６１０の圧力調整室６１２への圧力材供給装置は６１７で表示されている。
【０１８５】
図２３に従う変速機のもう１つの構造的特性は、ここでは第１太陽歯車Ｓ１_HＳによって形成されているメインギヤセットＨＳの第１入力エレメントへの、ブレーキＣのトルク誘導結合である。ブレーキＣは、例示的にディスクブレーキとして形成されているが、もちろん、ブレーキＤと同様に、バンドブレーキとして形成されていてもよい。それに応じて、ブレーキＣの出力エレメント３３０は、インナーディスクキャリヤーとして形成される。この場合、出力エレメント３３０は、クラッチＦのサーボ装置６１０の支持プレート６１８を介して、ディスクキャリヤーＺＹＬＢＦと回転しないように結合される。この場合、このディスクキャリヤーＺＹＬＢＦは、前に言及したように、クラッチＢ及びＦの出力エレメントを形成し、そこでメインギヤセットＨＳの第１太陽歯車Ｓ１_HＳと回転しないように結合されている。
【０１８６】
最後に、図１７から２１までに基いて説明した、もう１つ別のメインギヤセットタイプは、それ以前の図２から図１６、図２２及び図２３で説明したすべての部品配置と問題なく組み合わせることが可能であることを、さらに明確に指摘しておこう。
【図面の簡単な説明】
【０１８７】
【図１Ａ】同類の従来技術に準拠した変速機の概略図。
【図１Ｂ】図１Ａに従う変速機のシフト表。
【図１Ｃ】図１Ａに従う変速機の回転数表（回転数チャート）。
【図２】本発明に従う第１の実施の形態に係る変速機のスキームを示す概略図。
【図３】本発明に従う第２の実施の形態に係る変速機のスキームを示す概略図。
【図４】本発明に従う第３の実施の形態に係る変速機のスキームを示す概略図。
【図５】本発明に従う第４の実施の形態に係る変速機のスキームを示す概略図。
【図６】本発明に従う第５の実施の形態に係る変速機のスキームを示す概略図。
【図７】本発明に従う第６の実施の形態に係る変速機のスキームを示す概略図。
【図８】本発明に従う第７の実施の形態に係る変速機のスキームを示す概略図。
【図９】本発明に従う第８の実施の形態に係る変速機のスキームを示す概略図。
【図１０】本発明に従う第９の実施の形態に係る変速機のスキームを示す概略図。
【図１１】本発明に従う第１０の実施の形態に係る変速機のスキームを示す概略図。
【図１２】本発明に従う第１１の実施の形態に係る変速機のスキームを示す概略図。
【図１３】本発明に従う第１２の実施の形態に係る変速機のスキームを示す概略図。
【図１４】本発明に従う第１３の実施の形態に係る変速機のスキームを示す概略図。
【図１５】本発明に従う第１４の実施の形態に係る変速機のスキームを示す概略図。
【図１６】本発明に従う第１５の実施の形態に係る変速機のスキームを示す概略図。
【図１７】図９に従う変速機スキームに基づくと共に、第１の代替メインギヤセットを用いた、本発明に従う第１６の実施の形態に係る変速機のスキームを示す概略図。
【図１８】図９に従う変速機スキームに基づくと共に、第２の代替メインギヤセットを用いた、本発明に従う第１７の実施の形態に係る変速機のスキームを示す概略図。
【図１９】図１８に従う変速機スキームに基づいた、本発明に従う第１８の実施の形態に係る変速機のスキームを示す概略図。
【図２０】図１８に従う変速機スキームに基づくと共に、第３の代替メインギヤセットを用いた、本発明に従う第１９の実施の形態に係る変速機のスキームを示す概略図。
【図２１Ａ】図１８に従う変速機スキームに基づくと共に、第４の代替メインギヤセットを用いた、本発明に従う第２０の実施の形態に係る変速機のスキームを示す概略図。
【図２１Ｂ】図２１Ａに従う変速機の回転数表（回転数チャート）。
【図２２】本発明に従う第２１の実施の形態に係る変速機のスキームを示す概略図。
【図２３】本発明に従う第２２の実施の形態に係る変速機のスキームを示す概略図。
【図１Ａ】
2008509351.tif 000003
【図１Ｂ】
2008509351.tif 000004
【図１Ｃ】
2008509351.tif 000005
【図２】
2008509351.tif 000006
【図３】
2008509351.tif 000007
【図４】
2008509351.tif 000008
【図５】
2008509351.tif 000009
【図６】
2008509351.tif 000010
【図７】
2008509351.tif 000011
【図８】
2008509351.tif 000012
【図９】
2008509351.tif 000013
【図１０】
2008509351.tif 000014
【図１１】
2008509351.tif 000015
【図１２】
2008509351.tif 000016
【図１３】
2008509351.tif 000017
【図１４】
2008509351.tif 000018
【図１５】
2008509351.tif 000019
【図１６】
2008509351.tif 000020
【図１７】
2008509351.tif 000021
【図１８】
2008509351.tif 000022
【図１９】
2008509351.tif 000023
【図２０】
2008509351.tif 000024
【図２１Ａ】
2008509351.tif 000025
【図２１Ｂ】
2008509351.tif 000026
【図２２】
2008509351.tif 000027
【図２３】
2008509351.tif 000028
【手続補正書】
【提出日】平成19年4月19日(2007.4.19)
【手続補正１】
【補正対象書類名】特許請求の範囲
【補正対象項目名】全文
【補正方法】変更
【補正の内容】
【特許請求の範囲】
【請求項１】
多段自動変速機であって、駆動軸（ＡＮ）、出力軸（ＡＢ）、６個のシフトエレメント（ＡからＦ）、遊星歯車セットとして形成されたプリシフトギヤセット（ＶＳ）、及び、結合された遊星歯車セットとして形成されたメインギヤセット（ＨＳ）、を有し、当該メインギヤセット（ＨＳ）は、複数の相互に結合されていない入力エレメントと１個の出力エレメントとを有しており、以下の特徴、
・プリシフトギヤセット（ＶＳ）の入力エレメントが、常時、駆動軸（ＡＮ）と結合している、
・プリシフトギヤセット（ＶＳ）の出力エレメントが、駆動軸（ＡＮ）の入力回転数より小さい回転数で回転すると共に、第１シフトエレメント（Ａ）の入力エレメント（１２０）と常時結合しており、また、第２シフトエレメント（Ｂ）の入力エレメント（２２０）と常時結合している、
・メインギヤセット（ＨＳ）の第１入力エレメントが、第２シフトエレメント（Ｂ）の出力エレメント（２３０）と常時結合しており、第３シフトエレメント（Ｃ）の出力エレメント（３３０）と常時結合しており、かつ、第６シフトエレメント（Ｆ）の出力エレメント（６３０）と常時結合している、
・メインギヤセット（ＨＳ）の第２入力エレメントが、第１シフトエレメント（Ａ）の出力エレメント（１３０）と常時結合している、
・メインギヤセット（ＨＳ）の第３入力エレメントが、第４シフトエレメント（Ｄ）の出力エレメント（４３０）と常時結合しており、かつ、第５シフトエレメント（Ｅ）の出力エレメント（５３０）と常時結合している、
・メインギヤセット（ＨＳ）の出力エレメントが、出力軸（ＡＢ）と常時結合しており、
・第３シフトエレメント（Ｃ）の入力エレメントと第４シフトエレメント（Ｄ）の入力エレメントとは、ギヤハウジング（ＧＧ）と結合している、
・第５シフトエレメント（Ｅ）の入力エレメント（５２０）と第６シフトエレメント（Ｆ）の入力エレメント（６２０）とは、駆動軸（ＡＮ）と結合している、
を備え、
第６シフトエレメント（Ｆ）を作動させるためのサーボ装置（６１０）が、メインギヤセット（ＨＳ）の第１入力エレメントの回転数で常時回転し、
第６シフトエレメント（Ｆ）のサーボ装置（６１０）は、空間的に見て、少なくとも大部分が、プリシフトギヤセット（ＶＳ）のメインギヤセット（ＨＳ）に背いた側に配置されており、
第６シフトエレメント（Ｆ）の出力エレメント（６３０）は、第２シフトエレメント（Ｂ）の出力エレメント（２３０）を介して、メインギヤセット（ＨＳ）の第１入力エレメントと結合している
ことを特徴とする多段自動変速機。
【請求項２】
第６シフトエレメント（Ｆ）を作動させるためのサーボ装置（６１０）が、メインギヤセット（ＨＳ）の第１入力エレメントの回転数で常時回転し、
第６シフトエレメント（Ｆ）のサーボ装置（６１０）は、空間的に見て、少なくとも大部分が、プリシフトギヤセット（ＶＳ）のメインギヤセット（ＨＳ）に背いた側に配置されており、
第２及び第６シフトエレメント（Ｂ、Ｆ）は、共通の出力エレメント（ＺＹＬＢＦ）を介して、メインギヤセット（ＨＳ）の第１入力エレメントと結合している
ことを特徴とする請求項１に記載の多段自動変速機。
【請求項３】
多段自動変速機であって、駆動軸（ＡＮ）、出力軸（ＡＢ）、プリシフトギヤセット（ＶＳ）、メインギヤセット（ＨＳ）、及び、少なくとも６個のシフトエレメント（ＡからＦ）を有し、以下の特徴、
・プリシフトギヤセット（ＶＳ）がダブル遊星歯車セットとして形成されている、
・プリシフトギヤセット（ＶＳ）の出力エレメントが駆動軸（ＡＮ）の入力回転数より小さい回転数で回転する、
・プリシフトギヤセット（ＶＳ）の入力エレメントが常時、駆動軸（ＡＮ）と結合している、
・プリシフトギヤセット（ＶＳ）のエレメントが多段自動変速機のギヤハウジング（ＧＧ）と結合している、
・メインギヤセット（ＨＳ）が、結合された遊星歯車セットとして形成されており、複数の相互に結合されていない入力エレメントと１個の出力エレメントとを備えている、
・メインギヤセット（ＨＳ）の出力エレメントが常時、出力軸（ＡＢ）と結合している、
・第１シフトエレメント（Ａ）の入力エレメント（１２０）がプリシフトギヤセット（ＶＳ）の出力エレメントと結合している。
・第１シフトエレメント（Ａ）の出力エレメント（１３０）がメインギヤセット（ＨＳ）の第２入力エレメントと結合している、
・第２シフトエレメント（Ｂ）の入力エレメント（２２０）がプリシフトギヤセット（ＶＳ）の出力エレメントと結合している、
・第２シフトエレメント（Ｂ）の出力エレメント（２３０）がメインギヤセット（ＨＳ）の第１入力エレメントと結合している、
・第３シフトエレメント（Ｃ）の入力エレメントがギヤハウジング（ＧＧ）と結合してい・る、
・第３シフトエレメント（Ｃ）の出力エレメント（３３０）が、メインギヤセット（ＨＳ）の第１入力エレメントと、または、回転数表の中でこの第１入力エレメントに隣接するメインギヤセット（ＨＳ）の入力エレメントと、結合している、
・第４シフトエレメント（Ｄ）の入力エレメントがギヤハウジング（ＧＧ）と結合している、
・第４シフトエレメント（Ｄ）の出力エレメント（４３０）がメインギヤセット（ＨＳ）の第３入力エレメント結合している、
・第５シフトエレメント（Ｅ）の入力エレメント（５２０）が駆動軸（ＡＮ）と結合している、
・第５シフトエレメント（Ｅ）の出力エレメント（５３０）がメインギヤセット（ＨＳ）の第３入力エレメント結合している、
・第６シフトエレメント（Ｆ）の入力エレメント（６２０）が駆動軸（ＡＮ）と結合している、
・第６シフトエレメント（Ｆ）の出力エレメント（６３０）が、メインギヤセット（ＨＳ）の第１入力エレメントと、または、回転数表の中でこの第１入力エレメントに隣接するメインギヤセット（ＨＳ）の入力エレメントと、結合している、
を備え、
第６シフトエレメント（Ｆ）の作動のためのサーボ装置（６１０）が、常時、メインギヤセット（ＨＳ）の第１入力エレメントの回転数で回転し、
第６シフトエレメント（Ｆ）のサーボ装置（６１０）は、空間的に見て、少なくとも大部分が、プリシフトギヤセット（ＶＳ）のメインギヤセット（ＨＳ）に背いた側に配置されており、
第６シフトエレメント（Ｆ）の出力エレメント（６３０）は、第２シフトエレメント（Ｂ）の出力エレメント（２３０）を介して、メインギヤセット（ＨＳ）の第１入力エレメントと結合している
ことを特徴とする多段自動変速機。
【請求項４】
第６シフトエレメント（Ｆ）を作動させるためのサーボ装置（６１０）が、メインギヤセット（ＨＳ）の第１入力エレメントの回転数で常時回転し、
第６シフトエレメント（Ｆ）のサーボ装置（６１０）は、空間的に見て、少なくとも大部分が、プリシフトギヤセット（ＶＳ）のメインギヤセット（ＨＳ）に背いた側に配置されており、
第２及び第６シフトエレメント（Ｂ、Ｆ）は、共通の出力エレメント（ＺＹＬＢＦ）を介して、メインギヤセット（ＨＳ）の第１入力エレメントと結合している
ことを特徴とする請求項３に記載の多段自動変速機。
【請求項５】
第２シフトエレメント（Ｂ）の作動のためのサーボ装置（２１０）が、常時、メインギヤセット（ＨＳ）の第１エレメントの回転数で回転する
ことを特徴とする請求項１乃至４のいずれかに記載の多段自動変速機。
【請求項６】
第２及び第６シフトエレメント（Ｂ，Ｆ）は、空間的に見て、少なくとも部分的にプリシフトギヤセット（ＶＳ）とギヤハウジング（ＧＧ）の径方向に延びるハウジング壁（ＧＷ）との間の軸方向のある範囲に配置されており、空間的に見て、プリシフトギヤセット（ＶＳ）のメインギヤセット（ＨＳ）に背いた側に配置されており、
プリシフトギヤセット（ＶＳ）及びメインギヤセット（ＨＳ）は、互いに同心状に配置されている
ことを特徴とする請求項１乃至５のいずれかに記載の多段自動変速機。
【請求項７】
第２及び第６シフトエレメント（Ｂ，Ｆ）は、空間的に見て、少なくとも部分的にプリシフトギヤセット（ＶＳ）とメインギヤセット（ＨＳ）との間の軸方向のある範囲に配置されており、
プリシフトギヤセット（ＶＳ）及びメインギヤセット（ＨＳ）は、互いに同心状に配置されている
ことを特徴とする請求項１乃至５のいずれかに記載の多段自動変速機。
【請求項８】
第２及び第６シフトエレメント（Ｂ，Ｆ）は、１つのアッセンブリーを形成し、
当該アッセンブリーは、空間的に見て、
・軸方向に第１及び第３シフトエレメント（Ａ，Ｃ）の間であって、
・及び／または、軸方向に第１シフトエレメント（Ａ）とメインギヤセット（ＨＳ）との間であって、
・及び／または、軸方向に第５及び第３シフトエレメント（Ｅ，Ｃ）の間であって、
・及び／または、軸方向に第５シフトエレメント（Ｅ）とメインギヤセット（ＨＳ）との間であって、
・及び／または、軸方向に第１シフトエレメント（Ａ）、特には第１シフトエレメント（Ａ）のディスクパック（１００）、に隣接して、
・及び／または、軸方向に第３シフトエレメント（Ｃ）、特には第３シフトエレメント（Ｃ）のディスクパック（３００）、に隣接して、
配置されている
ことを特徴とする請求項１乃至７のいずれかに記載の多段自動変速機。
【請求項９】
第２及び第６シフトエレメント（Ｂ，Ｆ）のディスクを収容するために、第２及び第６シフトエレメント（Ｂ，Ｆ）は、メインギヤセット（ＨＳ）の第１入力エレメントと結合している共通ディスクキャリヤー（ＺＹＬＢＦ）を有している
ことを特徴とする請求項１乃至８のいずれかに記載の多段自動変速機。
【請求項１０】
第２シフトエレメント（Ｂ）のディスクパック（２００）は、軸方向に見て、少なくとも一部が径方向に第６シフトエレメント（Ｆ）のディスクパック（６００）の上方に配置されている
ことを特徴とする請求項１乃至９のいずれかに記載の多段自動変速機。
【請求項１１】
第２シフトエレメント（Ｂ）のディスクパック（２００）は、軸方向に第６シフトエレメント（Ｆ）のディスクパック（６００）に隣接して配置されている
ことを特徴とする請求項１乃至９のいずれかに記載の多段自動変速機。
【請求項１２】
第２及び第６シフトエレメント（Ｂ，Ｆ）のディスクパック（２００、６００）は、同一の径または少なくとも類似の径で配置されている
ことを特徴とする請求項１１に記載の多段自動変速機。
【請求項１３】
第２シフトエレメント（Ｂ）のディスクパック（２００）は、第６シフトエレメント（Ｆ）のディスクパック（６００）よりも、メインギヤセット（ＨＳ）の近くに配置されている
ことを特徴とする請求項１１または１２に記載の多段自動変速機。
【請求項１４】
第６シフトエレメント（Ｆ）、特に第６シフトエレメント（Ｆ）のディスクパック（６００）及びサーボ装置（６１０）が、第２シフトエレメント（Ｂ）のディスクキャリヤーによって形成されるシリンダ室の中に、少なくとも大部分が配置されている
ことを特徴とする請求項１乃至１３のいずれかに記載の多段自動変速機。
【請求項１５】
第２及び第６シフトエレメント（Ｂ、Ｆ）のディスクパック（２００、６００）は、プリシフトギヤセット（ＶＳ）に隣接して配置されており、
第２シフトエレメント（Ｂ）のサーボ装置（２１０）は、少なくとも大部分が、第２シフトエレメント（Ｂ）のディスクパック（２００）のメインギヤセット（ＨＳ）から背いた側に配置されており、
第６シフトエレメント（Ｆ）のサーボ装置（６１０）は、少なくとも大部分が、第６シフトエレメント（Ｆ）のディスクパック（６００）のメインギヤセット（ＨＳ）から背いた側に配置されている
ことを特徴とする請求項１乃至１４のいずれかに記載の多段自動変速機。
【請求項１６】
第６シフトエレメント（Ｆ）のサーボ装置（６１０）の圧力室（６１１）は、第２シフトエレメント（Ｂ）のサーボ装置（２１０）の圧力室（２１１）よりプリシフトギヤセット（ＶＳ）の近くに配置されている
ことを特徴とする請求項１乃至１５のいずれかに記載の多段自動変速機。
【請求項１７】
第６シフトエレメント（Ｆ）のサーボ装置（６１０）の圧力室（６１１）は、軸方向に第２シフトエレメント（Ｂ）のサーボ装置（２１０）の動的圧力調整の圧力調整室（２１２）に隣接して配置されている
ことを特徴とする請求項１乃至１６のいずれかに記載の多段自動変速機。
【請求項１８】
第２及び第６シフトエレメント（Ｂ，Ｆ）のサーボ装置（２１０，６１０）の圧力室（２１１，６１１）は、軸方向に互いに隣接して配置されている
ことを特徴とする請求項１乃至１６のいずれかに記載の多段自動変速機。
【請求項１９】
第２シフトエレメント（Ｂ）のサーボ装置（２１０）の圧力室（２１１）は、軸方向に見て、少なくとも大部分が径方向に第６シフトエレメント（Ｆ）のサーボ装置（６１０）の圧力室（６１１）の上方に配置されており、及び／または、
第２シフトエレメント（Ｂ）のサーボ装置（２１０）の動的圧力調整の圧力調整室（２１２）は、軸方向に見て、少なくとも大部分が径方向に第６シフトエレメント（Ｆ）のサーボ装置（６１０）の動的圧力調整の圧力調整室（６１２）の上方に配置されている
ことを特徴とする請求項１乃至１５のいずれかに記載の多段自動変速機。
【請求項２０】
第２シフトエレメント（Ｂ）のサーボ装置（２１０）の圧力調整室（２１２）は、第２シフトエレメント（Ｂ）のサーボ装置（２１０）の圧力室（２１１）よりプリシフトギヤセット（ＶＳ）の近くに配置されており、及び／または、
第６シフトエレメント（Ｆ）のサーボ装置（６１０）の圧力調整室（６１２）は、第６シフトエレメント（Ｆ）のサーボ装置（６１０）の圧力室（６１１）よりプリシフトギヤセット（ＶＳ）の近くに配置されている
ことを特徴とする請求項１乃至１９のいずれかに記載の多段自動変速機。
【請求項２１】
第２シフトエレメント（Ｂ）は、空間的に見て、少なくとも部分的にプリシフトギヤセット（ＶＳ）とメインギヤセット（ＨＳ）との間の軸方向のある範囲に配置されており、
第６シフトエレメント（Ｆ）は、空間的に見て、少なくとも部分的にプリシフトギヤセット（ＶＳ）とギヤハウジング（ＧＧ）の径方向に延びるハウジング壁（ＧＷ）との間の軸方向のある範囲に配置されており、空間的に見て、プリシフトギヤセット（ＶＳ）のメインギヤセット（ＨＳ）に背いた側に配置されており、
プリシフトギヤセット（ＶＳ）及びメインギヤセット（ＨＳ）は、互いに同心状に配置されている
ことを特徴とする請求項１乃至５のいずれかに記載の多段自動変速機。
【請求項２２】
第６シフトエレメント（Ｆ）を作動させるためのサーボ装置（６１０）が、メインギヤセット（ＨＳ）の第１入力エレメントの回転数で常時回転し、
第６シフトエレメント（Ｆ）のサーボ装置（６１０）は、空間的に見て、少なくとも大部分が、プリシフトギヤセット（ＶＳ）とメインギヤセット（ＨＳ）との間の軸方向のある領域に配置されており、
第２シフトエレメント（Ｂ）の出力エレメント（２３０）は、第６シフトエレメント（Ｆ）の出力エレメント（６３０）を介して、メインギヤセット（ＨＳ）の第１入力エレメントと結合している
ことを特徴とする請求項１に記載の多段自動変速機。
【請求項２３】
第６シフトエレメント（Ｆ）を作動させるためのサーボ装置（６１０）が、メインギヤセット（ＨＳ）の第１入力エレメントの回転数で常時回転し、
第６シフトエレメント（Ｆ）のサーボ装置（６１０）は、空間的に見て、少なくとも大部分が、プリシフトギヤセット（ＶＳ）とメインギヤセット（ＨＳ）との間の軸方向のある領域に配置されており、
第２シフトエレメント（Ｂ）の出力エレメント（２３０）は、第６シフトエレメント（Ｆ）の出力エレメント（６３０）を介して、メインギヤセット（ＨＳ）の第１入力エレメントと結合している
ことを特徴とする請求項３に記載の多段自動変速機。
【請求項２４】
第２シフトエレメント（Ｂ）の作動のためのサーボ装置（２１０）が、常時、プリシフトギヤセット（ＶＳ）の出力エレメントの回転数で回転する
ことを特徴とする請求項２２または２３に記載の多段自動変速機。
【請求項２５】
第２シフトエレメント（Ｂ）は、空間的に見て、少なくとも部分的にプリシフトギヤセット（ＶＳ）とギヤハウジング（ＧＧ）の径方向に延びるハウジング壁（ＧＷ）との間の軸方向のある範囲に配置されており、空間的に見て、プリシフトギヤセット（ＶＳ）のメインギヤセット（ＨＳ）に背いた側に配置されており、
プリシフトギヤセット（ＶＳ）及びメインギヤセット（ＨＳ）は、互いに同心状に配置されている
ことを特徴とする請求項２２、２３または２４に記載の多段自動変速機。
【請求項２６】
第２シフトエレメント（Ｂ）は、空間的に見て、第１シフトエレメント（Ａ）の側に配置されており、第６シフトエレメント（Ｆ）がそれに対向しており、
当該第６シフトエレメント（Ｆ）は、空間的に見て、
・第５シフトエレメント（Ｅ）の軸方向の横に、
・及び／または、軸方向に第５及び第３シフトエレメント（Ｅ，Ｃ）の間に、
・及び／または、軸方向に第５シフトエレメント（Ｅ）及びメインギヤセット（ＨＳ）の間に、
・及び／または、軸方向に第３シフトエレメント（Ｃ）の横に、
配置されている
ことを特徴とする請求項２２乃至２５のいずれかに記載の多段自動変速機。
【請求項２７】
第２シフトエレメント（Ｂ）の出力シフトエレメント（２３０）は、第６シフトエレメント（Ｆ）のディスクキャリヤーによって形成された第６シフトエレメント（Ｆ）のクラッチ室を、軸方向に貫いて延びている（durchgreifen）
ことを特徴とする請求項２２乃至２６のいずれかに記載の多段自動変速機。
【請求項２８】
第２シフトエレメント（Ｂ）のディスクパック（２００）は、軸方向に第１シフトエレメント（Ａ）のディスクパック（１００）に隣接して配置されており、特には、同一または少なくとも類似の径である
ことを特徴とする請求項１乃至２７のいずれかに記載の多段自動変速機。
【請求項２９】
第１シフトエレメント（Ａ）のディスクパック（１００）は、第２シフトエレメント（Ｂ）のディスクパック（２００）よりもメインギヤセット（ＨＳ）の近くに配置されている
ことを特徴とする請求項１乃至２８のいずれかに記載の多段自動変速機。
【請求項３０】
第２シフトエレメント（Ｂ）のディスクパック（２００）は、第１シフトエレメント（Ａ）のディスクパック（１００）よりもメインギヤセット（ＨＳ）の近くに配置されている
ことを特徴とする請求項１乃至２８のいずれかに記載の多段自動変速機。
【請求項３１】
第１及び第２シフトエレメント（Ａ，Ｂ）は、共通のディスクキャリヤー（ＺＹＬＡＢ）を有しており、当該共通のディスクキャリヤー（ＺＹＬＡＢ）は、プリシフトギヤセット（ＶＳ）の出力エレメントに結合されている
ことを特徴とする請求項１乃至３０のいずれかに記載の多段自動変速機。
【請求項３２】
第５シフトエレメント（Ｅ）は、空間的に見て、軸方向にプリシフトギヤセット（ＶＳ）とメインギヤセット（ＨＳ）との間に配置されていて、軸方向にプリシフトギヤセット（ＶＳ）に隣接している
ことを特徴とする請求項１乃至３１のいずれかに記載の多段自動変速機。
【請求項３３】
第５シフトエレメント（Ｅ）は、空間的に見て、メインギヤセット（ＨＳ）のプリシフトギヤセット（ＶＳ）とは反対の側に配置されている
ことを特徴とする請求項１乃至３１のいずれかに記載の多段自動変速機。
【請求項３４】
第６シフトエレメント（Ｆ）の入力エレメント（６２０）は、ギヤハウジング（ＧＧ）のハウジング壁（ＧＷ）のねじれ強い（回転しない）ハブ（ＧＮ）上に取り付けられている
ことを特徴とする請求項１乃至３３のいずれかに記載の多段自動変速機。
【請求項３５】
第６シフトエレメント（Ｆ）の出力エレメント（６３０）は、駆動軸（ＡＮ）と結合される第６シフトエレメント（Ｆ）の入力エレメント（６２０）上に取り付けられている
ことを特徴とする請求項１乃至３４のいずれかに記載の多段自動変速機。
【請求項３６】
第６シフトエレメント（Ｆ）の出力エレメント（６３０）および／または第２シフトエレメント（Ｂ）の出力エレメント（２３０）および／または入力エレメント（６２０）が、ギヤハウジング（ＧＧ）のハウジング壁（ＧＷ）のねじれ強いハブ（ＧＮ）上に取り付けられている
ことを特徴とする請求項１乃至３４のいずれかに記載の多段自動変速機。
【請求項３７】
ハウジング壁（ＧＷ）のハブ（ＧＮ）は、第６および／または第２および／または第１シフトエレメント（Ｆ，Ｂ，Ａ）のサーボ装置（６１０，２１０，１１０）に圧力材および／または潤滑材を供給するために、導路および／または孔を有している
ことを特徴とする請求項３４乃至３６のいずれかに記載の多段自動変速機。
【請求項３８】
プリシフトギヤセット（ＶＳ）は、太陽歯車（ＳＯ＿ＶＳ）と、内歯歯車（ＨＯ＿ＶＳ）と、内側及び外側遊星歯車（Ｐ１＿ＶＳ、Ｐ２＿ＶＳ）が回転可能に取り付けられている結合されたキャリヤー（ＳＴ＿ＶＳ）と、を有しており、
・プリシフトギヤセット（ＶＳ）の内側遊星歯車（Ｐ１＿ＶＳ）が、プリシフトギヤセット（ＶＳ）の太陽歯車（ＳＯ＿ＶＳ）及び外側遊星歯車（Ｐ２＿ＶＳ）と噛み合い、
・プリシフトギヤセット（ＶＳ）の外側遊星歯車（Ｐ２＿ＶＳ）が、プリシフトギヤセット（ＨＳ）の内側遊星歯車（Ｐ１＿ＶＳ）と内歯歯車（ＨＯ＿ＶＳ）と噛み合い、
・プリシフトギヤセット（ＶＳ）のキャリヤー（ＳＴ＿ＶＳ）が、駆動軸と常時結合しているプリシフトギヤセット（ＶＳ）の入力エレメントを形成し、
・プリシフトギヤセット（ＶＳ）の内歯歯車（ＨＯ＿ＶＳ）が、メインギヤセット（ＨＳ）の入力エレメントと結合可能なプリシフトギヤセット（ＶＳ）の出力エレメントを形成し、
・プリシフトギヤセット（ＶＳ）の太陽歯車（ＳＯ＿ＶＳ）が、ギヤハウジング（ＧＧ）に固定されており、
メインギヤセット（ＨＳ）は、ラビニヨギヤセット構成の２キャリヤー４軸ギヤとして形成されており、２個の太陽歯車（Ｓ１＿ＨＳ、Ｓ２＿ＨＳ）と、内歯歯車（ＨＯ＿ＨＳ）と、長い遊星歯車（Ｐ１＿ＨＳ）及び短い遊星歯車（Ｐ２＿ＨＳ）が回転可能に取り付けられている結合されたキャリヤー（ＳＴ＿ＨＳ）と、を備えており、
・メインギヤセット（ＨＳ）の長い遊星歯車（Ｐ１＿ＨＳ）が、メインギヤセット（ＨＳ）の内歯歯車（ＨＯ＿ＨＳ）及び第１太陽歯車（Ｓ１＿ＨＳ）と噛み合い、
・メインギヤセット（ＨＳ）の短い遊星歯車（Ｐ２＿ＨＳ）が、メインギヤセット（ＨＳ）の長い遊星歯車（Ｐ１＿ＨＳ）及び第２太陽歯車（Ｓ２＿ＨＳ）と噛み合い、
・メインギヤセット（ＨＳ）の第１の太陽歯車（Ｓ１＿ＨＳ）が、メインギヤセット（ＨＳ）の第１入力エレメントを形成し、第２、第３、第６シフトエレメント（Ｂ，Ｃ，Ｆ）の出力エレメント（２３０，３３０，６３０）と結合しており、
・メインギヤセット（ＨＳ）の第２太陽歯車（Ｓ２＿ＨＳ）が、メインギヤセット（ＨＳ）の第２入力エレメントを形成し、第１シフトエレメント（Ａ）の出力エレメント（１３０）と結合しており、
・メインギヤセット（ＨＳ）のキャリヤー（ＳＴ＿ＨＳ）が、メインギヤセット（ＨＳ）の第３入力エレメントを形成し、第４、第５シフトエレメント（Ｄ，Ｅ）の出力エレメント（４３０，５３０）と結合しており、
・メインギヤセット（ＨＳ）の内歯歯車（ＨＯ＿ＨＳ）が、メインギヤセット（ＨＳ）の出力エレメントを形成し、出力軸（ＡＢ）と結合している
ことを特徴とする請求項１乃至３７のいずれかに記載の多段自動変速機。
【請求項３９】
シフトエレメント（ＡからＦ）を選択的に閉じることにより、あるギヤからそのすぐ上またはそのすぐ下のギヤにシフトする際に、今作動している複数のシフトエレメントのうち、そのつど、１つのシフトエレメントのみが開けられ、もう１つのシフトエレメントが閉じられる、というように駆動軸（ＡＮ）の回転数が出力軸（ＡＢ）に伝達可能であって、少なくとも前進８速がシフト可能であり、
・前進第１速では第１及び第４シフトエレメント（Ａ，Ｄ）が、
・前進第２速では第１及び第３シフトエレメント（Ａ，Ｃ）が、
・前進第３速では第１及び第２シフトエレメント（Ａ，Ｂ）が、
・前進第４速では第１及び第６シフトエレメント（Ａ，Ｆ）が、
・前進第５速では第１及び第５シフトエレメント（Ａ，Ｅ）が、
・前進第６速では第５及び第６シフトエレメント（Ｅ，Ｆ）が、
・前進第７速では第２及び第５シフトエレメント（Ｂ，Ｅ）が、
・前進第８速では第３及び第５シフトエレメント（Ｃ，Ｅ）が
閉じられて、及び、
後進ギヤでは第４シフトエレメント（Ｄ）、及び、追加的に第２シフトエレメント（Ｂ）または第６シフトエレメント（Ｆ）、が閉じられる
ことを特徴とする請求項１乃至３８のいずれかに記載の多段自動変速機。
【国際調査報告】
2008509351.tif 000029
2008509351.tif 000030
2008509351.tif 000031
2008509351.tif 000032
2008509351.tif 000033
2008509351.tif 000034